(57)【要約】【課題】表示濃度の低下を抑制可能な表示媒体、書込装置、及び表示装置を提供する。【解決手段】表示媒体１２が、表示基板１８の背面基板２０との対向面側に少なくとも面方向に配列された第１の空間２６Ａと、第１の刺激としての電界刺激の付与によって孔径が変化し、少なくとも孔径の最も大きい開口状態において上記第１の空間２６Ａと外部とを連通すると共に、少なくともこの開口状態において、外部から第１の空間２６Ａ内に入り込むために第１の粒子３６が通過する連結孔２６Ｂと、を備えた中空構造体２６を備えた構成であり、電気、光、熱、またはｐＨ等の第１の刺激によって連結孔２６Ｂを開口状態とした後に、表示基板１８側へ第１の粒子３６が電気泳動する電圧を印加して第１の粒子３６を中空構造体２６の第１の空間２６Ａ内へ到達させ、更に第１の刺激を付与して連結孔２６Ｂを閉鎖状態とする。【選択図】図１
2009145419.tif 000002
【特許請求の範囲】
【請求項１】
少なくとも可視光領域の光を透過する表示基板と、
前記表示基板に間隙をもって対向して配置された背面基板と、
前記表示基板と前記背面基板との基板間に封入され、該基板間に電界が形成されることにより該電界に応じて前記表示基板と前記背面基板との間を移動する第１の粒子と、
前記表示基板と前記背面基板との基板間に封入された分散媒と、
前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体と、
を備えた表示媒体。
【請求項２】
前記連結孔の前記孔径は、前記開口状態において前記第１の粒子の体積平均一次粒径より大きいことを特徴とする請求項１に記載の表示媒体。
【請求項３】
前記連結孔の前記孔径は、該孔径の最も小さい閉鎖状態において前記開口状態の孔径の２／３以下であることを特徴とする請求項１または請求項２に記載の表示媒体。
【請求項４】
前記連結孔の前記孔径は、該孔径の最も小さい閉鎖状態において前記第1の粒子の体積平均一次粒径より小さいことを特徴とする請求項１〜請求項３の何れか１項に記載の表示媒体。
【請求項５】
前記連結孔の前記孔径は、少なくとも前記開口状態において前記第１の空間の径より小さいことを特徴とする請求項１〜請求項４の何れか１項に記載の表示媒体。
【請求項６】
前記連結孔は、少なくとも前記開口状態において、隣接する前記第１の空間を更に連通することを特徴とする請求項１〜請求項５の何れか１項に記載の表示媒体。
【請求項７】
前記第１の刺激は、電界、光、熱、及びｐＨの何れか１つであることを特徴とする請求項１〜請求項６の何れか１項に記載の表示媒体。
【請求項８】
前記中空構造体の前記第１の空間は、少なくとも前記表示基板の面方向に規則的に配列されていることを特徴とする請求項１〜請求項７の何れか１項に記載の表示媒体。
【請求項９】
前記中空構造体の前記第１の空間が前記表示基板と前記基板との向かい合う方向に複数配列され、且つ前記連結孔は、少なくとも前記開口状態において隣接する前記第１の空間を連通していることを特徴とする請求項１〜請求項８の何れか１項に記載の表示媒体。
【請求項１０】
前記中空構造体の前記第１の空間は、前記表示基板と前記背面基板との向かい合う方向に規則的に配列されて構成されていることを特徴とする請求項９に記載の表示媒体。
【請求項１１】
前記第1の空間は、少なくとも複数の前記第1の粒子を該第１の粒子と内壁との斥力によって該第１の粒子を凝集させて内部に保持しうることを特徴とする請求項１〜請求項１０の何れか項に記載の表示媒体。
【請求項１２】
前記第1の粒子は、第２の刺激の付与により凝集または分散することを特徴とする請求項１〜請求項１０の何れか１項に記載の表示媒体。
【請求項１３】
前記第２の刺激は、電界、光、及び熱の何れか１つであることを特徴とする請求項１２に記載の表示媒体。
【請求項１４】
前記第２の刺激は、前記第1の刺激と同じ刺激であることを特徴とする請求項１２または請求項１３に記載の表示媒体。
【請求項１５】
前記第1の粒子は、電界に応じて移動するために必要な電圧の絶対値が互いに異なると共に、互いに異なる色に着色された複数種類の粒子を含むことを特徴とする請求項１〜請求項１４の何れか１項に記載の表示媒体。
【請求項１６】
前記表示基板と前記背面基板との間に配置され、前記第１の粒子が少なくとも前記表示基板と前記背面基板との向かい合う方向に通過する第１の孔を有すると共に前記第１の粒子とは異なる色を有する中間層を更に備えた事を特徴とする請求項１〜請求項１５の何れか１項に記載の表示媒体。
【請求項１７】
前記中間層は、複数の第２の粒子の集合体であることを特徴とする請求項１６に記載の表示媒体。
【請求項１８】
前記中間層は、不織布であることを特徴とする請求項１６に記載の表示媒体。
【請求項１９】
前記中間層は、白色であることを特徴とする請求項１６〜請求項１８の何れか１項に記載の表示媒体。
【請求項２０】
前記背面基板の前記表示基板との対向面側に積層され、前記第1の粒子を拘束する機能を有する拘束層を更に備えたことを特徴とする請求項１〜請求項１９の何れか１項に記載の表示媒体。
【請求項２１】
前記拘束層は、前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体であることを特徴とする請求項１〜請求項２０の何れか１項に記載の表示媒体。
【請求項２２】
少なくとも可視光領域の光を透過する表示基板と、前記表示基板に間隙をもって対向して配置された背面基板と、前記表示基板と前記背面基板との基板間に封入され、該基板間に電界が形成されることにより該電界に応じて前記表示基板と前記背面基板との間を移動する第１の粒子と、前記表示基板と前記背面基板との基板間に封入された分散媒と、前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体と、を備えた表示媒体の、前記表示基板と前記背面基板との基板間に電圧を印加する電圧印加手段と、
前記第１の刺激を付与する第１の刺激付与手段と、
画像情報に応じて前記電圧印加手段及び前記第１の刺激付与手段を制御する制御手段と、
を備えた書込装置。
【請求項２３】
画像情報を取得する取得手段を備え、前記制御手段は、該取得手段によって取得した画像情報に応じて前記電圧印加手段及び前記第１の刺激付与手段を制御することを特徴とする請求項２２に記載の書込装置。
【請求項２４】
前記制御手段は、前記第１の粒子を前記表示基板側または前記背面基板側へ移動させる電圧を前記表示基板と前記背面基板との間に印加するように前記電圧印加手段を制御した後に、
前記連結孔が孔径の最も小さい閉鎖状態となる刺激を付与するように前記第1の刺激付与手段を制御することを特徴とする請求項２２または請求項２３に記載の書込装置。
【請求項２５】
前記第１の刺激付与手段は、前記第１の刺激として、電界、光、及び熱の何れかの刺激を付与することを特徴とする請求項２２〜請求項２４の何れか１項に記載の書込装置。
【請求項２６】
少なくとも可視光領域の光を透過する表示基板と、前記表示基板に間隙をもって対向して配置された背面基板と、前記表示基板と前記背面基板との基板間に封入され、該基板間に電界が形成されることにより該電界に応じて前記表示基板と前記背面基板との間を移動する第１の粒子と、前記表示基板と前記背面基板との基板間に封入された分散媒と、前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体と、を備えた表示媒体と、
前記表示媒体の前記表示基板と前記背面基板との基板間に電圧を印加する電圧印加手段と、
前記第１の刺激を付与する第１の刺激付与手段と、
画像情報に応じて前記電圧印加手段及び前記第１の刺激付与手段を制御する制御手段と、
を備えた表示装置。
【請求項２７】
画像情報を取得する取得手段を備え、前記制御手段は、該取得手段によって取得した画像情報に応じて前記電圧印加手段及び前記第１の刺激付与手段を制御することを特徴とする請求項２６に記載の表示装置。
【請求項２８】
前記制御手段は、前記第１の粒子を前記表示基板側または前記背面基板側へ移動させる電圧を前記表示基板と前記背面基板との間に印加するように前記電圧印加手段を制御した後に、
前記連結孔が孔径の最も小さい閉鎖状態となる刺激を付与するように前記第1の刺激付与手段を制御することを特徴とする請求項２６または請求項２７に記載の表示装置。
【請求項２９】
前記第１の刺激付与手段は、前記第１の刺激として、電界、光、及び熱の何れかの刺激を付与することを特徴とする請求項２６〜請求項２８の何れか１項に記載の表示装置。
【発明の詳細な説明】
【技術分野】
【０００１】
本発明は、表示媒体、書込装置、及び表示装置に関する。
【背景技術】
【０００２】
従来から、繰り返し書き換えが可能なシート状の表示素子として、基板間に帯電した粒子を封入し、この粒子の基板間の移動を利用して表示を行う表示媒体が知られている（例えば、特許文献１、特許文献２、特許文献３、及び特許文献４参照）。
【０００３】
特許文献１の技術によれば、一対の基板間に電気泳動粒子が移動可能な孔を有する多孔質層を設け、この基板間に電気泳動粒子を分散した分散媒を封入する。そして、この多孔質層を、電気泳動粒子とは異なる２色以上の色に着色した構造とし、電気泳動粒子の移動によって多孔質層を遮蔽された状態または解放された状態とすることにより、所定の着色部を視認させて多色表示を行っている。
【０００４】
また、特許文献２、特許文献３、及び特許文献４の技術によれば、基板間に球状体を充填させて、この球状体の間を介して電気泳動粒子を移動させることで表示を行っている。この球状体は、電気泳動粒子の視認を妨げる遮蔽材として機能し、この球状体を電気泳動粒子とは異なる明度及び色彩を有した構成とすることで、背面基板側に移動した粒子が表示面側から視認されることを妨げてコントラストの低下を抑制すると共に、多色表示を可能としている。
【０００５】
このような表示媒体においては、基板間に電界が形成されると粒子が移動し、無電界時には粒子が移動しない事から、無電界時において画像が保持されるという画像保持性が特徴の一つとなっている。しかしながら、電界形成時に移動した粒子が無電界時においても移動する場合があり、画像保持性の低下が懸念されていた。
【特許文献１】特開２００５−１５６８０８号公報
【特許文献２】特開２００３―１８６０６２号公報
【特許文献３】特開２００１―２４２４９２号公報
【特許文献４】特公昭５０―１５２１２０号公報
【発明の開示】
【発明が解決しようとする課題】
【０００６】
本発明は、表示濃度の低下を抑制可能な表示媒体、書込装置、及び表示装置を提供することを目的とする。
【課題を解決するための手段】
【０００７】
上記課題は、以下の手段により解決される。即ち、
請求項１に係る発明は、少なくとも可視光領域の光を透過する表示基板と、前記表示基板に間隙をもって対向して配置された背面基板と、前記表示基板と前記背面基板との基板間に封入され、該基板間に電界が形成されることにより該電界に応じて前記表示基板と前記背面基板との間を移動する第１の粒子と、前記表示基板と前記背面基板との基板間に封入された分散媒と、前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体と、を備えた表示媒体である。
【０００８】
請求項２に係る発明は、前記連結孔の前記孔径は、前記開口状態において前記第１の粒子の体積平均一次粒径より大きいことを特徴とする請求項１に記載の表示媒体である。
【０００９】
請求項３に係る発明は、前記連結孔の前記孔径は、該孔径の最も小さい閉鎖状態において前記開口状態の孔径の２／３以下であることを特徴とする請求項１または請求項２に記載の表示媒体である。
【００１０】
請求項４に係る発明は、前記連結孔の前記孔径は、該孔径の最も小さい閉鎖状態において前記第1の粒子の体積平均一次粒径より小さいことを特徴とする請求項１〜請求項３の何れか１項に記載の表示媒体である。
【００１１】
請求項５に係る発明は、前記連結孔の前記孔径は、少なくとも前記開口状態において前記第１の空間の径より小さいことを特徴とする請求項１〜請求項４の何れか１項に記載の表示媒体である。
【００１２】
請求項６に係る発明は、前記連結孔は、少なくとも前記開口状態において、隣接する前記第１の空間を更に連通することを特徴とする請求項１〜請求項５の何れか１項に記載の表示媒体である。
【００１３】
請求項７に係る発明は、前記第１の刺激は、電界、光、熱、及びｐＨの何れか１つであることを特徴とする請求項１〜請求項６の何れか１項に記載の表示媒体である。
【００１４】
請求項８に係る発明は、前記中空構造体の前記第１の空間は、少なくとも前記表示基板の面方向に規則的に配列されていることを特徴とする請求項１〜請求項７の何れか１項に記載の表示媒体である。
【００１５】
請求項９に係る発明は、前記中空構造体の前記第１の空間が前記表示基板と前記基板との向かい合う方向に複数配列され、且つ前記連結孔は、少なくとも前記開口状態において隣接する前記第１の空間を連通していることを特徴とする請求項１〜請求項８の何れか１項に記載の表示媒体である。
【００１６】
請求項１０に係る発明は、前記中空構造体の前記第１の空間は、前記表示基板と前記背面基板との向かい合う方向に規則的に配列されて構成されていることを特徴とする請求項９に記載の表示媒体である。
【００１７】
請求項１１に係る発明は、前記第1の空間は、少なくとも複数の前記第1の粒子を該第１の粒子と内壁との斥力によって該第１の粒子を凝集させて内部に保持しうることを特徴とする請求項１〜請求項１０の何れか項に記載の表示媒体である。
【００１８】
請求項１２に係る発明は、前記第1の粒子は、第２の刺激の付与により凝集または分散することを特徴とする請求項１〜請求項１０の何れか１項に記載の表示媒体である。
【００１９】
請求項１３に係る発明は、前記第２の刺激は、電界、光、及び熱の何れか１つであることを特徴とする請求項１２に記載の表示媒体である。
【００２０】
請求項１４に係る発明は、前記第２の刺激は、前記第1の刺激と同じ刺激であることを特徴とする請求項１２または請求項１３に記載の表示媒体である。
【００２１】
請求項１５に係る発明は、前記第1の粒子は、電界に応じて移動するために必要な電圧の絶対値が互いに異なると共に、互いに異なる色に着色された複数種類の粒子を含むことを特徴とする請求項１〜請求項１４の何れか１項に記載の表示媒体である。
【００２２】
請求項１６に係る発明は、前記表示基板と前記背面基板との間に配置され、前記第１の粒子が少なくとも前記表示基板と前記背面基板との向かい合う方向に通過する第１の孔を有すると共に前記第１の粒子とは異なる色を有する中間層を更に備えた事を特徴とする請求項１〜請求項１５の何れか１項に記載の表示媒体である。
【００２３】
請求項１７に係る発明は、前記中間層は、複数の第２の粒子の集合体であることを特徴とする請求項１６に記載の表示媒体である。
【００２４】
請求項１８に係る発明は、前記中間層は、不織布であることを特徴とする請求項１６に記載の表示媒体である。
【００２５】
請求項１９に係る発明は、前記中間層は、白色であることを特徴とする請求項１６〜請求項１８の何れか１項に記載の表示媒体である。
【００２６】
請求項２０に係る発明は、前記背面基板の前記表示基板との対向面側に積層され、前記第1の粒子を拘束する機能を有する拘束層を更に備えたことを特徴とする請求項１〜請求項１９の何れか１項に記載の表示媒体である。
【００２７】
請求項２１に係る発明は、前記拘束層は、前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体であることを特徴とする請求項１〜請求項２０の何れか１項に記載の表示媒体である。
【００２８】
請求項２２に係る発明は、少なくとも可視光領域の光を透過する表示基板と、前記表示基板に間隙をもって対向して配置された背面基板と、前記表示基板と前記背面基板との基板間に封入され、該基板間に電界が形成されることにより該電界に応じて前記表示基板と前記背面基板との間を移動する第１の粒子と、前記表示基板と前記背面基板との基板間に封入された分散媒と、前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体と、を備えた表示媒体の、前記表示基板と前記背面基板との基板間に電圧を印加する電圧印加手段と、前記第１の刺激を付与する第１の刺激付与手段と、画像情報に応じて前記電圧印加手段及び前記第１の刺激付与手段を制御する制御手段と、を備えた書込装置である。
【００２９】
請求項２３に係る発明は、画像情報を取得する取得手段を備え、前記制御手段は、該取得手段によって取得した画像情報に応じて前記電圧印加手段及び前記第１の刺激付与手段を制御することを特徴とする請求項２２に記載の書込装置である。
【００３０】
請求項２４に係る発明は、前記制御手段は、前記第１の粒子を前記表示基板側または前記背面基板側へ移動させる電圧を前記表示基板と前記背面基板との間に印加するように前記電圧印加手段を制御した後に、前記連結孔が孔径の最も小さい閉鎖状態となる刺激を付与するように前記第1の刺激付与手段を制御することを特徴とする請求項２２または請求項２３に記載の書込装置である。
【００３１】
請求項２５に係る発明は、前記第１の刺激付与手段は、前記第１の刺激として、電界、光、及び熱の何れかの刺激を付与することを特徴とする請求項２２〜請求項２４の何れか１項に記載の書込装置である。
【００３２】
請求項２６に係る発明は、少なくとも可視光領域の光を透過する表示基板と、前記表示基板に間隙をもって対向して配置された背面基板と、前記表示基板と前記背面基板との基板間に封入され、該基板間に電界が形成されることにより該電界に応じて前記表示基板と前記背面基板との間を移動する第１の粒子と、前記表示基板と前記背面基板との基板間に封入された分散媒と、前記表示基板の前記背面基板との対向面側に少なくとも面方向に配列されると共に少なくとも前記第１の粒子が複数存在しうる第１の空間と、第1の刺激の付与により孔径が変化すると共に少なくとも該孔径が最も大きい開口状態において前記第１の空間と外部とを連通し、少なくとも該開口状態において前記第１の粒子が外部から前記第１の空間内へと入り込むために該第１の粒子が通過する連結孔と、を含み、少なくとも可視光領域の光を透過する中空構造体と、を備えた表示媒体と、前記表示媒体の前記表示基板と前記背面基板との基板間に電圧を印加する電圧印加手段と、前記第１の刺激を付与する第１の刺激付与手段と、画像情報に応じて前記電圧印加手段及び前記第１の刺激付与手段を制御する制御手段と、を備えた表示装置である。
【００３３】
請求項２７に係る発明は、画像情報を取得する取得手段を備え、前記制御手段は、該取得手段によって取得した画像情報に応じて前記電圧印加手段及び前記第１の刺激付与手段を制御することを特徴とする請求項２６に記載の表示装置である。
【００３４】
請求項２８に係る発明は、前記制御手段は、前記第１の粒子を前記表示基板側または前記背面基板側へ移動させる電圧を前記表示基板と前記背面基板との間に印加するように前記電圧印加手段を制御した後に、前記連結孔が孔径の最も小さい閉鎖状態となる刺激を付与するように前記第1の刺激付与手段を制御することを特徴とする請求項２６または請求項２７に記載の表示装置である。
【００３５】
請求項２９に係る発明は、前記第１の刺激付与手段は、前記第１の刺激として、電界、光、及び熱の何れかの刺激を付与することを特徴とする請求項２６〜請求項２８の何れか１項に記載の表示装置である。
【発明の効果】
【００３６】
本発明によれば、表示濃度の低下を抑制するという効果を奏する。
【発明を実施するための最良の形態】
【００３７】
以下、本発明を詳細に説明する。
【００３８】
（第１の実施の形態）
図１に示すように、本発明の実施の形態に係る表示装置１０は、表示媒体１２と、書込装置１３と、を含んで構成されている。
【００３９】
書込装置１３は、電圧印加部１４、画像情報取得部１７、及び制御部１６を含んで構成されている。電圧印加部１４、及び画像情報取得部１７は、制御部１６に信号授受可能に接続されている。
【００４０】
なお、表示媒体１２が本発明の表示媒体に相当し、表示装置１０が本発明の表示装置に相当し、書込装置１３が、本発明の書込装置に相当する。また、電圧印加部１４が、本発明の表示装置及び書込装置の電圧印加手段、及び第１の刺激付与手段に相当する。
【００４１】
−表示媒体−
表示媒体１２は、画像表示面とされる表示基板１８、表示基板１８に間隙をもって対向する背面基板２０、これらの基板間を所定間隔に保持すると共に、表示基板１８と背面基板２０との間を複数のセルに区画する間隙部材３４、各セル内に封入された、分散媒４２、中空構造体２６、中間層３８、及び第１の粒子３６を含んで構成されている。
第１の粒子３６は、詳細は後述するが、表示基板１８と背面基板２０との間に形成された電界の作用により基板間を移動する。表示媒体１２における表示色の変化は、この第１の粒子３６の基板間の移動によって生じる。
【００４２】
上記セルとは、表示基板１８と、背面基板２０と、間隙部材３４と、によって囲まれた領域を示している。このセル内には、上記分散媒４２が封入されている。この分散媒４２中には、第１の粒子３６（詳細後述）が複数分散されている。この複数の第１の粒子３６は、セル内に形成された電界強度に応じて表示基板１８と背面基板２０との間の分散媒４２中を移動する。また、このセル内には、中間層３８が設けられている（詳細後述）。
また、このセル内には、詳細は後述するが、中空構造体２６が表示基板１８の背面基板２０に向かい合う方向側の面（対向面側）に積層されている。
【００４３】
なお、この表示媒体１２に画像を表示したときの各画素に対応するように間隙部材３４を設け、各画素に対応するように１または複数のセルを形成することで、表示媒体１２を、画素毎の色表示が可能となるように構成することができる。なお、本実施の形態では説明及び図面の簡単化のため、一つのセルに着目して示したものである。なお、本実施の形態において用いるそのほかの図である図９、図１０、後述する第２の実施の形態〜第６の実施の形態における図１２、図１５、図１８、図２１、及び図２４についても同様に、説明及び図面の簡単化のため、一つのセルに着目して示した。
【００４４】
表示基板１８は、支持基板２２上に、表示電極２４及び表面層２５を順に積層して構成されている。背面基板２０は、支持基板２８上に、背面電極３０及び表面層３２を順に積層して構成されている。
【００４５】
上記支持基板２２及び支持基板２８としては、ガラスや、プラスチック、例えば、ポリカーボネート樹脂、アクリル樹脂、ポリイミド樹脂、ポリエステル樹脂、エポキシ樹脂、ポリエーテルサルフォン樹脂等が挙げられる。
【００４６】
背面電極３０及び表示電極２４には、インジウム、スズ、カドミウム、アンチモン等の酸化物、ＩＴＯ等の複合酸化物、金、銀、銅、ニッケル等の金属、ポリピロールやポリチオフェン等の有機材料等を使用することができる。これらは単層膜、混合膜あるいは複合膜として使用でき、蒸着法、スパッタリング法、塗布法等で形成できる。また、その厚さは、蒸着法、スパッタリング法によれば、通常１００Å以上２０００Åである。背面電極３０及び表示電極２４は、従来の液晶表示装置あるいはプリント基板のエッチング等従来公知の手段により、所望のパターン、例えば、マトリックス状、あるいはパッシブマトリックス駆動を可能とするストライプ状に形成することができる。
【００４７】
また、表示電極２４を支持基板２２に埋め込んでもよい。同じように、背面電極３０を支持基板２８に埋め込んでもよい。この場合、支持基板２２及び支持基板２８の材料が第１の粒子３６の帯電特性や流動性に影響を及ぼすことがあるので、第１の粒子３６の各粒子の組成等に応じて選択する。
【００４８】
なお、背面電極３０及び表示電極２４各々を表示基板１８及び背面基板２０と分離させて、表示媒体１２の外部に配置してもよい。この場合、背面電極３０と表示電極２４との間に表示媒体１２が挟まれた構成となり、背面電極３０と表示電極２４との間の電極間距離が大きくなって電界強度が小さくなるため、所望の電界強度が得られるように表示媒体１２の支持基板２２及び支持基板２８の厚みや、支持基板２２と支持基板２８との基板間距離すなわち間隙部材３４の長さを小さくする等の工夫が必要である。
【００４９】
なお、上記では、表示基板１８と背面基板２０の双方に電極（表示電極２４及び背面電極３０）を備える場合を説明したが、何れか一方にだけ設けるようにしてもよい。
【００５０】
また、アクティブマトリックス駆動を可能にするために、支持基板２２及び支持基板２８は、画素毎にＴＦＴ（薄膜トランジスタ）を備えていてもよい。配線の積層化及び部品実装が容易であることから、ＴＦＴは表示基板ではなく背面基板２０に形成することが好ましい。
【００５１】
なお、表示媒体１２を単純マトリクス駆動とすると、表示媒体１２を備えた後述する表示装置１０の構成を簡易な構成とすることができ、ＴＦＴを用いたアクティブマトリックス駆動とすると、単純マトリクス駆動に比べて表示速度を速くすることができる。
【００５２】
上記表示電極２４及び背面電極３０が、各々支持基板２２及び支持基板２８上に形成されている場合、表示電極２４及び背面電極３０の破損や、第１の粒子３６の固着を招く電極間のリークの発生を防止するため、必要に応じて表示電極２４及び背面電極３０各々上に、誘電体膜として、表面層２５及び表面層３２を形成することが好ましい。
【００５３】
この表面層２５及び表面層３２を形成する材料としては、ポリカーボネート、ポリエステル、ポリスチレン、ポリイミド、エポキシ、ポリイソシアネート、ポリアミド、ポリビニルアルコール、ポリブタジエン、ポリメチルメタクリレート、共重合ナイロン、紫外線硬化アクリル樹脂、フッ素樹脂等を用いることができる。
【００５４】
また、上記した絶縁材料の他に、絶縁性（体積低効率が１０９Ω・ｃｍ以上）材料中に電荷輸送物質を含有させたものも、表面層２５及び表面層３２を構成する材料として使用できる。電荷輸送物質を表面層２５及び表面層３２を構成する材料に含有させることにより、第１の粒子３６への電荷注入による粒子帯電性の向上や、第１の粒子３６の帯電量が極度に大きくなった場合に第１の粒子３６の電荷を漏洩させ、第１の粒子３６の帯電量を安定させる。
【００５５】
電荷輸送物質としては、例えば、正孔輸送物質であるヒドラゾン化合物、スチルベン化合物、ピラゾリン化合物、アリールアミン化合物等が挙げられる。また、電子輸送物質であるフルオレノン化合物、ジフェノキノン誘導体、ピラン化合物、酸化亜鉛等も使用できる。さらに、電荷輸送性を有する自己支持性の樹脂を用いることもできる。
具体的には、ポリビニルカルバゾール、米国特許第４８０６４４３号に記載の特定のジヒドロキシアリールアミンとビスクロロホルメートとの重合によるポリカーボネート等が挙げられる。誘電体膜は、粒子の帯電特性や流動性に影響を及ぼすことがあるので、粒子の組成等に応じて選択する。基板の一方である表示基板は光を透過する必要があるので、上記各材料のうち透明のものを使用することが好ましい。
【００５６】
―間隙部材―
表示基板１８と背面基板２０との間隙を保持するための間隙部材３４は、表示基板１８の透明性を損なわないように形成され、熱可塑性樹脂、熱硬化性樹脂、電子線硬化樹脂、光硬化樹脂、ゴム、金属等で形成することができる。
【００５７】
間隙部材３４には、セル状のものと、粒子状のものがある。セル状のものとしては、例えば、網がある。網は入手が容易で安価であり、厚さも比較的均一であることから、安価な表示媒体１２を製造する場合に有益である。網は微細な画像の表示には不向きであり、あまり解像度が必要とされない大型の画像表示装置に使用することが好ましい。また、他のセル状のスペーサとしては、エッチングやレーザー加工等によりマトリックス状に穴を開けたシートが挙げられ、このシートでは、網に比べ、厚さ、穴の形状、穴の大きさなどを容易に調整できる。このため、シートは微細な画像を表示するための画像表示媒体に使用し、コントラストをより向上させる。
【００５８】
間隙部材３４は表示基板１８及び背面基板２０の何れか一方と一体化されてもよく、支持基板２２または支持基板２８をエッチング処理したり、レーザー加工したり、予め作製した型を使用し、プレス加工、印刷等によって、任意のサイズのセルパターンを有する支持基板２２または支持基板２８、及び間隙部材３４を作製することができる。
この場合、間隙部材３４は、表示基板１８側、背面基板２０側のいずれか、または双方に作製することができる。
【００５９】
間隙部材３４は有色でも無色でもよいが、表示媒体１２に表示される表示画像に悪影響を及ぼさないように無色透明であることが好ましく、その場合には、例えば、ポリスチレンやポリエステルやアクリルなどの透明樹脂等を使用することができる。
【００６０】
また、粒子状の間隙部材３４は、透明であることが好ましく、ポリスチレン、ポリエステル又はアクリル等の透明樹脂粒子の他、ガラス粒子も使用できる。
【００６１】
―中空構造体２６―
次に、中空構造体２６について説明する。
中空構造体２６は、図２（Ａ）に示すように、表示基板１８の背面基板２０との対向面側に少なくとも面方向に配列された第１の空間２６Ａと、第１の刺激の付与によって孔径が変化する連結孔２６Ｂと、を含んで構成されている。
【００６２】
この中空構造体２６の連結孔２６Ｂの孔径を変化させる第１の刺激としては、熱、光、電界、及びｐＨ等が挙げられるが、本第１の実施の形態では、第１の刺激として、電界の作用を用いる場合を説明する。
すなわち、本第１の実施の形態においては、中空構造体２６の連結孔２６Ｂは、第１の刺激として、電界の作用により開口状態または閉鎖状態へと変化する。
【００６３】
なお、連結孔２６Ｂが「開口状態」にある、とは、連結孔２６Ｂの孔径が該連結孔２６Ｂの取り得る孔径の最も大きい状態にあることを示しており、「閉鎖状態」にある、とは、連結孔２６Ｂの孔径が該連結孔２６Ｂの取り得る最も小さい孔径の状態にあることを示している。
【００６４】
連結孔２６Ｂは、少なくとも開口状態において上記第１の空間２６Ａと外部とを連通する。また、この連結孔２６Ｂにおいては、少なくともこの開口状態において、外部から連結孔２６Ｂを介して第１の空間２６Ａ内に入り込むために第１の粒子３６が通過する。
【００６５】
また、中空構造体２６は、少なくとも可視光領域の光を透過する。第１の粒子３６は、中空構造体２６の少なくとも開口状態の連結孔２６Ｂ及び第１の空間２６Ａを介して分散媒４２中を電気泳動し、中空構造体２６の内部または外部に配置される。
【００６６】
この中空構造体２６に含まれる複数の第１の空間２６Ａは、図２（Ａ）に示すように、表示基板１８の背面基板２０との対向面側において、少なくとも表示基板１８の面方向に配列されている。この第１の空間２６Ａは、略球形であって、空間内に上記第１の粒子３６を複数存在させうる大きさである。
【００６７】
なお、本実施の形態では、この中空構造体２６内の複数の第１の空間２６Ａは、同じ大きさである場合を説明するが、異なる大きさであってもよい。
【００６８】
また、本実施の形態では、中空構造体２６内の第１の空間２６Ａは、略球形であるとして説明するが、上記第１の粒子３６を空間内に複数存在させうる形状及び大きさであればよく、球形であることに限られない。
【００６９】
連結孔２６Ｂでは、上述のように、第１の刺激の付与によって孔径が変化し、該連結孔２６Ｂの孔径の最も大きい開口状態において上記第１の空間２６Ａと外部とを連通すると共に、少なくともこの開口状態において、外部から連結孔２６Ｂを介して第１の空間２６Ａ内に入り込むために第１の粒子３６が通過する。連結孔２６Ｂは、このような特性を満たすように、各第１の空間２６Ａに１または複数設けられている。
【００７０】
なお、本実施の形態において、「中空構造体２６の外部」とは、表示基板１８と背面基板２０との間の分散媒４２の充填されている領域（セル）内における、中空構造体２６によって占められている領域以外の領域である。
【００７１】
この連結孔２６Ｂの孔径は、第１の刺激の付与によって最も孔径の拡がった状態（開口状態）（図２（Ａ）参照）において、第１の粒子３６の体積平均一次粒径より大きく、第１の刺激の付与によって最も孔径の狭まった状態（閉鎖状態）（図２（Ｂ）参照）において、第１の粒子３６の体積平均一次粒径より小さい事が好ましい。
【００７２】
連結孔２６Ｂが第１の刺激の付与によって、開口状態または閉鎖状態となることで、例えば、開口状態において連結孔２６Ｂを介して第１の空間２６Ａ内に到った第１の粒子３６が該第１の空間２６Ａ内に存在するときに、第１の刺激が連結孔２６Ｂに加えられて閉鎖状態となることで、第１の空間２６Ａ内に到達した第１の粒子３６は、第１の空間２６Ａ内に安定して保持される。
【００７３】
なお、開口状態における連結孔２６Ｂの孔径が、第１の粒子３６の体積平均粒径より小さいと、連結孔２６Ｂを介して第１の空間２６Ａ内に第１の粒子３６入り込むことが困難となる。
【００７４】
また、閉鎖状態における連結孔２６Ｂの孔径が第１の粒子３６の体積平均粒径より大きいと、連結孔２６Ｂを介して第１の空間２６Ａ内に到った第１の粒子３６を該第１の空間２６Ａ内に保持する機能が低下することから、表示濃度の低下の抑制効果が低下する場合がある。
【００７５】
さらに、この連結孔２６Ｂの孔径は、開口状態において、第１の空間２６Ａの径より小さく、第１の空間２６Ａの径の０．８倍以下であることが好ましく、０．５倍以下であることが更に好ましく、０．３倍以下であることが更に好ましい。
【００７６】
この開口状態における連結孔２６Ｂの孔径が、第１の空間２６Ａの径の０．８倍以下であると、詳細は後述するが、複数の第１の粒子３６が連結孔２６Ｂを介して第１の空間２６Ａ内に到達し、第１の空間２６Ａ内に保持されやすくなる。
【００７７】
また、開口状態における連結孔２６Ｂの孔径は、第１の粒子３６の容易に通過可能な大きさである必要がある。開口状態における連結孔２６Ｂの孔径が、第１の粒子３６の容易に通過可能な大きさであることで、第１の粒子３６が連結孔２６Ｂを通過可能となる。
具体的には、連結孔２６Ｂの孔径は、開口状態において、第１の粒子３６の体積平均一次粒径より大きく、第１の粒子３６の体積平均一次粒径に対して１．５倍以上であることが好ましく、１５０倍以上であることが更に好ましい。
【００７８】
すなわち、連結孔２６Ｂの孔径は、少なくとも開口状態において、第１の粒子３６の体積平均一次粒径より大きく、第１の空間２６Ａの径より小さくなるように調整されている。
【００７９】
また、連結孔２６Ｂの孔径は、上述のように、閉鎖状態において第１の粒子３６の容易に通過することの困難な大きさである。閉鎖状態における連結孔２６Ｂの孔径が、第１の粒子３６の容易に通過することの困難な大きさであることで、第１の空間２６Ａ内に到った第１の粒子３６が第１の空間２６Ａ内に安定して保持される。
具体的には、閉鎖状態における連結孔２６Ｂの孔径は、開口状態の孔径より小さく、開口状態の孔径の３／４倍以下であることが好ましく、２／３倍以下であることが更に好ましく、１／３倍以下であることが特に好ましい。また、閉鎖状態における連結孔２６Ｂの孔径は、第１の粒子３６の体積平均一次粒径より小さいことが特に好ましい。
【００８０】
なお、連結孔２６Ｂの孔径は、上述のように、第１の刺激の付与によって最も孔径の拡がった開口状態において少なくとも第１の粒子３６の通過可能な大きさであり、且つ、第１の刺激によって最も孔径の狭まった閉鎖状態におい少なくとも第１の粒子３６の通過の確率が十分に低下する大きさであればよく、この閉鎖状態と開口状態との間の孔径については、閉鎖状態から開口状態へ向かって孔径が拡がり、反対に、開口状態から閉鎖状態へ向かって孔径が狭まるように変化すればよく、連続的または段階的に孔径が変化すればよい。
【００８１】
ここで、上記連結孔２６Ｂの孔径とは、測定時において、連結孔２６Ｂを構成する開口の向かい合う領域間の最小の距離を示している。この連結孔２６Ｂの孔径は、本実施の形態では、同一の状態（開口状態または閉鎖状態）において中空構造体２６中に存在する複数の連結孔２６Ｂの内の任意の１０個の連結孔２６Ｂ各々について、各連結孔２６Ｂを構成する開口の向かい合う領域間の距離の最小値を測定し、測定結果の平均値を連結孔２６Ｂの孔径とした。
【００８２】
なお、開口状態における連結孔２６Ｂの孔径とは、上記説明したように、第１の刺激の付与によって最も孔径の拡がった状態における孔径、すなわち各連結孔２６Ｂの取り得る最大の孔径の平均値である。この開口状態とは、第１の刺激を連結孔２６Ｂの孔径が拡がる方向に、例えば、付与する刺激の強度等の、第１の刺激の付与条件を変化させたときに、刺激の強度を変化させてもそれ以上孔径が拡がらない状態における孔径を示している。
【００８３】
一方、閉鎖状態における連結孔２６Ｂの孔径とは、上記説明したように、第１の刺激の付与によって最も孔径の狭まった状態における孔径、すなわち、各連結孔２６Ｂの取り得る最小の孔径の平均値である。この閉鎖状態とは、第１の刺激を連結孔２６Ｂの孔径が狭まる方向に、例えば、付与する刺激の強度等の、第１の刺激の付与条件を変化させたときに、刺激の強度を変化させてもそれ以上孔径が狭まらない状態における孔径を示している。
【００８４】
また、上記第１の空間２６Ａの径とは、第１の空間２６Ａを構成する内壁の向かい合う領域間の距離の最小値を示している。この第１の空間２６Ａの径は、本実施の形態では、中空構造体２６中に存在する複数の第１の空間２６Ａの内の任意の１０個の第１の空間２６Ａの各々について、各第１の空間２６Ａを構成する内壁における向かい合う領域間の距離の最小値を測定し、測定結果の平均値を第１の空間２６Ａの孔径とした。
【００８５】
上記第１の空間２６Ａを構成する内壁における向かい合う領域間の距離の最小値、及び連結孔２６Ｂの孔径の各々は、走査電子顕微鏡（ＳＥＭ、ＶＥ−９８００、キーエンス社製）を用いて測定した。
【００８６】
なお、中空構造体２６の空隙率は、４０％以上９５％以下の範囲内であることが好ましく、５０％以上９０％以下の範囲内であることが好ましい。
【００８７】
さらに、中空構造体２６の厚み（表示基板１８と背面基板２０との向かい合う方向の長さ）は、セル深さや第１の粒子３６の濃度や粒径にもよるが、の範囲内で有ることが好ましく、具体的には、０．５μｍ以上１００μｍ以下の範囲内であることが好ましい。
【００８８】
また、中空構造体２６は、可視光領域の光を透過する。本実施の形態における「可視光領域の光を透過」とは、可視光領域の光の透過率が６０％以上であることを示している。
【００８９】
中空構造体２６と分散媒４２との相互間の屈折率差は、例えば、０．０１以上１以下程度とすることが良い。屈折率差が小さいと、中空構造体２６の透明性が高まるため、光学特性の上から好ましい。
【００９０】
表示基板１８と背面基板２０との基板間に封入されている上記第１の粒子３６は、第１の粒子３６を電気泳動させる電界が基板間に形成されると基板間を移動して、中空構造体２６内の開口状態の連結孔２６Ｂを介して第１の空間２６Ａ内に到る。
【００９１】
なお、本実施の形態では、第１の空間２６Ａは、さらに、表示基板１８と背面基板２０との基板の向かい合う方向に１層設けられている場合を説明するが、図３に示すように、表示基板１８の面方向に複数配列された構成を１層として、更に表示基板１８と背面基板２０との向かい合う方向に複数積層されていることが好ましい。
【００９２】
中空構造体２６内の第１の空間２６Ａが、表示基板１８の面方向に複数配列された構成を１層として、更に表示基板１８と背面基板２０との向かい合う方向に複数積層された構成である場合には、背面基板２０側から表示基板１８側に電気泳動した第１の粒子３６は、中空構造体２６の１または複数の、開口状態の連結孔２６Ｂ及び複数の第１の空間２６Ａを介して、中空構造体２６内の複数の第１の空間２６Ａ内の何れか内に到る。
【００９３】
第１の空間２６Ａが表示基板１８と背面基板２０との向かい合う方向に複数積層されていると、例えば、表示基板１８側に到った第１の粒子３６は、複数層の第１の空間２６Ａからなる中空構造体２６の各層の第１の空間２６Ａ内に存在する。このため、１層の第１の空間２６Ａから構成された中空構造体２６の各第１の空間２６Ａ内に第１の粒子３６が存在する場合に比べて、複数層の第１の空間２６Ａから構成された中空構造体２６の各層内の各第１の空間２６Ａ内に第１の粒子３６が存在する方が、表示基板１８と背面基板２０との向かい合う方向により多数の第１の粒子３６が積層されたような構成となり、表示媒体１２が表示基板１８側から視認されたときに、第１の粒子３６による色をより濃く呈示することができる。また、単層である場合に比べてより濃度低下を抑制することができる。
【００９４】
上述のように、連結孔２６Ｂが開口状態にあるときに、第１の粒子３６の体積平均一次粒径より大きな孔径を有する連結孔２６Ｂを介して、中空構造体２６の内部へ入り込んだ第１の粒子３６は、この連結孔２６Ｂを介して第１の空間２６Ａ間を移動する。ここで、この連結孔２６Ｂの孔径は、開口状態においても、第１の空間２６Ａの径に比べて小さいことから、複数の第１の粒子３６が同一の第１の空間２６Ａ内に入り込むと、第１の粒子３６は第１の空間２６Ａ内に保持された状態となり、結果的に中空構造体２６の内部に拘束された状態となる。
さらに、この連結孔２６Ｂは、第１の刺激の付与によって開口状態から閉鎖状態、または閉鎖状態から開口状態へと変化するため、第１の空間２６Ａ内に第１の粒子３６の入りこんだ状態で連結孔２６Ｂを開口状態から閉鎖状態へと変化させる第１の刺激が付与されることで、第１の粒子３６を第１の空間２６Ａ内に保持することが可能となる。
このため、中空構造体２６は、第１の粒子３６を内部に拘束する機能を有しているといえる。
【００９５】
中空構造体２６としては、大きさ（径）のそろった第１の空間２６Ａが規則的に表示基板１８の面方向及び基板間の向かい合う方向に配列された逆オパール構造であってもよいし、大きさ（径）の異なる第１の空間２６Ａが不規則に配列された構造であってもよい。
【００９６】
本実施の形態の中空構造体２６の作製方法としては、後述するコロイド粒子構造体の間隙に、刺激応答材料（詳細後述）の溶液を充填し、該溶液の溶媒を蒸発させることで毛細管現象によりコロイド粒子構造体を構成する各粒子同士の接触領域に該溶液を局在化させた後に、硬化処理または樹脂化処理等を施すことで、上記連結孔２６Ｂを構成する管状体２７Ａ（図４（Ｃ）参照）を調整する。
その後、該接触領域に管状体２７Ａの形成されたコロイド粒子構造体の間隙に、例えば、めっき、シリカ材料の充填、高分子材料の充填、重合性モノマの含浸と重合、電解重合などにより被鋳型物質を充填し、その後、当該構造体を除去することで、第１の空間２６Ａ及び連結孔２６Ｂの形成された中空構造体２６が調整される。
【００９７】
なお、被鋳型物質の前駆体を被覆・充填した後、焼成などの処理を施し、被鋳型物質としてもよい。また、フェムト秒レーザ等の光造形技術を用いても良い。
【００９８】
コロイド粒子構造体は、コロイド粒子同士の斥力を利用して充填した非最密充填型構造体、コロイド粒子を密に充填した最密充填型構造体である。コロイド粒子としては、例えば体積平均一次粒径１０ｎｍ以上１０００ｎｍ以下の粒子で、シリカ粒子、ポリマー粒子（ポリスチレン、ポリエステル、ポリイミド、ポリオレフィン、ポリ（メタ）アクリル酸メチル、ポリエチレン、ポリプロピレン、ポリエチレン、ポリエーテルスルフォン、ナイロン、ポリウレタン、ポリ塩化ビニル、ポリ塩化ビニリデンなど）、その他、酸化チタンなどの無機物粒子）がある。
【００９９】
このようなコロイド粒子は、例えば、乳化重合、懸濁重合、二段階鋳型重合、化学的気相反応法、電気炉加熱法、熱プラズマ法、レーザ加熱法、ガス中蒸発法、共沈法、均一沈殿法、化合物沈殿法、金属アルコキシド法、水熱合成法、ゾルゲル法、噴霧法、冷凍凍結法、硝酸塩分解法で作製することができる。また、コロイド粒子構造体は、コロイド粒子分散液を用いて基板上にコロイド粒子を重力沈降法や塗布乾燥法によって自己組織的に堆積させる方法、あるいは電場や磁場の作用によって基板上に堆積させる方法、さらにはコロイド粒子の分散液に基板を浸漬、引き上げて、基板上に形成させる方法によって作製することができる。
【０１００】
コロイド粒子構造体は厚さが１μｍ以上５ｍｍ以下、好ましくは1μｍ以上１ｍｍ以下であることがよい。
【０１０１】
上記連結孔２６Ｂを構成する管状体２７Ａを調整するために用いる刺激応答材料としては、本実施の形態では、連結孔２６Ｂの孔径を変化させる第１の刺激として電界の作用を用いることから、連結孔２６Ｂを構成する管状体２７Ａに電界が作用することで、連結孔２６Ｂの孔径が変化する材料を用いればよい。
【０１０２】
ここで、この連結孔２６Ｂの孔径の電界の作用による変化は、連結孔２６Ｂを構成する管状体２７Ａを構成する材料に電界が作用することで体積を等方的あるいは異方的に収縮させることにより連結孔２６Ｂの孔径が縮小することによって生じる。
【０１０３】
このような管状体２７Ａの体積変化を生じさせて連結孔２６Ｂを開口状態または閉鎖状態へ変化させるために、表示基板１８と背面基板２０との基板間に印加する電圧の電圧値及び電圧印加時間は、管状体２７Ａを構成する材料や、分散媒や添加剤等によって異なるが、表示媒体１２として構成したときに予め測定すればよい。
【０１０４】
このような電界の作用により変化する刺激応答材料としては、具体的には、電解質系高分子材料が好ましく、ポリ（メタ）アクリル酸の架橋物やその塩、（メタ）アクリル酸と（メタ）アクリルアミド、ヒドロキシエチル（メタ）アクリレート、（メタ）アクリル酸アルキルエステルなどとの共重合体の架橋物やその塩、ポリマレイン酸の架橋物やその塩、マレイン酸と（メタ）アクリルアミド、ヒドロキシエチル（メタ）アクリレート、（メタ）アクリル酸アルキルエステルなどとの共重合体の架橋物やその塩、ポリビニルスルホン酸の架橋物やビニルスルホン酸と（メタ）アクリルアミド、ヒドロキシエチル（メタ）アクリレート、（メタ）アクリル酸アルキルエステルなどとの共重合体の架橋物、ポリビニルベンゼンスルホン酸の架橋物やその塩、ビニルベンゼンスルホン酸と（メタ）アクリルアミド、ヒドロキシエチル（メタ）アクリレート、（メタ）アクリル酸アルキルエステルなどとの共重合体の架橋物やその塩、ポリアクリルアミドアルキルスルホン酸の架橋物やその塩、アクリルアミドアルキルスルホン酸と（メタ）アクリルアミド、ヒドロキシエチル（メタ）アクリレート、（メタ）アクリル酸アルキルエステルなどとの共重合体の架橋物やその塩、ポリジメチルアミノプロピル（メタ）アクリルアミドの架橋物やその塩酸塩、ジメチルアミノプロピル（メタ）アクリルアミドと（メタ）アクリル酸、（メタ）アクリルアミド、ヒドロキシエチル（メタ）アクリレート、（メタ）アクリル酸アルキルエステルなどとの共重合体の架橋物やその４級化物や塩、ポリジメチルアミノプロピル（メタ）アクリルアミドとポリビニルアルコールとの複合体の架橋物やその４級化物や塩、ポリビニルアルコールとポリ（メタ）アクリル酸との複合体の架橋物やその塩、カルボキシアルキルセルロース塩の架橋物、ポリ（メタ）アクリロニトリルの架橋物の部分加水分解物やその塩などが例示できる。
【０１０５】
また、電界付与にともなう電気化学反応によって刺激応答する材料としては、フェロセン誘導体、コバルトセニウム、ルテニウムなどの金属錯体、遷移金属、フラーレン誘導体、ポルフィリン、拡大ポルフィリン、ピロール系化合物、フェノチアジン、ビオロゲン誘導体、フェノチアジン誘導体、チオフェン系化合物、アニリン系化合物、カルバゾール誘導体、テトラチアフルバレン誘導体、ジアミン系化合物、フタロシアニン系化合物、ヒドラゾン系化合物、オキサジアゾール誘導体、ペリレン誘導体、ナフタレン誘導体等が挙げられ、その他ポルフィリンや酸化還元タンパクなどの生態由来物質などを官能基として有するゲル構造体やポリピロール、ポリアニリンなど高分子マトリックスが酸化還元する高分子が挙げられる。
また、電界付与によるゲル内のイオンの移動によって体積変化する刺激応答性材料としては、ポリエーテル誘導体、ポリピロール誘導体、フッ素系イオン交換樹脂誘導体、ポリエステル誘導体、ポリイミン誘導体、イオン液体を含浸させた高分子ゲル、それらを含有した高分子などが挙げられる。
等が挙げられる。
【０１０６】
これらの中でも、コストやハンドリングの理由から、ポリ（メタ）アクリル酸の架橋物やその塩の誘導体が好適に用いられる。
【０１０７】
この刺激応答材料の溶媒としては、絶縁性という機能を有していれば良く公知の溶媒が用いられるが、具体的には、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に使用できる。
【０１０８】
また、第１の空間２６Ａを形作るために用いる被鋳型物質としては、シリカ、炭酸カルシウムなどの無機材料、ゾルゲルガラス、熱硬化樹脂、紫外線硬化樹脂、電子線硬化樹脂、ポリエステル、ポリイミド、ポリメタクリル酸メチルなどのアクリル樹脂、ポリスチレン及びその誘導体、ポリエチレン、ポリプロピレン、ポリアミド、ポリ塩化ビニル、ポリ塩化ビニリデン、ポリカーボネート、ポリエーテルスルフォン、セルロース誘導体、フッ素系樹脂、シリコーン系樹脂、エポキシ系樹脂、ポリアセタール系樹脂などが挙げられる。
【０１０９】
中空構造体２６の作製方法としては、具体的には、例えば、図４（Ａ）に示すように、例えばシリカ粒子からなるコロイド粒子構造体２９を作製し、その後、刺激応答材料を溶媒に溶かしたモノマー溶液３７をコロイド粒子構造体２９の間隙に充填する（図４（Ｂ）参照））。そして、熱を加えることによりこのコロイド粒子構造体２９に充填したモノマー溶液３７の溶媒を蒸発させる。
【０１１０】
このとき、このモノマー溶液３７の溶媒の蒸発によってモノマー溶液３７の体積が減少すると、毛細管現象によってモノマー溶液３７は、コロイド粒子構造体２９を構成する各粒子間の接触領域へと局在化する（図６（Ａ）、及び図６（Ｂ）中の、局在化した状態のモノマー溶液３７Ａ参照）。そして、このコロイド粒子構造体２９を構成する各粒子間の接触領域へと局在化した状態のモノマー溶液３７Ａを熱開始反応、レドックス開始反応、ＵＶ硬化反応、イオン重合等の処理を行うことによって硬化、または樹脂化（ポリマー化）させることによって、コロイド粒子構造体２９を構成する各粒子間の接触領域には、硬化または樹脂化したモノマー溶液３７Ａとしての管状体２７Ａが形成される（図４（Ｃ）参照）。
【０１１１】
そして、この管状体２７Ａの形成されたコロイド粒子構造体２９の表面及び間隙に、フルフリルアルコール樹脂などの導電性物質前駆体を被覆・充填し焼成することによって、導電性物質３３としての難黒鉛化炭素をコロイド粒子構造体２９の表面及び間隙に充填する（図５（Ｄ））。
そして、コロイド粒子構造体２９を、フッ酸などによりエッチングして除去すると、コロイド粒子構造体２９と同じ形状の第１の空間２６Ａと、第１の刺激として電界の作用により孔径の変化する管状体２７Ａによって形成された連結孔２６Ｂと、を有する、ネガ型の中空構造体２６が作製される（図５（Ｅ）参照）。
【０１１２】
なお、中空構造体２６の作製方法は、上記方法に限られるものではなく、上記の連結孔２６Ｂ及び第１の空間２６Ａが設けられた構成の中空構造体で２６が製造できればどのような方法を用いてもよい。
【０１１３】
−第１の粒子３６−
本発明の表示媒体１２の分散媒４２中には、複数の第１の粒子３６が封入されている。この第１の粒子３６は、表示基板１８と背面基板２０との基板間に第１の粒子３６に応じて予め定められた泳動用の電圧範囲（以下、泳動電圧範囲と称する）を超える電圧が印加されて表示基板１８と背面基板２０との基板間に所定の電界強度以上の電界が形成されることで、分散媒４２中を移動する。
【０１１４】
表示媒体１２における表示色の変化は、この分散媒４２中の複数の第１の粒子３６の分散媒４２中の移動によって生じる。
【０１１５】
まず、この第１の粒子３６の分散媒４２中における電界による移動について説明する。
この第１の粒子３６には、上述のように、表示基板１８と背面基板２０との基板間を（分散媒４２中を）移動するために必要な泳動電圧範囲が定められている。すなわち、上記第１の粒子３６は、粒子が移動開始するために必要な電圧と移動開始からさらに電圧及び電圧印加時間を増加させても表示濃度の変化が生じなくなり、表示濃度が飽和するまでの電圧までの範囲としての泳動電圧範囲を有している。
なお、上記電圧とは、表示基板１８と背面基板２０との基板間に印加される電圧を示している。
【０１１６】
なお、この泳動電圧範囲内の電圧値の電圧を、電界に応じて第１の粒子３６が移動するために必要な電圧と称して説明する。
【０１１７】
上記「表示濃度が飽和」したときの表示濃度は、表示媒体１２の表示基板１８側における色濃度を光学濃度(Optical Density=OD)の反射濃度計X-rite社の反射濃度計で測定しながら、表示基板１８と背面基板２０側との間に電圧を印加して且つこの電圧を測定濃度が増加する方向に除々に変化（印加電圧値を増加または減少）させて、単位電圧あたりの濃度変化が飽和し、且つその状態で電圧及び電圧印加時間を増加させても濃度変化が生じず、濃度が飽和したときの濃度を示している。
【０１１８】
すなわち、上記電圧範囲外の電圧が表示基板１８と背面基板２０との基板間に印加されているときには、表示媒体１２の表示濃度に変化は現れず、上記泳動電圧範囲内の電圧が表示基板１８と背面基板２０との間に印加されると、第１の粒子３６の移動により表示媒体１２の表示濃度に変化が現れる。
【０１１９】
この「表示媒体１２の表示濃度に変化が現れた」状態とは、表示媒体１２の表示電極２４と背面電極３０とに電圧を印加して、この電圧値を０Ｖから連続的に変化させ、表示濃度の変化を目視観察により評価を行って、変化が現れた状態を表す。また、この評価において表示濃度に変化が現れた状態とは、表示基板１８の濃度を濃度計（Ｘ−Ｒｉｔｅ社製、Ｘ−Ｒｉｔｅ４０４Ａ）によって測定したところ、電圧印加前の濃度に対する濃度変化が、０．１以上の変化量であった状態を表す。
【０１２０】
第１の粒子３６の上記泳動電圧範囲を調整するためには、第１の粒子３６を構成する粒子の平均帯電量、各粒子表面の分散媒に対する流動抵抗、平均磁気量（磁化の強さ）、粒子の体積平均一次粒径、及び粒子の形状係数の何れか１つまたは複数を調整すればよい。
【０１２１】
なお、第１の粒子３６は、上述のような粒子を移動させるために必要な電圧範囲を有さずに、どのような電圧を印加された場合であっても移動する構成であってもよいが、上述のように、電圧範囲を有する方が、表示画像のメモリー性があって、電力の消費無く画像を保存できるので望ましい形態である。
【０１２２】
なお、本実施の形態においては、表示媒体１２には、第１の粒子３６、すなわち一色の粒子のみが封入されている場合を説明するが、このような形態に限られず、互いに色及び上記泳動電圧範囲の異なる複数種類の粒子が封入されていてもよい。この場合には、複数種の第１の粒子３６の種類（各色）毎に、互いに上記説明した泳動電圧範囲が異なるように、第１の粒子３６を予め調整すればよい。このようにすれば、特定の泳動電圧範囲の電圧を基板間に印加することによって、基板間において移動対象となる色の第１の粒子３６粒子を選択的に移動させることができ、第１の粒子３６の基板間の移動による多色表示が可能となる。
【０１２３】
この第1の粒子３６は、中空構造体２６の少なくとも開口状態の連結孔２６Ｂ及び中間層３８の孔（詳細後述）を通過する大きさ、すなわちこれらの孔径未満の大きさであり、具体的には、第1の粒子３６の体積平均一次粒径が１０ｎｍ以上５０００ｎｍ以下の範囲内であることが好ましく、より好ましくは５０ｎｍ以上２０００ｎｍ以下の範囲内、さらに好ましくは７０ｎｍ以上１０００ｎｍ以下の範囲内である。
【０１２４】
ここで、体積平均一次粒径の測定方法としては、複数の第1の粒子３６にレーザ光を照射し、そこから発せられる回折、散乱光の強度分布パターンから平均粒径を測定する、レーザ回折散乱法を採用する。なお、測定は動的光散乱式粒径分布測定装置（ＬＢ−５５０、（株）堀場製作所）を用い、２５℃で測定を行った。
【０１２５】
この第１の粒子３６の濃度（重量比）は、第１の粒子３６中の顔料濃度によっても変わるが、分散媒４２に対して、１体積％以上７０体積％以下の範囲に無いが好ましく、より好ましくは、２体積％以上５０体積％以下の範囲内であり、より好ましくは、３体積％以上３０体積％以下である。第１の粒子３６の濃度が低すぎると、十分な色濃度が得られないという問題が生じる場合があり、濃度が高すぎると、凝集が起こったり、粘度上昇により表示速度の低下という問題が生じる場合がある。
【０１２６】
セル中の全質量に対する第１の粒子３６の含有量（重量％）としては、所望の色相が得られる濃度であれば特に限定されるものではなく、セルの厚さ（すなわち、表示基板１８と背面基板２０との基板間の距離）に応じて含有量を調整する。即ち、所望の色相を得るために、セルが厚くなるほど含有量は少なくなり、セルが薄くなるほど含有量を多くする。一般的には、０．０１重量％以上５０重量％以下である。
【０１２７】
なお、表示媒体１２における上記セルの大きさとしては、特に限定されないが、第１の粒子３６の表示面内の偏りによる表示濃度むらを防止するために、通常、表示媒体１２の表示基板１８の板面方向の長さが１０μｍ以上１ｍｍ以下程度である。
【０１２８】
この電界により分散媒４２中を電気泳動する特性を有する第１の粒子３６としては、ガラスビーズ、アルミナ、酸化チタン等の絶縁性の金属酸化物粒子等、熱可塑性若しくは熱硬化性樹脂粒子、これらの樹脂粒子の表面に着色剤を固定したもの、熱可塑性若しくは熱硬化性樹脂中に絶縁性の着色剤を含有する粒子等が挙げられ、これらの粒子に特定の表面処理を施すことによって、上述のような電界刺激により分散状態または凝集状態となる第１の粒子３６とする。
【０１２９】
第1の粒子３６の製造に使用される熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体を例示することができる。
【０１３０】
第1の粒子３６の製造に使用される熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等を挙げることができる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等を挙げることができる。
【０１３１】
着色剤としては、有機若しくは無機の顔料や、油溶性染料等を使用することができ、マグネタイト、フェライト等の磁性粉、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤を挙げることができる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等を代表的なものとして例示することができる。
また、空気を内包した多孔質のスポンジ状粒子や中空粒子は白色粒子として使用できる。
【０１３２】
第1の粒子３６の樹脂には、必要に応じて、帯電制御剤を混合してもよい。帯電制御剤としては、電子写真用トナー材料に使用される公知のものが使用でき、例えば、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子を挙げることができる。
【０１３３】
第1の粒子３６の内部や表面には、必要に応じて、磁性材料を混合してもよい。磁性材料は必要に応じてカラーコートした無機磁性材料や有機磁性材料を使用する。また、透明な磁性材料、特に、透明有機磁性材料は着色顔料の発色を阻害せず、比重も無機磁性材料に比べて小さく、より望ましい。
着色した磁性粉として、例えば、特開２００３−１３１４２０公報記載の小径着色磁性粉を用いることができる。核となる磁性粒子と該磁性粒子表面上に積層された着色層とを備えたものが用いられる。そして、着色層としては、顔料等により磁性粉を不透過に着色する等、選定して差し支えないが、例えば光干渉薄膜を用いるのが好ましい。この光干渉薄膜とは、ＳｉＯ２やＴｉＯ２等の無彩色材料を光の波長と同等な厚みを有する薄膜にしたものであり、薄膜内の光干渉により光を波長選択的に反射するものである。
【０１３４】
第1の粒子３６の表面には、必要に応じて、外添剤を付着させてもよい。外添剤の色は、粒子の色に影響を与えないように、透明であることが好ましい。
【０１３５】
外添剤としては、酸化ケイ素（シリカ）、酸化チタン、及びアルミナ等の金属酸化物等の無機粒子が用いられる。粒子の帯電性、流動性、及び環境依存性等を調整するために、これらをカップリング剤やシリコーンオイルで表面処理することができる。
【０１３６】
カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。同じように、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。これらは外添剤の所望の抵抗に応じて選択される。
【０１３７】
この外添剤の中では、よく知られている疎水性シリカや疎水性酸化チタンが好ましく、特に特開平１０−３１７７記載のＴｉＯ（ＯＨ）2と、シランカップリング剤等のシラン化合物との反応で得られるチタン化合物が好適である。シラン化合物としてはクロロシラン、アルコキシシラン、シラザン、特殊シリル化剤のいずれのタイプを使用することも可能である。このチタン化合物は、湿式工程の中で作製されるＴｉＯ（ＯＨ）2にシラン化合物あるいはシリコーンオイルを反応、乾燥させて作製される。数百度という焼成工程を通らないため、Ｔｉ同士の強い結合が形成されず、凝集が全くなく、粒子は一次粒子の状態である。さらに、ＴｉＯ（ＯＨ）2にシラン化合物あるいはシリコーンオイルを直接反応させるため、シラン化合物やシリコーンオイルの処理量を多くすることができて、シラン化合物の処理量等を調整することにより帯電特性を制御でき、且つ付与できる帯電能も従来の酸化チタンのそれより顕著に改善することができる。
【０１３８】
外添剤の一次粒子は、一般的には１ｎｍ以上１０００ｎｍ以下であり、望ましくは２ｎｍ以上１００ｎｍ以下であるが、これに限定されない。
【０１３９】
外添剤と粒子の配合比は粒子の粒径と外添剤の粒径の兼ね合いから調整される。外添剤の添加量が多すぎると粒子表面から該外添剤の一部が遊離し、これが他方の粒子の表面に付着して、所望の帯電特性が得られなくなる。一般的には、外添剤の量は、粒子１００重量部に対して、０．１重量部以上７０重量部以下、より望ましくは１重量部以上５０重量部以下である。
【０１４０】
外添剤は、複数種類の粒子の何れか１種にのみ添加してもよいし、複数種または全ての種類の粒子に添加してもよい。全ての粒子の表面に外添剤を添加する場合は、粒子表面に外添剤を衝撃力で打込んだり、粒子表面を加熱して外添剤を粒子表面に強固に固着したりすることが望ましい。これにより、外添剤が粒子から遊離し、異極性の外添剤が強固に凝集して、電界で解離させることが困難な外添剤の凝集体を形成することが防止され、ひいては画質劣化が防止される。
【０１４１】
なお、第１の粒子３６としては、表示基板１８と背面基板２０との基板間に形成された電界によって基板間を移動するという特性と共に、中空構造体２６の内壁と粒子表面との斥力によって中空構造体２６の第１の空間２６Ａの内部に凝集された状態で保持される特性を更に有したものを用いてもよい。
【０１４２】
このように、第１の粒子３６として、表示基板１８と背面基板２０との基板間に形成された電界によって基板間を移動するという特性と共に、中空構造体２６の内壁と粒子表面との斥力によって中空構造体２６の第１の空間２６Ａの内部に凝集された状態で保持される特性を更に有したものを用いた場合には、第1の粒子３６は、表示基板１８と背面基板２０との基板間に泳動電圧範囲内または泳動電圧範囲を超える所定の電圧が印加されると分散媒４２中を移動すると共に、中空構造体２６の第１の空間２６Ａ内に到ると、中空構造体２６の第１の空間２６Ａの内部に凝集された状態で保持される
【０１４３】
この電界により分散媒４２中を電気泳動する特性及び、中空構造体２６の第１の空間２６Ａを構成する内壁との斥力による凝集特性を有する第１の粒子３６としては、顔料粒子、顔料をカプセル化した粒子、顔料表面を官能基で修飾した粒子、顔料を樹脂中に含有させた粒子、染料粒子、染料をカプセル化した粒子、染料を樹脂中に含有させた粒子等が挙げられ、これらの粒子及び中空構造体２６の第１の空間２６Ａを構成する内壁の何れか一方または双方に、特定の表面処理を施すことによって、上述のような中空構造体２６の内壁との斥力による凝集特性を有する第１の粒子３６とする。
【０１４４】
この特定の表面処理としては、第１の粒子３６を、中空構造体２６の第１の空間２６Ａの内壁との間で斥力が生じるように構成するために、第１の粒子３６の表面および中空構造体２６の内壁表面を、例えば同電荷を担持させ静電反発するようにすればよい。
【０１４５】
具体的には、例えば、高分子材料で中空構造体を作製しこれにコロナ放電処理を施すことでエレクトレット化し正電荷を帯電させ、一方、第１の粒子３６の表面にアミノ基を修飾しこれを正電荷に帯電させることによって、第１の粒子３６と第１の空間２６Ａの内壁との間で斥力を生じさせるように構成する。
【０１４６】
また、中空構造体２６の内壁（第１の空間２６Ａ及び連結孔２６Ｂを構成する壁）に、表面処理を施すことによって、第１の粒子３６との間で斥力が生じるように構成してもよい。
この場合には、カップリング剤によって例えばアミノ基を中空構造体２６の内壁に修飾させ正電荷を帯電させ、同様に第１の粒子３６の表面にアミノ基を修飾しこれを正電荷に帯電させればよい。いずれの場合においても正電荷同士、負電荷同士であれば斥力が生じる。
【０１４７】
具体的には、第１の粒子３６の表面を構成する材料に応じて、同電荷となる材料によって中空構造体２６の内壁に表面処理を施せばよい。
【０１４８】
この第１の粒子３６を作製する方法としては、上記説明した、電界に応じて基板間を移動する粒子と同様の方法を用いることができる。
【０１４９】
−分散媒−
分散媒４２は、上記第１の粒子３６の表面特性に応じて定まり、分散状態では分散媒４２と第１の粒子３６との親和性が高く、凝集状態では分散媒４２と第１の粒子３６との親和性が低くなる特性を有する液体が用いられ、バルク中に十分な電位勾配を与える理由から絶縁性液体であることが好ましい。
【０１５０】
上記絶縁性液体として具体的には、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に使用できる。
【０１５１】
また、下記体積抵抗値となるよう不純物を除去することで、水（所謂、純水）も、分散媒として好適に使用することができる。該体積抵抗値としては、１０3Ωｃｍ以上であることが好ましく、より好ましくは１０7Ωｃｍ〜１０19Ωｃｍであり、さらに好ましくは１０10ｃｍ〜１０19Ωｃｍである。このような体積抵抗値とすることで、より効果的に、電極反応に起因する液体の電気分解による気泡の発生が抑制され、通電毎に粒子の電気泳動特性が損なわれることがなく、優れた繰り返し安定性を付与することができる。
【０１５２】
なお、絶縁性液体には、必要に応じて、酸、アルカリ、塩、分散安定剤、酸化防止や紫外線吸収などを目的とした安定剤、抗菌剤、防腐剤などを添加することができるが、上記で示した特定の体積抵抗値の範囲となるように添加することが好ましい。
【０１５３】
また、絶縁性液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加して使用できる。
イオン性、非イオン性の界面活性剤、親油性部と親水性部からなるブロックもしくはグラフト共重合体類、さらにまた環状、星状、樹状高分子（デンドリマー）等の高分子鎖骨格をもった 化合物、さらにはサリチル酸の金属錯体、カテコールの金属錯体、含金属ビスアゾ染料、テトラフェニルボレート誘導体等より選ばれる化合物を用いることができる。
があげられる。
【０１５４】
イオン性および非イオン性の界面活性剤としては、より具体的には以下があげられる。ノニオン活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド等が挙げられる。アニオン界面活性剤としては、アルキルベンゼンスルホン酸塩、アルキルフェニルスルホン酸塩、アルキルナフタリンスルホン酸塩、高級脂肪酸塩、高級脂肪酸エステルの硫酸エステル塩、高級脂肪酸エステルのスルホン酸等がある。カチオン界面活性剤としては、第一級ないし第三級のアミン塩、第四級アンモニウム塩等があげられる。これら帯電制御剤は、粒子固形分に対して０．０１重量％以上、２０重量％以下が好ましく、特に０．０５重量％以上１０重量％以下の範囲が好ましい。０．０１重量％を下回ると、希望とする帯電制御効果が不充分であり、また２０重量％を越えると、現像液の過度な電導度の上昇を引き起こし、使い難くなるからである。
【０１５５】
また、分散媒４２の粘度は、温度２０℃の環境下において、０．１ｍＰａ・ｓ以上２０ｍＰａ・ｓ以下であることが粒子の移動速度、従って表示速度の観点から必須であり、０．１ｍＰａ・ｓ以上５ｍＰａ・ｓ以下であることが好ましく、０．１ｍＰａ・ｓ以上２ｍＰａ・ｓ以下であることが更に好ましい。
【０１５６】
なお、第１の粒子３６として、中空構造体２６の内壁との斥力により凝集する粒子を用いる場合には、分散媒４２としては、第１の粒子３６および中空構造体２６の両者の斥力を阻害しない特性を有する液体が用いられ、上記挙げた分散媒４２から選択して用いることができるが、これらの分散媒４２の中から、非電解質の特性を有する分散媒４２を用いる事が好ましく、第１の実施の形態と同様に絶縁性液体であることが好ましい。
【０１５７】
―中間層―
表示媒体１２の表示基板１８と背面基板２０との間の、表示基板１８の背面基板２０側に積層された中空構造体２６より背面基板２０側には、上述のように、中間層３８が設けられている。
【０１５８】
本実施の形態の表示媒体１２における中間層３８は、上記第１の粒子３６が移動する孔を有すると共に、第１の粒子３６とは異なる光学的反射特性を有している。
【０１５９】
この中間層３８に設けられている孔は、少なくとも表示媒体１２に形成される電界勾配方向に通じる孔とされており、本実施の形態では、表示電極２４と背面電極３０とによって表示基板１８と背面基板２０との間に形成された電界勾配方向、すなわち表示基板１８と背面基板２０との向かい合う方向へ少なくとも通じる孔である。この中間層３８の孔は、少なくとも第１の粒子３６を構成する粒子が孔を通じて、表示基板１８及び背面基板２０の何れか一方の基板側から他方の基板側へと相互に移動する大きさに構成されている。
【０１６０】
この中間層３８が「第１の粒子３６とは異なる光学的反射特性を有する」とは、第１の粒子３６のみが分散している分散媒４２と、孔内に分散媒４２を浸透させた中空構造体２６と、を対比して目視で観察した場合に、色相や明度、鮮度などにおいて、両者の差異が識別できる差異があることを意味している。
【０１６１】
この中間層３８は、第１の粒子３６を遮蔽する機能を有していることが好ましい。ここで、本実施の形態における「隠蔽」とは、可視光に対して５０％以下の透過率を示す場合を意味している。
【０１６２】
このため、第１の粒子３６が中間層３８より表示基板１８側にある場合には第１の粒子３６の色が、第１の粒子３６が中間層３８より背面基板２０側にある場合には、中間層３８の色が表示媒体１２に表示される。
【０１６３】
この中間層３８の色は、明るい白い背景で表示を行なうことができるとの理由から、白色であることが好ましく、白色度が３０％以上であることが好ましく、４０％以上であることが特に好ましい。
なお、この白色度は、白さの尺度をいい、具体的にはＪＩＳ−Ｐ８１２３に記載の方法に従い、ハンター白色度計やＸ−rite測色計を用いて測定した値である。
【０１６４】
中間層３８の厚みは、少なくとも第１の粒子３６を構成する粒子の体積平均一次粒径以上であることが望ましい。中間層３８の孔部分から、中間層３８より背面基板２０側に存在する第１の粒子３６が観察される場合があるので、中間層３８の厚みは、第１の粒子３６の体積平均一次粒径の３倍以上であることがさらに望ましい。
【０１６５】
中間層３８の厚みは、具体的には、表示基板１８と背面基板２０との基板間の距離等にも依存するが、０．１μｍ以上５０００μｍ以下であることが好ましく、１μｍ以上５００μｍ以下であることが更に好ましい。
中間層３８の厚みが０．１μｍ未満であると十分な発色性が得られないと言う問題が生じる場合があり、厚みが５０００μｍを超えると、電極間距離が大きくなり高い駆動電圧が必要になると言う問題がある。
【０１６６】
中間層３８の全領域の屈折率は、分散媒４２の屈折率−０．２以上、分散媒４２の屈折率＋０．２以下の範囲内であることが好ましく、分散媒４２の屈折率−０．０５以上分散媒４２の屈折率＋０．０５以下の範囲内であることがより好ましく、分散媒４２の屈折率と同一であることが最も好ましい。
【０１６７】
中間層３８の屈折率が上記範囲内であれば、屈折率が上記範囲を外れる場合と比較して、中間層３８に起因する光散乱をより抑制できるため、さらに彩度が高い鮮明な色表示を行うことができると考えられる。
【０１６８】
屈折率は、レーザーによる測定器を用いる他、粒子に関しては、ベッケ線法、液浸法、波長ごとの減衰を測定する方法や、屈折臨界角を測定する方法などにより測定できる。
【０１６９】
この中間層３８の形態としては、上述のように、上記第１の粒子３６が移動する孔を有すると共に、第１の粒子３６とは異なる光学的反射特性を有すれば特に限定されず、酸化チタン、酸化亜鉛等の材料から構成される無機材料粒子や、メタクリル酸メチル樹脂、スチレンアクリル樹脂、シリコーン樹脂、ポリテトラフルオロエチレン樹脂等の材料から構成される有機材料粒子などの粒子状の部材（以下、第３の粒子４１と称して説明する）の集合体であってもよいし、樹脂シートや、不織布等を利用してもよい。
【０１７０】
中間層３８を、第２の粒子４１の集合体として構成する場合において、この第２の粒子４１の体積平均一次粒径は特に限定されるものではないが、この第２の粒子４１の集合体からなる中間層３８を表示基板１８と背面基板２０との間の領域に配置したときに、隣り合う第２の粒子４１の間隙を、第１の粒子３６が通過できる程度の体積平均一次粒径を有していることが望ましい。
【０１７１】
このため、第２の粒子４１の体積平均一次粒径は、第１の粒子３６の体積平均一次粒径の１０倍以上であることが望ましく、２５倍以上であることが望ましい。第２の粒子４１の体積平均一次粒径が、第１の粒子３６の体積平均一次粒径の１０倍未満では、中間層３８を構成する複数の第２の粒子４１間の隙間（孔）を介して第１の粒子３６が通過することが困難となる場合がある。なお、第２の粒子４１の体積平均一次粒径の上限は特に限定されないが、この第２の粒子４１の集合体として中間層３８を構成したときに、中間層３８と表示基板１８との間、及び中間層３８と背面基板２０との間に、第１の粒子３６の体積平均一次粒径程度の隙間が形成されるように、第２の粒子４１の充填率や積層させる層の数等に応じて調整すればよい。
【０１７２】
なお、本実施の形態において、第２の粒子４１の体積平均一次粒径は、上記第１の粒子３６と同様にして測定すればよい。
【０１７３】
また、中間層３８を、樹脂シートや不織布で構成する場合には、これらの樹脂シートや不織布を構成する材料としては、例えば、ポリエチレン、ポリスチレン、ポリエステル、ポリアクリル、ポリプロピレン、およびポリテトラフルオロエチレン（ＰＴＦＥ）等のフッ素化樹脂等を適用することができる。特に望ましく適用できるのは、第１の粒子３６が付着し難いので、ポリプロピレンおよびＰＴＦＥ系樹脂である。中間層３８を不織布で構成する場合には、これらの材料からなる繊維の集合体として構成すればよい。
【０１７４】
この中間層３８の空隙率としては５０％以上８０％以下であることが、第１の粒子３６が通過する通過性能と、表示媒体１２の高い発色性を両立させるとの理由から好ましい。
【０１７５】
また、中間層３８の孔の平均孔径は、第１の粒子３６を構成する粒子が通過可能なサイズであれば特に限定されないが、第１の粒子３６の平均粒径が、第１の粒子３６の体積平均一次粒径の１．２倍以上１００００倍以下の範囲内であることが好ましく、２倍以上１０００倍以下の範囲内であることがより好ましい。
中間層３８の孔の平均孔径が、第１の粒子３６の体積平均一次粒径の１．２倍未満であると、第１の粒子３６を構成する各粒子が孔を通って移動することが困難となる場合があり、１００００倍を超えると、間隙が大きくなるため発色が低下すると言う問題が生じる場合がある。
【０１７６】
また、中間層３８が不織布で構成される場合には、不織布を構成する繊維の目付けは、第1の粒子３６の通過率を良好にし、且つ表示媒体１２の厚みを薄くするとの理由から、目付け２０ｇ／ｍ２以上１００ｇ／ｍ２以下の範囲が良く、２０ｇ／ｍ２以上５０ｇ／ｍ２以下の範囲がより良い。
【０１７７】
また不織布を構成する繊維の径は、０．１μｍ以上２０μｍ以下の範囲、望ましくは０．１μｍ以上３μｍ以下の範囲にあることが、十分な表面積を確保し、かつ物理的強度を確保するとの理由から好ましい。
【０１７８】
次に、本実施の形態の表示装置１０及び書込装置１３について説明する。
【０１７９】
上述のように、表示装置１０は、上記表示媒体１２と、この表示媒体１２に画像を表示するための書込装置１３と、を含んで構成されている。
【０１８０】
書込装置１３は、電圧印加部１４と、制御部１６と、画像情報取得部１７と、を含んで構成されている。
電圧印加部１４は、制御部１６に信号授受可能に接続されるとともに、表示電極２４及び背面電極３０に電圧印加可能に接続されている。
【０１８１】
画像情報取得部１７は、表示装置１０及び書込装置１３の外部から表示媒体１２に表示する画像を示す画像情報を取得する。画像情報取得部１７としては、例えば、ＣＤ−Ｒ、ＦＤ（フロッピー(登録商標)ディスク）、ＭＤ、ＤＶＤ等の画像記録媒体から該画像記録媒体に記録されている画像情報を読み取るための一般的な読取装置や、無線または有線通信網を介して画像情報を取得するための一般的な通信装置等を用いることができる。
【０１８２】
制御部１６は、画像情報取得部１７が取得した画像情報に応じて電圧印加部１４から表示媒体１２に印加する電圧を制御する。制御部１６は、ＣＰＵ１６Ａ、ＲＯＭ１６Ｂ、ＲＡＭ１６Ｃ、及び図示を省略するハードディスク等を含むマイクロコンピュータで構成されている。このＣＰＵ１６Ａは、ＲＯＭ１６Ｂや図示を省略するハードディスク等に記憶されているプログラムに従って表示媒体１２への画像表示を行う。
【０１８３】
なお、表示媒体１２は、書込装置１３に対して着脱可能に設けられていてもよいし、書込装置１３に電気的に接続された状態で固定化されていてもよい。
表示媒体１２を書込装置１３に対して着脱可能に設けることによって、表示媒体１２の交換が可能となり、１台の書込装置１３を用いて複数の表示媒体１２への画像表示が可能となる。
【０１８４】
以下に、本実施の形態における表示媒体１２を備えた表示装置１０の制御部１６のＣＰＵ１６Ａで実行される処理を説明する。
【０１８５】
制御部１６のＣＰＵ１６Ａでは、図７に示す処理ルーチンによって示されるプログラムを制御部１６内のＲＯＭ１６Ｂまたはハードディスク等から読み取ることによって、図７に示す処理を実行する。
【０１８６】
なお、図７に示す処理ルーチンでは、表示媒体１２に封入されている第１の粒子３６としては、基板間に形成された電界によって基板間を移動する特性を有する粒子を用いた場合を説明する。
【０１８７】
また、本実施の形態では、説明を簡略化するために、画像情報取得部１７は、画像情報として、表示媒体１２の特定の１つのセルに表示する画像の色を示す情報を取得するものとし、該画像情報に基づいた色を表示媒体１２の対応する１つのセルに表示する場合を説明する。
【０１８８】
なお、本実施の形態では、電気泳動電圧情報と、閉鎖電圧情報と、開口電圧情報と、が予めＲＯＭ１６Ｂに記憶されている。
【０１８９】
電気泳動電圧情報は、表示媒体１２に表示する色を示す色情報に対応して予め記憶されている。
この電気泳動電圧情報とは、表示媒体１２に特定の色を表示するために表示基板１８と背面基板２０間に印加する電圧を示す情報であって、表示媒体１２内の第１の粒子３６が表示基板１８と背面基板２０との何れか一方の基板側から他方の基板側へ移動するための電圧の電圧値、電圧印加時間（以下、電気泳動時間と称する）、及び極性等を示す情報を含んでいる。この電気泳動電圧情報は、第１の粒子３６の構成、及び表示媒体１２の構成等によって定まる。
【０１９０】
なお、「極性」とは、表示電極２４と背面電極３０との何れを負極（マイナス極）とし、何れを正極（プラス極）として電圧を印加するかを示している。
【０１９１】
また、閉鎖電圧情報とは、中空構造体２６の連結孔２６Ｂを開口状態から閉鎖状態へと変化させるために必要な、表示基板１８と背面基板２０との間に印加する電圧の電圧値、電圧印加時間（以下、閉鎖時間と称する）、及び極性等を示す情報である。この閉鎖電圧情報は、連結孔２６Ｂを構成する材料の解離定数、ドナンポテンシャル、塩濃度、酸化還元電位や、その他の特性、及び表示媒体１２の構成等によって定まる。
【０１９２】
この閉鎖時間とは、例えば、閉鎖電圧情報に含まれる電圧値の電圧が表示電極２４と背面電極３０との間に印加されてから、開口状態にあった連結孔２６Ｂが、連結孔２６Ｂのとりうる最も孔径の小さい状態である閉鎖状態となるまでに要する時間を示している。
【０１９３】
また、開口電圧情報とは、中空構造体２６の連結孔２６Ｂを閉鎖状態から開口状態へと変化させるために必要な、表示基板１８と背面基板２０との間に印加する電圧の電圧値、電圧印加時間（以下、開口時間と称する）、及び極性等を示す情報である。この開口電圧情報は、連結孔２６Ｂを構成する材料の解離定数、ドナンポテンシャル、塩濃度、酸化還元電位や、その他の特性、及び表示媒体１２の構成等によって定まる。
【０１９４】
この開口時間とは、例えば、開口電圧情報に含まれる電圧値の電圧が表示電極２４と背面電極３０との間に印加されてから、閉鎖状態にあった連結孔２６Ｂが、連結孔２６Ｂのとりうる最も孔径の大きい状態である開口状態となるまでに要する時間を示している。
【０１９５】
なお、上記電気泳動電圧情報に示される、表示媒体１２内の第１の粒子３６が表示基板１８と背面基板２０との何れか一方の基板側から他方の基板側へ移動するための電圧の電圧値の絶対値は、開口電圧情報に示される連結孔２６Ｂを閉鎖状態から開口状態へと変化させるために必要な表示基板１８と背面基板２０との間に印加する電圧の電圧値の絶対値よりも大きい値となるように、予め調整されている。
【０１９６】
また、上記電気泳動電圧情報に示される、表示媒体１２内の第１の粒子３６が表示基板１８と背面基板２０との何れか一方の基板側から他方の基板側へ移動するための電圧の電圧値の絶対値は、閉鎖電圧情報に示される連結孔２６Ｂを開口状態から閉鎖状態へと変化させるために必要な表示基板１８と背面基板２０との間に印加する電圧の電圧値の絶対値よりも大きい値であるように、予め調整されている。
【０１９７】
また、開口電圧情報に示される連結孔２６Ｂを閉鎖状態から開口状態へと変化させるために必要な表示基板１８と背面基板２０との間に印加する電圧の電圧値と、閉鎖電圧情報に示される連結孔２６Ｂを開口状態から閉鎖状態へと変化させるために必要な表示基板１８と背面基板２０との間に印加する電圧の電圧値は、異なる値であり、好ましくは、極性が異なる事が好ましい。本実施の形態では、異なる極性であるとして説明する。
【０１９８】
なお、これらの電気泳動電圧情報、閉鎖電圧情報、及び開口電圧情報は、予め表示媒体１２毎に測定して、予めＲＯＭ１６Ｂに記憶すればよい。
【０１９９】
制御部１６のＣＰＵ１６Ａでは、所定時間毎に図７に示す処理ルーチンが実行されてステップ１００へ進む。
ステップ１００では、画像情報取得部１７が画像情報を取得したか否かを判別し、否定されると本ルーチンを終了し、肯定されるとステップ１０２へ進む。
【０２００】
ステップ１０２では、連結孔２６Ｂの開口電圧情報をＲＯＭ１６Ｂから読み取る。
【０２０１】
ステップ１０４では、ステップ１００で取得した画像情報に含まれる色情報を読み取る。
【０２０２】
次のステップ１０６では、上記ステップ１０４で読み取った色情報に対応する電気泳動電圧情報をＲＯＭ１６Ａから読取る。
【０２０３】
次のステップ１０８では、上記ステップ１０２で読み取った開口電圧情報を電圧印加部１４に出力する。開口電圧情報を受け付けた電圧印加部１４は、開口電圧情報に示される電圧の電圧値、開口時間、及び極性に基づいて、該電圧値の電圧を、該極性で、該開口時間、表示電極２４と背面電極３０との間に印加する。
【０２０４】
次のステップ１１０では、上記ステップ１０８で開口電圧情報を電圧印加部１４へ出力してから、該開口電圧情報に含まれる開口時間が経過したか否かを判別し、肯定されるまで否定判断を繰り返し、肯定されると、ステップ１１２へ進む。
【０２０５】
ステップ１０８〜ステップ１１０の処理によって、電圧印加部１４から表示電極２４及び背面電極３０へ開口電圧情報に応じた電圧が印加され、中空構造体２６の連結孔２６Ｂの孔径が拡がって、閉鎖状態から開口状態へと変化する。
【０２０６】
次のステップ１１２では、上記ステップ１０６で読み取った電気泳動電圧情報を電圧印加部１４へ出力し、次のステップ１１４において、ステップ１１２の処理終了から上記ステップ１１２で電圧印加部１４へ出力した電気泳動電圧情報に含まれる電気泳動時間が経過したか否かを判別し、肯定されるまで否定判断を繰り返し、肯定されると、ステップ１１６へ進む。
【０２０７】
ステップ１１２〜ステップ１１４の処理によって、例えば、表示基板１８側へ移動させるための電圧が表示電極２４と背面電極３０とに印加されて、分散媒４２中に分散されている第１の粒子３６が表示基板１８側に到る。このとき、上記ステップ１０８〜ステップ１１０の処理によって、中空構造体２６の連結孔２６Ｂは開口状態にあることから、表示基板１８側に到達した第１の粒子３６は、表示基板１８の背面基板２０との対向面に設けられている中空構造体２６の連結孔２６Ｂを介して第１の空間２６Ａ内に到る。
【０２０８】
ステップ１１６では、ＲＯＭ１６Ｂから連結孔２６Ｂの閉鎖電圧情報を読み取り、次のステップ１１８において、読み取った閉鎖電圧情報を電圧印加部１４へ出力する。
次のステップ１２０では、上記ステップ１１６で閉鎖電圧情報を電圧印加部１４へ出力してから、該閉鎖電圧情報に含まれる凝集時間が経過するまで否定判断を繰り返し、肯定されると、ステップ１２２へ進む。
【０２０９】
ステップ１１８〜ステップ１２０の処理によって、電圧印加部１４から表示電極２４及び背面電極３０へ、閉鎖電圧情報に応じた電圧が印加されることにより、中空構造体２６の連結孔２６Ｂの孔径が狭まり、開口状態から閉鎖状態へと変化する。このため、中空構造体２６の各第１の空間２６Ａ内に存在する第１の粒子３６は、連結孔２６Ｂを通過することが困難となり、第１の空間２６Ａ内に保持された状態となる。
【０２１０】
ステップ１２２では、電圧印加部１４へ表示媒体１２への電圧印加停止を示す信号を出力した後に、本ルーチンを終了する。電圧印加停止を示す信号を受け付けた電圧印加部１４は、表示媒体１２への電圧印加を停止する。
【０２１１】
例えば、図７に示す処理ルーチンの実行される前には、第１の粒子３６が背面基板２０側に存在しており、且つ、上記ステップ１００の処理で取得した画像情報に、第１の粒子３６の色を示す色情報が含まれている場合には、上記ステップ１００〜ステップ１１０の処理が行われることによって、中空構造体２６の連結孔２６Ｂは、第１の粒子３６の通過の困難な状態である閉鎖状態（図８（Ａ）参照）から、孔の拡がりによって、第１の粒子３６の通過の可能な状態である開口状態（図８（Ｂ）参照）へと変化する。
【０２１２】
さらに、上記ステップ１１２〜ステップ１１４の処理が実行されることによって、背面基板２０側に存在していた第１の粒子３６は分散媒４２中を電気泳動して（図８（Ｃ）参照）、表示媒体１２の中空構造体２６の開口状態にある連結孔２６Ｂを介して第１の空間２６Ａ内に到る（図８（Ｄ）参照）。
【０２１３】
ここで、さらに、ステップ１１６〜ステップ１２０の処理が実行されることによって、中空構造体２６の連結孔２６Ｂは、孔の狭まりによって、第１の粒子３６の通過の可能な状態である開口状態（図８（Ｄ）参照）から、第１の粒子３６の通過の困難な状態である閉鎖状態（図８（Ｅ）参照）へと変化する。
【０２１４】
ここで、図８（Ｅ）に示すように、第１の空間２６Ａ内には第１の粒子３６が到達した状態にある。このため、連結孔２６Ｂが開口状態から閉鎖状態へと変化することによって、第１の粒子３６は連結孔２６Ｂを通過することが困難となり、第１の空間２６Ａ内に到達した第１の粒子３６は第１の空間２６Ａ内に保持された状態となる。この状態で電圧印加部１４による電圧印加が停止されても、連結孔２６Ｂの閉鎖状態は保持されるため、第１の空間２６Ａ内に到達した第１の粒子３６は第１の空間２６Ａ内に保持される。
【０２１５】
このように、第１の粒子３６が連結孔２６Ｂを介して中空構造体２６の第１の空間２６Ａ間を移動することや、中空構造体２６の内部から外部へと移動することが抑制される。
従って、表示媒体１２の濃度変化が抑制される。
【０２１６】
なお、反対に、上記ステップ１００の処理で取得した画像情報に、表示媒体１２の中間層３８の色を示す色情報が含まれている場合には、上記ステップ１０２〜ステップ１２２の処理が行われることによって、例えば、表示基板１８側に設けられた中空構造体２６の連結孔２６Ｂが図８（Ｅ）に示す閉鎖状態から、図８（Ｄ）に示す開口状態へと変化する。そして、この連結孔２６Ｂが開口状態へと変化した後に、中空構造体２６の第１の空間２６Ａ内に保持されていた第１の粒子３６が、開口状態にある連結孔２６Ｂを介して中空構造体２６の外部へと電気泳動し（図８（Ｃ）参照）、さらに、中間層３８の孔を介して背面基板２０側へと到る（図８（Ｂ）参照）。そして。さらに、中空構造体２６の連結孔２６Ｂが開口状態（図８（Ｂ）参照）から閉鎖状態（図８（Ａ）参照）へと変化する。これによって、表示基板１８側から視認されたときには、中間層３８の色が視認され、多色表示が可能となる。
さらに、表示基板１８側に設けられている中空構造体２６の連結孔２６Ｂは第１の粒子３６が背面基板２０側に移動した後に、閉鎖状態とされることから、背面基板２０側に移動した第１の粒子３６群の色による表示媒体１２の濃度変化が抑制される。
【０２１７】
なお、本実施の形態では、第１の粒子３６として色が同じ１種類の粒子が表示基板１８と背面基板２０との間に封入されている場合を説明したが、第１の粒子３６として、更に、互いに色及び電気泳動電圧範囲の異なる複数種類の粒子を基板間に封入してもよい。この場合には、表示媒体１２に表示する色に応じた種類の第１の粒子３６を移動させるための電圧を選択的に印加して、色の異なる第１の粒子３６の組み合わせによる多色表示を実現してもよい。
【０２１８】
また、この場合についても、上記と同様に、これらの複数種類の第１の粒子３６各々の電気泳動電圧情報に示される、表示基板１８と背面基板２０との何れか一方の基板側から他方の基板側へ移動するための電圧の電圧値の絶対値は、開口電圧情報に示される連結孔２６Ｂを閉鎖状態から開口状態へと変化させるために必要な表示基板１８と背面基板２０との間に印加する電圧の電圧値の絶対値よりも大きい値となるように、予め調整すればよい。
【０２１９】
また、上記と同様に、これらの複数種類の第１の粒子３６各々の電気泳動電圧情報に示される、表示基板１８と背面基板２０との何れか一方の基板側から他方の基板側へ移動するための電圧の電圧値の絶対値は、閉鎖電圧情報に示される連結孔２６Ｂを開口状態から閉鎖状態へと変化させるために必要な表示基板１８と背面基板２０との間に印加する電圧の電圧値の絶対値よりも大きい値となるように、予め調整すればよい。
【０２２０】
さらに、この場合には、目的とする色に応じた第１の粒子３６を移動する電圧を示す電気泳動電圧情報を、対応する色情報に対応づけてＲＯＭ１６Ｂに予め記憶しておけばよい。
【０２２１】
以上説明したように、本実施の形態の表示装置１０及び書込装置１３によれば、表示基板１８の背面基板２０との対向面側に少なくとも面方向に配列された第１の空間２６Ａと、第１の刺激としての電界刺激の付与によって孔径が変化し、少なくとも孔径の最も大きい開口状態において上記第１の空間２６Ａと外部とを連通すると共に、少なくともこの開口状態において、外部から第１の空間２６Ａ内に入り込むために第１の粒子３６が通過する連結孔２６Ｂと、を備えた中空構造体２６を備えた構成であり、電界刺激によって連結孔２６Ｂを開口状態とした後に、表示基板１８側へ第１の粒子３６が電気泳動する電圧を印加して第１の粒子３６を中空構造体２６の第１の空間２６Ａ内へ到達させ、更に、連結孔２６Ｂを第１の粒子３６の通過の困難な閉鎖状態とする。
このため、表示媒体１２の画像保持性の低下が抑制される。
【０２２２】
なお、本実施の形態では、表示媒体１２内に中間層３８が設けられている場合を説明したが、図９に示す表示媒体１２Ａのように、中間層３８の設けられていない構成であってもよい。
【０２２３】
図９に示す表示装置１０Ａは、表示媒体１２Ａと、書込装置１３と、を含んで構成されている。表示媒体１２Ａは、表示基板１８と、背面基板２０と、間隙部材３４と、分散媒４２と、第１の粒子３６と、中空構造体２６と、を含んで構成されている。なお、表示装置１０Ａは、表示媒体１２Ａが上記説明した表示媒体１２の構成の内の中間層３８を含まない構成である以外は表示装置１０と同一の構成であるため、同じ機能及び部分には同一符号を付与して詳細な説明を省略する。
【０２２４】
また、本実施の形態では、表示媒体１２の表示基板１８側にのみ中空構造体２６が設けられている場合を説明したが、図１０に示すように、背面基板２０側に更に第１の粒子３６を拘束する拘束層３１が設けられた構成であってもよい。
【０２２５】
図１０に示す表示装置１０Ｂは、表示媒体１２Ｂと、書込装置１３と、を含んで構成されている。表示媒体１２Ｂは、上記説明した表示媒体１２の構成に、更に、拘束層３１を含んだ構成であり、その他の構成は表示装置１０、及び表示媒体１２と同一構成であるため詳細な説明を省略する。
【０２２６】
この拘束層３１は、背面基板２０の表示基板１８との対向面側に積層されている。
拘束層３１は、第１の粒子３６を拘束するための層であって、基板間に形成された電界に応じて、第１の粒子３６を拘束可能な構成であればよい。
【０２２７】
なお、上記表示媒体１２Ｂの構成とすることにより、画像保持性の低下を抑制することができ、また、濃度変動を抑制することができるので、必ずしも拘束層３１を背面基板２０側に更に設けなくてもよいが、このように背面基板２０に拘束層３１を設けた構成の表示媒体１２Ｂ（図１０参照）とすることによって、背面基板２０に拘束層３１が設けられていない表示媒体１２に比べて、さらに画像保持性の低下を抑制することができる。
【０２２８】
この拘束層３１としては、上記特性を有する層であればそのような構成であってもよいが、例えば、拘束層３１としては、上記説明した中空構造体２６と同一構成であってもよく、また、第１の粒子３６を拘束するための表面処理がなされた層であってもよい。
【０２２９】
この表面処理としては、例えば、背面基板２０の分散媒４２と接する側の表面を第１の粒子３６とは異なる帯電極性で帯電する帯電処理を行うあるいは同じ極性で帯電させる、さらには、該背面基板２０の該表面に、表面自由エネルギーや粘着性を制御する処理を施すなど、第１の粒子３６と背面基板２０の表面との作用力に応じて適宜選択される。
【０２３０】
拘束層３１の上記帯電処理は、例えば、第１の粒子３６が正極に帯電している場合には、負極に帯電させる負帯電処理を行い、第１の粒子３６が負極に帯電している場合には、正極に帯電させる正帯電処理を行うという電気的な作用を使うことが拘束力を高める上で好ましい。
【０２３１】
具体的には、この帯電処理は、化学的な処理により行われることがよく、例えば、酸性基あるいは塩基性基で修飾されてなることがよい。具体的には、例えば、正帯電処理を施す場合、塩基性化合化合物を用いて処理を施すことがよく、負帯電処理を施す場合には、酸性化合物を用いて処理を施すことがよい。例えば、塩基性化合物により処理が行われると塩基性基（例えばＮＨ３＋）が表面に配置されて正に帯電される。一方、酸性化合物により処理が行われると、酸性基（例えばＳＯ３−、ＣＯＯ−）が表面に配置されて負に帯電される。
【０２３２】
正帯電処理を施すための塩基性化合物としては、例えば、以下のものを使用することができるが、これに限られるわけではない。
・ｐｏｌｙａｌｌｙｌａｍｉｎｅ  ｈｙｄｒｏｃｈｌｏｒｉｄｅ
・ｐｏｌｙ（ｐ−ｐｈｅｎｙｌｅｎｅ  ｖｉｎｙｌｅｎｅ）
・ｐｏｌｙ（ｐ−ｍｅｔｙｌｐｙｒｉｄｉｎｉｕｍ  ｖｉｎｙｌｅｎｅ）
・ｐｒｏｔｏｎａｔｅｄ  ｐｏｌｙ（ｐ−ｐｙｒｉｄｙｌ  ｖｉｎｙｌｅｎｅ）
・ｐｏｌｙ（２−Ｎ−ｍｅｔｈｙｌｐｙｒｉｄｉｎｉｕｍ  ａｃｅｔｙｌｅｎｅ）
・γ−Ａｍｉｎｏｐｒｏｐｙｌｔｒｉｅｔｈｏｘｙｓｉｌａｎｅ
・Ｎ−［３−（トリメトキシシリル）プロピル］エチレンジアミン
【０２３３】
負帯電処理を施すための酸性化合物としては、例えば、以下のものを使用することができるが、これに限られるわけではない。
・ｓｕｌｆｏｎａｔｅｄ  ｐｏｌｙａｎｉｌｉｎｅ
・ｐｏｌｙ（ｔｈｉｏｐｈｅｎｅ−３−ａｃｅｔｉｃ−ａｃｉｄ）
・ｓｕｌｆｏｎａｔｅｄ  ｐｏｌｙｓｔｙｒｅｎｅ
・ｐｏｌｙｖｉｎｙｌｓｕｌｆａｔｅ  ｐｏｔａｓｓｉｕｍ  ｓａｌｔ
・Ｐｏｌｙ−４−ｖｉｎｙｌｂｅｎｚｙｌ−（Ｎ，Ｎ−ｄｉｅｔｈｙｌ−Ｎ−ｍｅｔｈｙｌ−）ａｍｍｏｎｉｕｍ  ｉｏｄｉｄｅ
・カルボキシエチルシラントリオール
【０２３４】
これらの化合物を用いて基板を処理するには、例えば次のようにして行うことが可能である。これらの化合物をメタノール、エタノール、ＩＰＡなどのアルコール、水、又はアルコールと水の混合液に０．０１ｗｔ％以上１０ｗｔ％以下となるように溶解し、その中に、基板を１分以上６０分以下浸漬する。その後、アルコール、水、又はアルコールと水の混合液により基板に付着した過剰の液を洗い落とす。その後、１００℃以上１５０℃以下で５分以上６０分以下乾燥させることにより、基板の処理を行うことができる。化合物をアルコール、水、又はアルコールと水の混合液に溶解する際、塩酸、酢酸、アンモニア水等を０．０１ｗｔ％以上１０ｗｔ％以下添加することも有効である。
【０２３５】
また、被処理面によっては、酸性化合物により処理を施したのち、塩基性化合物を処理することもできる。無論、その逆を行うことができる。さらには、上記のようなシランカップリング剤のほかにも、前記したような酸性基や塩基性基を持ったポリマーを使用し、表面にコートすることも望ましい。
その他にも拘束層３１の表面処理としては、フッ素系化合物（例えばフッ素系置換基をもったシランカップリング剤など）、長鎖アルキル系化合物（例えば長鎖アルキル置換基をもったシランカップリング剤など）、フッ素系ポリマーなどの種々ポリマーなどを反応させる、あるいはコートすることも望ましい。
【０２３６】
上記説明した拘束層３１としては、画像保持性の観点から、上記説明した中空構造体２６と同一構成であることがより望ましい。
【０２３７】
上述の拘束層３１を設けることによって、表示基板１８と背面基板２０との基板間に電界が形成されることで背面基板２０側に到達した第１の粒子３６を背面基板２０側に拘束することができるので、さらに、表示媒体１２Ｂの画像保持性の低下を抑制することができる。
【０２３８】
なお、上記図７に示す処理ルーチンでは、表示媒体１２に封入されている第１の粒子３６としては、基板間に形成された電界によって基板間を移動する特性を有する第１の粒子３６を用いる場合を説明したが、この基板間に形成された電界によって基板間を移動する特性と共に、中空構造体２６の内壁と粒子表面との斥力によって中空構造体２６の第１の空間２６Ａの内部に凝集された状態で保持される特性を更に有したものを用いてもよい。
【０２３９】
この場合には、上記図７に示す処理ルーチンが実行されることによって、例えば、該処理ルーチンの実行される前には、第１の粒子３６が背面基板２０側に存在しており、且つ、上記ステップ１００の処理で取得した画像情報に、第１の粒子３６の色を示す色情報が含まれている場合には、図１１に示すように、上記ステップ１００〜ステップ１１０の処理が行われることによって、中空構造体２６の連結孔２６Ｂは、孔の拡がりによって、第１の粒子３６の通過の困難な状態である閉鎖状態（図１１（Ａ）参照）から、第１の粒子３６の通過の可能な状態である開口状態（図１１（Ｂ）参照）へと変化する。
【０２４０】
さらに、上記ステップ１１２〜ステップ１１４の処理が実行されることによって、背面基板２０側に存在していた第１の粒子３６は分散媒４２中を電気泳動して（図１１（Ｃ）参照）、表示媒体１２の中空構造体２６の開口状態にある連結孔２６Ｂを介して第１の空間２６Ａ内に到る（図１１（Ｄ）参照）。
【０２４１】
ここで、第１の空間２６Ａ内に到った第1の粒子３６は、第1の空間２６Ａ内において、中空構造体２６の内壁と第1の粒子３６表面との斥力によって中空構造体２６の第１の空間２６Ａの内部に凝集された状態で保持される。
【０２４２】
さらに、ステップ１１６〜ステップ１２０の処理が実行されることによって、中空構造体２６の連結孔２６Ｂは、孔の狭まりによって、第１の粒子３６の通過の可能な状態である開口状態（図１１（Ｄ）参照）から、第１の粒子３６の通過の困難な状態である閉鎖状態（図１１（Ｅ）参照）へと変化する。
【０２４３】
ここで、図１１（Ｅ）に示すように、第１の空間２６Ａ内には第１の粒子３６が到達し、且つ凝集した状態にある。このため、連結孔２６Ｂが開口状態にあるときにおいても第1の空間２６Ａ内に到達した第1の粒子３６が連結孔２６Ｂを介して外部へと移動することが抑制される。さらに、連結孔２６Ｂが開口状態から閉鎖状態へと変化することによって、第１の粒子３６は連結孔２６Ｂを通過することが更に困難となり、第１の空間２６Ａ内に到達した第１の粒子３６は第１の空間２６Ａ内に保持された状態となる。この状態で電圧印加部１４による電圧印加が停止されても、連結孔２６Ｂの閉鎖状態は保持されるため、第１の空間２６Ａ内に到達した第１の粒子３６は第１の空間２６Ａ内に保持される。
【０２４４】
このように、第１の粒子３６が中空構造体２６の第1の空間２６Ａ内において凝集された状態で保持されることから、第1の粒子３６として、表示基板１８と背面基板２０との基板間に形成された電界によって基板間を移動するという特性と共に、中空構造体２６の内壁と粒子表面との斥力によって中空構造体２６の第１の空間２６Ａの内部に凝集された状態で保持される特性を有することによって、更に、第1の粒子３６が連結孔２６Ｂを介して中空構造体２６の第１の空間２６Ａ間を移動することや、中空構造体２６の内部から外部へと移動することが抑制される。
従って、更に表示媒体１２の濃度変化が抑制される。
【０２４５】
なお、上記実施の形態では、中空構造体２６としては、第１の刺激として、電界の作用によって連結孔２６Ｂの孔径が変化する場合を説明したが、分散媒４２のｐＨの変化によって、連結孔２６Ｂの孔径を変化させてもよい。
【０２４６】
この場合には、分散媒４２としては、電気分解によってｐＨ変化を生じるものであればよく、たとえば水や有機溶剤やそれらの混合物を用い、中空構造体２６としては、連結孔２６Ｂを形作っている管状体２７Ａを調整するために用いる刺激応答材料として、分散媒４２のｐＨの変化によって応答する材料を用いれば良い。
ここで、この分散媒４２のｐＨの変化は、分散媒４２に電界が作用することで分散媒４２の電気分解が生じることによって生じる。連結孔２６Ｂの孔径の変化は、この分散媒４２の電気分解によるｐＨの変化によって、連結孔２６Ｂを構成する管状体２７Ａを構成する材料がたとえば酸性基を有するものであればｐＨ上昇で体積増加し開口状態となりｐＨ低下で体積減少により閉塞状態となる。逆に連結孔２６Ｂを構成する管状体２７Ａを構成する材料がたとえば塩基性基を有するものであればｐＨ上昇で体積減少し閉塞状態となりｐＨ低下で体積増加により開口状態となる。
【０２４７】
このような分散媒４２のｐＨの変化により連結孔２６Ｂを開口状態または閉鎖状態へ変化させるために、表示基板１８と背面基板２０との基板間には、分散媒４２を電気分解させるための所定の電界を印加すればよく、この電界を形成するために表示基板１８と背面基板２０との間に印加する電圧の電圧値や電圧印加時間は、管状体２７Ａを構成する材料や、解離定数、イオン濃度、温度等によって異なるが、表示媒体１２として構成したときに予め測定すればよい。
【０２４８】
このようなｐＨの作用により孔径の変化する連結孔２６Ｂを形づくっている管状体２７Ａを構成する刺激応答材料としては、具体的には、電解質系高分子材料が好ましく、ポリ（メタ）アクリル酸の架橋物やその塩、（メタ）アクリル酸と（メタ）アクリルアミド、ヒドロキシエチル（メタ）アクリレート、（メタ）アクリル酸アルキルエステルなどとの共重合体の架橋物やその塩、ポリマレイン酸の架橋物やその塩、マレイン酸と（メタ）アクリルアミド、ヒドロキシエチル（メタ）アクリレート、（メタ）アクリル酸アルキルエステルなどとの共重合体の架橋物やその塩、ポリビニルスルホン酸の架橋物やビニルスルホン酸と（メタ）アクリルアミド、ヒドロキシエチル（メタ）アクリレート、（メタ）アクリル酸アルキルエステルなどとの共重合体の架橋物、ポリビニルベンゼンスルホン酸の架橋物やその塩、ビニルベンゼンスルホン酸と（メタ）アクリルアミド、ヒドロキシエチル（メタ）アクリレート、（メタ）アクリル酸アルキルエステルなどとの共重合体の架橋物やその塩、ポリアクリルアミドアルキルスルホン酸の架橋物やその塩、アクリルアミドアルキルスルホン酸と（メタ）アクリルアミド、ヒドロキシエチル（メタ）アクリレート、（メタ）アクリル酸アルキルエステルなどとの共重合体の架橋物やその塩、ポリジメチルアミノプロピル（メタ）アクリルアミドの架橋物やその塩酸塩、ジメチルアミノプロピル（メタ）アクリルアミドと（メタ）アクリル酸、（メタ）アクリルアミド、ヒドロキシエチル（メタ）アクリレート、（メタ）アクリル酸アルキルエステルなどとの共重合体の架橋物やその４級化物や塩、ポリジメチルアミノプロピル（メタ）アクリルアミドとポリビニルアルコールとの複合体の架橋物やその４級化物や塩、ポリビニルアルコールとポリ（メタ）アクリル酸との複合体の架橋物やその塩、カルボキシアルキルセルロース塩の架橋物、ポリ（メタ）アクリロニトリルの架橋物の部分加水分解物やその塩などが例示できる。
【０２４９】
これらの中でも、コストやハンドリングの理由から、ポリ（メタ）アクリル酸の架橋物やその塩やそれらの誘導体が好適に用いられる。
【０２５０】
この刺激応答材料の溶媒としては、電気分解によってｐＨ変化を生じるものであればよく公知の溶媒が用いられるが、具体的には、たとえば水や有機溶剤やそれらの混合物等が用いられる。
【０２５１】
上記ｐＨの作用により応答する刺激応答材料を、連結孔２６Ｂを構成する管状体２７Ａを構成する材料として用いる以外は、上記説明した中空構造体２６と同様にして作製することで、コロイド粒子構造体２９（図５参照）と同じ形状の第１の空間２６Ａと、第１の刺激としてｐＨ変化により孔径の変化する管状体２７Ａによって形成されている連結孔２６Ｂと、を有する、ネガ型の中空構造体２６が作製される。
【０２５２】
なお、中空構造体２６の作製方法は、上記方法に限られるものではなく、上記の連結孔２６Ｂ及び第１の空間２６Ａが設けられた構成の中空構造体で２６が製造できればどのような方法を用いてもよい。
【０２５３】
このようなｐＨの変化によって連結孔２６Ｂの孔径の変化する中空構造体２６を用いた場合についても同様に、図７に示す処理ルーチンが実行されることによって、濃度変化を抑制可能な表示装置１０が提供される。
【０２５４】
具体的には、閉鎖電圧情報として、中空構造体２６の連結孔２６Ｂを開口状態から閉鎖状態へと変化させるために必要な、表示基板１８と背面基板２０との間に印加する電圧の電圧値、閉鎖時間、及び極性等を示す情報に換えて、分散媒４２の電気分解によって中空構造体２６の連結孔２６Ｂを開口状態から閉鎖状態へと変化させるために必要な、表示基板１８と背面基板２０との間に印加する電圧の電圧値、閉鎖時間、及び極性等を示す情報を予めＲＯＭ１６Ｂに記憶すると共に、開口電圧情報として、中空構造体２６の連結孔２６Ｂを閉鎖状態から開口状態へと変化させるために必要な、表示基板１８と背面基板２０との間に印加する電圧の電圧値、閉鎖時間、及び極性等を示す情報に換えて、分散媒４２の電気分解によって中空構造体２６の連結孔２６Ｂを閉鎖状態から開口状態へと変化させるために必要な、表示基板１８と背面基板２０との間に印加する電圧の電圧値、閉鎖時間、及び極性等を示す情報を予めＲＯＭ１６Ｂに記憶すればよい。
【０２５５】
このようにすれば、ｐＨの変化によって連結孔２６Ｂの孔径の変化する中空構造体２６を用いた場合についても同様に、図７に示す処理ルーチンが実行されることによって、濃度変化を抑制可能な表示装置１０が提供される。
【０２５６】
（第２の実施の形態）
上記第１の実施の形態では、第１の粒子３６として、表示基板１８と背面基板２０との基板間に形成された電界によって基板間を移動するという特性を有する粒子、または表示基板１８と背面基板２０との基板間に形成された電界によって基板間を移動するという特性と共に、中空構造体２６の内壁と粒子表面との斥力によって中空構造体２６の第１の空間２６Ａの内部に凝集された状態で保持される特性を有する粒子を用いる場合を説明した。本実施の形態では、第１の粒子３６として、表示基板１８と背面基板２０との間に形成された電界によって基板間を移動するという特性を有すると共に、第２の刺激として表示基板１８と背面基板２０との間に形成された電界の作用により凝集または分散する特性を有する第1の粒子３６を用いる場合を説明する。
【０２５７】
なお、本実施の形態は、上記実施の形態と同様の構成のため、同一部分には同一符号を付与して詳細な説明を省略する。
【０２５８】
本実施の形態に係る表示装置１０Ｃは、図１２に示すように、表示媒体１２Ｃと、書込装置１３Ｃと、を含んで構成されている。
【０２５９】
書込装置１３Ｃは、電圧印加部１４、画像情報取得部１７、及び制御部５０を含んで構成されている。電圧印加部１４、及び画像情報取得部１７は、制御部５０に信号授受可能に接続されている。
【０２６０】
なお、表示媒体１２Ｃが本発明の表示媒体に相当し、表示装置１０Ｃが本発明の表示装置に相当し、書込装置１３Ｃが、本発明の書込装置に相当する。また、電圧印加部１４が、本発明の表示装置及び書込装置の電圧印加手段に相当する。
【０２６１】
表示媒体１２Ｃは、画像表示面とされる表示基板１８、表示基板１８に間隙をもって対向する背面基板２０、これらの基板間を所定間隔に保持すると共に、表示基板１８と背面基板２０との間を複数のセルに区画する間隙部材３４、各セル内に封入された、分散媒４２、中空構造体２６、中間層３８、及び第１の粒子３６Ａを含んで構成されている。
【０２６２】
この中空構造体２６の連結孔２６Ｂの孔径を変化させる第１の刺激としては、上記第１の実施の形態と同様に、電界の作用を用いる場合を説明する。
すなわち、本第２の実施の形態においては、中空構造体２６の連結孔２６Ｂは、第１の刺激として、電界の作用により開口状態または閉鎖状態へと変化する。
【０２６３】
本実施の形態で用いる第１の粒子３６Ａは、基板間に形成された電界によって基板間を移動すると共に、第２の刺激として、表示基板１８と背面基板２０との基板間に形成された電界の作用によって凝集または分散する特性を有している。
【０２６４】
この第１の粒子３６Ａの電界の作用による分散媒４２中の凝集及び分散は、第１の粒子３６Ａの、少なくとも分散媒４２と接する面（表面）を構成する材料に電界を作用させることで、該表面を構成する材料の酸化還元反応により第１の粒子３６Ａの親水性を増大または疎水性を増大させることによって生じる。
【０２６５】
このため、電界を作用させて第１の粒子３６Ａの表面を構成する材料が疎水性の分散媒４２中で分散している状態で酸化あるいは還元反応を行い粒子が荷電状態になり親水性が上昇した場合には第１の粒子３６Ａは凝集する。逆に親水性の分散媒４２中において荷電状態で分散している第１の粒子３６Ａに酸化あるいは還元反応を行い、荷電状態を弱め疎水性が上昇した場合には第１の粒子３６Ａは分散する。
【０２６６】
この酸化還元反応を生じさせるために表示基板１８と背面基板２０との基板間に印加する電圧の電圧値及び電圧印加時間は、第１の粒子３６Ａの表面を構成する材料の酸化還元電位に応じて予め定めればよい。
【０２６７】
第１の粒子３６Ａ表面に電荷が存在する場合には対イオンおよび溶媒和による電気二重層が形成されている。電荷の種類、分散媒などの条件にもよるが、ある一定以上の高電圧を印加すると電気二重層のストリッピングが起こり粒子の表面電荷がむき出しになる結果、分散状態が不安定になるため凝集する。
【０２６８】
第２の刺激としての電界の作用により分散状態または凝集状態となる第１の粒子３６Ａを構成するためには、上記第１の実施の形態で説明した電界の作用により基板間を移動する粒子として調整した第１の粒子３６の表面を更に酸化還元活性な材料で修飾すればよい。
【０２６９】
この酸化還元活性な材料としては、フェロセン誘導体、コバルトセニウム、ルテニウムなどの金属錯体、遷移金属、フラーレン誘導体、ポルフィリン、拡大ポルフィリン、ピロール系化合物、フェノチアジン、ビオロゲン誘導体、フェノチアジン誘導体、チオフェン系化合物、アニリン系化合物、カルバゾール誘導体、テトラチアフルバレン誘導体、ジアミン系化合物、フタロシアニン系化合物、ヒドラゾン系化合物、オキサジアゾール誘導体、ペリレン誘導体、ナフタレン誘導体等が挙げられる。
【０２７０】
この粒子表面を酸化還元活性な材料で修飾する方法としては、カップリング剤等による活性基の導入やプラズマ放電やコロナ放電やＸ線照射などによる表面活性化等を用いればよい。
【０２７１】
このような電界の作用により凝集状態または分散状態となる第１の粒子３６Ａを作製する方法としては、従来公知のどの方法を用いてもよい。例えば、特開平７−３２５４３４公報記載のように、樹脂、顔料および帯電制御剤を所定の混合比になるように計量し、樹脂を加熱溶融させた後に顔料を添加して混合、分散させ、冷却した後、ジェットミル、ハンマーミル、ターボミル等の粉砕機を用いて粒子を調製し、得られた粒子をその後分散媒に分散する方法が使用できる。また、懸濁重合、乳化重合、分散重合等の重合法やコアセルベーション、メルトディスパージョン、エマルジョン凝集法で帯電制御剤を粒子中に含有させた粒子を調製し、その後分散媒に分散して粒子分散液を作製してもよい。さらにまた、樹脂が可塑化可能で、分散媒が沸騰せず、かつ、樹脂、帯電制御剤および／または着色剤の分解点よりは低い温度で、前記の樹脂、着色剤、帯電制御剤および分散媒の原材料を分散および混錬することができる適当な装置を用いる方法がある。具体的には、流星型ミキサー、ニーダー等で顔料と樹脂、帯電制御剤を分散媒中で加熱溶融し、樹脂の溶媒溶解度の温度依存性を利用して、溶融混合物を撹拌しながら冷却し、凝固／析出させて粒子を作製する。
そして、この作製した粒子の表面を、上記酸化還元活性な材料で修飾することによって、電界の作用によって凝集状態または分散状態となる第１の粒子３６を調整すればよい。
【０２７２】
さらにまた、分散および混練のための粒状メデイアを装備した適当な容器、例えばアトライター、加熱したボールミル等の加熱された振動ミル中に上記の原材料を投入し、この容器を好ましい温度範囲、例えば８０℃〜１６０℃で分散および混練する方法が使用できる。粒状メデイアとしては、ステンレス鋼、炭素鋼等の鋼、アルミナ、ジルコニア、シリカ等が好ましく用いられる。この方法によって粒子を作製するには、あらかじめ充分に流動状態にした原材料をさらに粒状メデイアによって容器内に分散させた後、分散媒を冷却して分散媒から着色剤を含む樹脂を沈殿させる。粒状メデイアは冷却中および冷却後にも引き続き運動状態を保ちながら、剪断および／または、衝撃を発生させ粒子径を小さくする。そして、この作製した粒子の表面を、上記酸化還元活性な材料で修飾することによって、電界の作用によって凝集状態または分散状態となる第１の粒子３６Ａを調整すればよい。
【０２７３】
表示媒体１２Ｃにおける表示色の変化は、この分散媒４２中の複数の第１の粒子３６Ａの分散媒４２中の移動によって生じる。
【０２７４】
この第１の粒子３６Ａの分散媒４２中における電界による移動、及び泳動電圧範囲の調整方法については、第１の実施の形態で説明した第１の粒子３６と同一であるため詳細な説明を省略する。
【０２７５】
なお、本実施の形態においては、表示媒体１２Ｃには、第１の粒子３６Ａ、すなわち一色の粒子のみが封入されている場合を説明するが、このような形態に限られず、互いに色及び上記泳動電圧範囲の異なる複数種類の粒子が封入されていてもよい。この場合には、複数種の第１の粒子３６Ａの種類（各色）毎に、互いに上記説明した泳動電圧範囲が異なるように、第１の粒子３６Ａを予め調整すればよい。このようにすれば、特定の泳動電圧範囲の電圧を基板間に印加することによって、基板間において移動対象となる色の第１の粒子３６Ａを選択的に移動させることができ、第１の粒子３６Ａの基板間の移動による多色表示が可能となる。
【０２７６】
なお、セル中の全質量に対する第１の粒子３６Ａの好ましい含有量（重量％）及び、好ましい体積平均一次粒径については、上記第１の実施の形態で説明した第１の粒子３６と同じであるため説明を省略する。
【０２７７】
次に、本実施の形態の表示装置１０Ｃ及び書込装置１３Ｃについて説明する。
上述のように、表示装置１０Ｃは、上記表示媒体１２Ｃと、この表示媒体１２Ｃに画像を表示するための書込装置１３Ｃと、を含んで構成されている。
【０２７８】
書込装置１３Ｃは、電圧印加部１４と、制御部５０と、画像情報取得部１７と、を含んで構成されている。
電圧印加部１４は、制御部５０に信号授受可能に接続されるとともに、表示電極２４及び背面電極３０に電圧印加可能に接続されている。
【０２７９】
画像情報取得部１７は、表示装置１０Ｃ及び書込装置１３Ｃの外部から表示媒体１２Ｃに表示する画像を示す画像情報を取得する。
【０２８０】
制御部５０は、画像情報取得部１７が取得した画像情報に応じて電圧印加部１４から表示媒体１２Ｃに印加する電圧を制御する。制御部５０は、ＣＰＵ５０Ａ、ＲＯＭ５０Ｂ、ＲＡＭ５０Ｃ、及び図示を省略するハードディスク等を含むマイクロコンピュータで構成されている。このＣＰＵ５０Ａは、ＲＯＭ５０Ｂや図示を省略するハードディスク等に記憶されているプログラムに従って表示媒体１２Ｃへの画像表示を行う。
【０２８１】
なお、表示媒体１２Ｃは、書込装置１３Ｃに対して着脱可能に設けられていてもよいし、書込装置１３Ｃに電気的に接続された状態で固定化されていてもよい。
表示媒体１２Ｃを書込装置１３Ｃに対して着脱可能に設けることによって、表示媒体１２Ｃの交換が可能となり、１台の書込装置１３Ｃを用いて複数の表示媒体１２Ｃへの画像表示が可能となる。
【０２８２】
以下に、本実施の形態における表示媒体１２Ｃを備えた表示装置１０Ｃの制御部５０のＣＰＵ５０Ａで実行される処理を説明する。
【０２８３】
制御部５０のＣＰＵ５０Ａでは、図１３に示す処理ルーチンによって示されるプログラムを制御部５０内のＲＯＭ５０Ｂまたはハードディスク等から読み取ることによって、図１３に示す処理を実行する。
【０２８４】
なお、本実施の形態では、説明を簡略化するために、画像情報取得部１７は、画像情報として、表示媒体１２の特定の１つのセルに表示する画像の色を示す情報を取得するものとし、該画像情報に基づいた色を表示媒体１２の対応する１つのセルに表示する場合を説明する。
【０２８５】
また、本実施の形態では、電気泳動電圧情報と、閉鎖電圧情報と、開口電圧情報と、分散電圧情報と、凝集電圧情報と、が予めＲＯＭ５０Ｂに記憶されている。
【０２８６】
電気泳動電圧情報は、表示媒体１２Ｃに表示する色を示す色情報に対応して予め記憶されている。
この電気泳動電圧情報とは、表示媒体１２Ｃに特定の色を表示するために表示基板１８と背面基板２０間に印加する電圧を示す情報であって、表示媒体１２内の第１の粒子３６Ａが表示基板１８と背面基板２０との何れか一方の基板側から他方の基板側へ移動するための電圧の電圧値、電圧印加時間（以下、電気泳動時間と称する）、及び極性等を示す情報を含んでいる。この電気泳動電圧情報は、第１の粒子３６Ａの構成、及び表示媒体１２Ｃの構成等によって定まる。
【０２８７】
なお、「極性」とは、表示電極２４と背面電極３０との何れを負極（マイナス極）とし、何れを正極（プラス極）として電圧を印加するかを示している。
【０２８８】
閉鎖電圧情報及び開口電圧情報については、第１の実施の形態で説明したため、説明を省略する。
【０２８９】
分散電圧情報とは、第１の粒子３６Ａを分散媒４２中で分散状態とするために必要な電圧の電圧値、電圧印加時間（以下、分散時間と称する）、及び極性等を示す情報である。この分散電圧情報は、第１の粒子３６Ａの表面を構成する材料の酸化還元電位や、第１の粒子３６Ａのその他の特性、及び表示媒体１２Ｃの構成等によって定まる。
【０２９０】
この分散時間とは、例えば、分散電圧情報に含まれる電圧値の電圧が表示電極２４と背面電極３０との間に印加されてから、この第１の粒子３６Ａが中空構造体２６の開口状態にある連結孔２６Ｂを通過可能な程度に分散状態となるまでに要する時間を示している。
【０２９１】
また、凝集電圧情報とは、第１の粒子３６Ａを分散媒４２中で凝集状態とするために必要な電圧の電圧値、電圧印加時間（以下、凝集時間と称する）、及び極性等を示す情報である。この凝集電圧情報は、第１の粒子３６Ａの表面を構成する材料の酸化還元電位や、第１の粒子３６Ａのその他の構成、及び表示媒体１２の構成等によって定まる。
【０２９２】
この凝集時間とは、例えば、凝集電圧情報に含まれる電圧値の電圧が表示電極２４と背面電極３０との間に印加されてから、この第１の粒子３６Ａが中空構造体２６の第１の空間２６Ａ内で凝集して開口状態にある連結孔２６Ｂを通過することが困難な程度に凝集状態となるまでに要する時間を示している。
【０２９３】
なお、上記開口電圧情報に示される連結孔２６Ｂを閉鎖状態から開口状態へと変化させるために必要な表示基板１８と背面基板２０との間に印加する電圧の電圧値の絶対値は、上記電気泳動電圧情報に示される、表示媒体１２Ｃ内の第１の粒子３６Ａが表示基板１８と背面基板２０との何れか一方の基板側から他方の基板側へ移動するための電圧の電圧値の絶対値は、よりも小さい値となるように、予め調整されている。
【０２９４】
また、開口電圧情報に示される連結孔２６Ｂを閉鎖状態から開口状態へと変化させるために必要な表示基板１８と背面基板２０との間に印加する電圧の電圧値の絶対値は、第１の粒子３６Ａを凝集状態から分散状態とするために必要な電圧の絶対値よりも小さい値となるように、予め調整されている。
【０２９５】
さらに、第１の粒子３６Ａを凝集状態から分散状態とするために必要な電圧の絶対値は、上記電気泳動電圧情報に示される、表示媒体１２Ｃ内の第１の粒子３６Ａが表示基板１８と背面基板２０との何れか一方の基板側から他方の基板側へ移動するための電圧の電圧値の絶対値は、よりも小さい値となるように、予め調整されている。
【０２９６】
また、第１の粒子３６Ａを分散状態から凝集状態とするために必要な電圧の絶対値は、上記電気泳動電圧情報に示される、表示媒体１２Ｃ内の第１の粒子３６Ａが表示基板１８と背面基板２０との何れか一方の基板側から他方の基板側へ移動するための電圧の電圧値の絶対値よりも大きい値となるように、予め調整されている。
【０２９７】
また、閉鎖電圧情報に示される連結孔２６Ｂを開口状態から閉鎖状態へと変化させるために必要な表示基板１８と背面基板２０との間に印加する電圧の電圧値の絶対値は、第１の粒子３６Ａを分散状態から凝集状態とするために必要な電圧の絶対値よりも大きい値となるように、予め調整されている。
【０２９８】
さらに、閉鎖電圧情報に示される連結孔２６Ｂを開口状態から閉鎖状態へと変化させるために必要な表示基板１８と背面基板２０との間に印加する電圧の電圧値の絶対値は、表示媒体１２Ｃ内の第１の粒子３６Ａが表示基板１８と背面基板２０との何れか一方の基板側から他方の基板側へ移動するための電圧の電圧値の絶対値よりも大きい値となるように、予め調整されている。
【０２９９】
なお、これらの電気泳動電圧情報と、閉鎖電圧情報と、開口電圧情報と、分散電圧情報と、凝集電圧情報は、予め表示媒体１２毎に測定して、予めＲＯＭ５０Ｂに記憶すればよい。
【０３００】
制御部５０のＣＰＵ５０Ａでは、所定時間毎に図１３に示す処理ルーチンが実行されてステップ２００へ進む。
ステップ２００では、画像情報取得部１７が画像情報を取得したか否かを判別し、否定されると本ルーチンを終了し、肯定されるとステップ２０２へ進む。
【０３０１】
ステップ２０２では、連結孔２６Ｂの開口電圧情報をＲＯＭ５０Ｂから読み取る。
【０３０２】
ステップ２０４では、ステップ２００で取得した画像情報に含まれる色情報を読み取る。
【０３０３】
次のステップ２０６では、上記ステップ２０４で読み取った色情報に対応する電気泳動電圧情報をＲＯＭ５０Ａから読取る。
【０３０４】
次のステップ２０８では、分散電圧情報をＲＯＭ５０Ｂから読み取る。
【０３０５】
次のステップ２１０では、上記ステップ２１０で読み取った開口電圧情報を電圧印加部１４に出力する。開口電圧情報を受け付けた電圧印加部１４は、開口電圧情報に示される電圧の電圧値、開口時間、及び極性に基づいて、該電圧値の電圧を、該極性で、該開口時間、表示電極２４と背面電極３０との間に印加する。
【０３０６】
次のステップ２１２では、上記ステップ２１０で開口電圧情報を電圧印加部１４へ出力してから、該開口電圧情報に含まれる開口時間が経過したか否かを判別し、肯定されるまで否定判断を繰り返し、肯定されると、ステップ２１４へ進む。
【０３０７】
ステップ２１０〜ステップ２１２の処理によって、電圧印加部１４から表示電極２４及び背面電極３０へ、開口電圧情報に応じた電圧が印加されることにより、中空構造体２６の連結孔２６Ｂの孔径が拡がって、閉鎖状態から開口状態へと変化する。
【０３０８】
ステップ２１４では、上記ステップ２０８で読み取った分散電圧情報を電圧印加部１４に出力する。分散電圧情報を受け付けた電圧印加部１４は、分散電圧情報に示される電圧の電圧値、電気泳動時間、及び極性に基づいて、該電圧値の電圧を、該極性で、該電気泳動時間、表示電極２４と背面電極３０との間に印加する。
【０３０９】
次のステップ２１６では、上記ステップ２１４で分散電圧情報を電圧印加部１４へ出力してから、該分散電圧情報に含まれる分散時間が経過したか否かを判別し、肯定されるまで否定判断を繰り返し、肯定されると、ステップ２１８へ進む。
【０３１０】
ステップ２１４〜ステップ２１６の処理によって、電圧印加部１４から表示電極２４及び背面電極３０へ分散電圧情報に応じた電圧が印加されることにより、表示基板１８と背面基板２０との基板間に存在する第１の粒子３６Ａが分散媒４２中で分散状態となる。
【０３１１】
次のステップ２１８では、上記ステップ２０６で読み取った電気泳動電圧情報を電圧印加部１４へ出力し、次のステップ２２０において、該ステップ２１８の処理終了からステップ２１８で電圧印加部１４へ出力した電気泳動電圧情報に含まれる電気泳動時間が経過したか否かを判別し、肯定されるまで否定判断を繰り返し、肯定されると、ステップ２２２へ進む。
【０３１２】
ステップ２１８〜ステップ２２０の処理によって、例えば、表示基板１８側へ移動させるための電圧が表示電極２４と背面電極３０とに印加されて、分散媒４２中に分散されている第１の粒子３６Ａが表示基板１８側に到る。このとき、上記ステップ２１０〜ステップ２１２の処理によって、中空構造体２６の連結孔２６Ｂは開口状態にあることから、表示基板１８側に到達した第１の粒子３６Ａは、表示基板１８の背面基板２０との対向面に設けられている中空構造体２６の連結孔２６Ｂを介して第１の空間２６Ａ内に到る。
【０３１３】
次のステップ２２２では、ＲＯＭ５０Ｂから粒子凝集電圧情報を読み取り、次のステップ２２４において、読み取った粒子凝集電圧情報を電圧印加部１４へ出力する。
次のステップ２２８では、上記ステップ２２４で粒子凝集電圧情報を電圧印加部へ出力してから、該粒子凝集電圧情報に含まれる凝集時間が経過するまで否定判断を繰り返し、肯定されると、ステップ２３０へ進む。
【０３１４】
上記ステップ２２４〜ステップ２２８の処理が実行されることによって、第１の空間２６Ａ内に到達した第１の粒子３６Ａは、中空構造体２６の第１の空間２６Ａ内で凝集した状態となる。
【０３１５】
次のステップ２３０では、ＲＯＭ５０Ｂから連結孔２６Ｂの閉鎖電圧情報を読み取り、次のステップ２３２において、読み取った閉鎖電圧情報を電圧印加部１４へ出力する。
次のステップ２３４では、上記ステップ２３２で閉鎖電圧情報を電圧印加部１４へ出力してから、該閉鎖電圧情報に含まれる凝集時間が経過するまで否定判断を繰り返し、肯定されると、ステップ２３６へ進む。
【０３１６】
ステップ２３２〜ステップ２３４の処理によって、電圧印加部１４から表示電極２４及び背面電極３０へ、閉鎖電圧情報に応じた電圧が印加されることにより、中空構造体２６の連結孔２６Ｂの孔径が狭まり、開口状態から閉鎖状態へと変化する。このため、中空構造体２６の各第１の空間２６Ａ内に凝集した状態で存在する第１の粒子３６Ａは、さらに連結孔２６Ｂを通過することが困難となり、第１の空間２６Ａ内に保持された状態となる。
【０３１７】
ステップ２３６では、電圧印加部１４へ表示媒体１２Ｃへの電圧印加停止を示す信号を出力した後に、本ルーチンを終了する。電圧印加停止を示す信号を受け付けた電圧印加部１４は、表示媒体１２Ｃへの電圧印加を停止する。
【０３１８】
例えば、図１３に示す処理ルーチンの実行される前には、第１の粒子３６Ａが背面基板２０側に存在しており、且つ、上記ステップ２００の処理で取得した画像情報に、第１の粒子３６Ａの色を示す色情報が含まれている場合には、上記ステップ２００〜ステップ２１２の処理が行われることによって、中空構造体２６の連結孔２６Ｂは、孔の拡がりによって、第１の粒子３６Ａの通過の困難な状態である閉鎖状態（図１４（Ａ）参照）から、第１の粒子３６Ａの通過の可能な状態である開口状態（図１４（Ｂ）参照）へと変化する。
【０３１９】
さらに、上記ステップ２１４〜ステップ２１６の処理が実行されることによって、第１の粒子３６Ａが分散媒４２中で分散状態となる。
【０３２０】
そして、ステップ２１８〜ステップ２２０の処理が実行されることによって、背面基板２０側に存在していた第１の粒子３６Ａは分散媒４２中を電気泳動して、表示媒体１２Ｃの中空構造体２６の開口状態にある連結孔２６Ｂを介して第１の空間２６Ａ内に到る（図１４（Ｃ）参照）。
【０３２１】
次に、ステップ２２２〜ステップ２２８の処理が実行されることによって、第１の空間２６Ａ内に到った第１の粒子３６Ａ同士が第１の空間２６Ａ内で凝集した状態となる（図１４（Ｄ）参照）。
このように、第１の粒子３６Ａが第１の空間２６Ａ内で凝集した状態となるため、凝集状態にある第１の粒子３６Ａが連結孔２６Ｂを介して中空構造体２６の外部へと移動することが抑制される。
【０３２２】
またさらに、ステップ２３０〜ステップ２３４の処理が実行されることによって、中空構造体２６の連結孔２６Ｂは、孔の狭まりによって、各第１の粒子３６（凝集状態にない第１の粒子３６）の通過の可能な状態である開口状態（図１４（Ｄ）参照）から、凝集状態にない第１の粒子３６Ａの通過の困難な状態である閉鎖状態（図１４（Ｅ）参照）へと変化する。
【０３２３】
ここで、図１４（Ｅ）に示すように、第１の空間２６Ａ内には第１の粒子３６Ａが到達した状態にある。このため、連結孔２６Ｂが開口状態から閉鎖状態へと変化することによって、第１の粒子３６Ａは連結孔２６Ｂを通過することが困難となり、第１の空間２６Ａ内に到達した第１の粒子３６Ａは第１の空間２６Ａ内に保持された状態となる。この状態で電圧印加部１４による電圧印加が停止されても、連結孔２６Ｂの閉鎖状態は保持されるため、第１の空間２６Ａ内に到達した第１の粒子３６Ａは第１の空間２６Ａ内に保持される。また、さらに、第１の粒子３６Ａは、第２の刺激としての電界の刺激によって、第１の空間２６Ａ内において凝集した状態となっていることから、第１の粒子３６Ａは、更に安定して第１の空間２６Ａ内に保持される。
【０３２４】
このため、第１の粒子３６Ａが連結孔２６Ｂを介して中空構造体２６の第１の空間２６Ａ間を移動することや、中空構造体２６の内部から外部へと移動することが更に抑制される。従って、表示媒体１２の濃度変化が抑制される。
【０３２５】
（第３の実施の形態）
上記第1の実施の形態及び上記第２の実施の形態では、中空構造体２６の連結孔２６Ｂは、第１の刺激として、電界の作用により開口状態または閉鎖状態へと変化する場合を説明した。本実施の形態では、中空構造体２６の連結孔２６Ｂは、第１の刺激として、熱の作用により開口状態または閉鎖状態へと変化する場合を説明する。
【０３２６】
なお、本実施の形態は、上記実施の形態と同様の構成のため、同一部分には同一符号を付与して詳細な説明を省略する。
【０３２７】
本実施の形態に係る表示装置６０は、図１５に示すように、表示媒体６２と、書込装置６４と、を含んで構成されている。
【０３２８】
書込装置６４は、電圧印加部１４、画像情報取得部１７、及び制御部６７を含んで構成されている。電圧印加部１４、及び画像情報取得部１７は、制御部６７に信号授受可能に接続されている。
【０３２９】
なお、表示媒体６２が本発明の表示媒体に相当し、表示装置６０が本発明の表示装置に相当し、書込装置６４が、本発明の書込装置に相当する。また、電圧印加部１４が、本発明の表示装置及び書込装置の電圧印加手段に相当する。
【０３３０】
表示媒体６２は、画像表示面とされる表示基板１８、表示基板１８に間隙をもって対向する背面基板２０、これらの基板間を所定間隔に保持すると共に、表示基板１８と背面基板２０との間を複数のセルに区画する間隙部材３４、各セル内に封入された、分散媒４２、中空構造体９０Ａ、中間層３８、及び第１の粒子３６を含んで構成されている。
【０３３１】
また、表示媒体６２の背面基板２０の、表示基板１８に向かい合う面とは反対側の面には、加熱部材６８と、温度検知部６９と、が設けられている。
【０３３２】
加熱部材６８は、表示基板１８と背面基板２０との間に熱を加えるための装置であって、一般的な、ヒータやペルチェ素子等を用いることができる。加熱部材６８は、制御部６７に信号授受可能に接続されており、制御部６７による制御によって表示基板１８と背面基板２０との間を加熱、または加熱を解除する。また、他の加熱法としてレーザーや集光、超音波照射なども適宜使用できる。
【０３３３】
温度検知部６９は、表示基板１８と背面基板２０との間の温度を測定するための温度センサであって、一般的な温度センサを用いることができ、制御部６７に信号授受可能に接続されている。
なお、図１５に示す例では、温度検知部６９は、加熱部材６８上に設けられている場合を説明するが、表示基板１８と背面基板２０との間の温度を測定可能な位置に設けられていれば良く、このような位置に限られるものではなく、例えば、間隙部材３４に設けられていても良い。
【０３３４】
なお、本実施の形態では、加熱部材６８は、表示媒体６２と一体的に設けられている場合を説明するが、加熱部材６８は、書込装置６４に一体的に設けられた構成であってもよい。この場合には、表示媒体６２が書込装置６４に装着された状態において、加熱部材６８が表示媒体６２の表示基板１８と背面基板２０との間に熱を加える事が可能な位置に設けられていればよい。
また、同様に、温度検知部６９についても、本実施の形態では、表示媒体６２と一体的に構成されている場合を説明するが、温度検知部６９は、書込装置６４と一体的に設けられていても良い。
【０３３５】
中空構造体９０Ａにおいては、第１の刺激として、電界の作用に換えて、熱の作用により連結孔２６Ｂの孔径が変化する以外は、第１の実施の形態で説明した中空構造体２６と同じ構成であるため、詳細な説明を省略する。
すなわち、本実施の形態の表示媒体６２に設けられている中空構造体９０Ａは、第１の刺激として、熱の作用により開口状態または閉鎖状態へと変化する。
【０３３６】
このような中空構造体９０Ａを構成する材料、構成、及び製造方法は、第１の実施の形態で説明した中空構造体２６と同一であるが、異なる点は、連結孔２６Ｂを構成する管状体２７Ａ（図４参照）の構成材料が異なる点である。
【０３３７】
具体的には、本実施の形態の中空構造体９０Ａの連結孔２６Ｂを形作っている管状体２７Ａを構成している刺激応答材料は、熱刺激により応答する材料であって、この熱の作用によって連結孔２６Ｂの孔径が変化する材料を用いればよい。
【０３３８】
ここで、この連結孔２６Ｂの孔径の熱の作用による変化は、連結孔２６Ｂを構成する管状体２７Ａを構成する材料に熱が作用することで、溶媒（分散媒）に対する溶解性が変化することによりたとえば溶解性が上昇すれば材料中に溶媒（分散媒）が滲入することで体積増加し開口状態となり、逆に溶解性が低下すれば溶媒（分散媒）が材料中から排出されることで体積減少し閉塞状態となる。
【０３３９】
このような管状体２７Ａの溶媒（分散媒）の溶解度変化を生じさせて連結孔２６Ｂを開口状態または閉鎖状態へ変化させるために、表示基板１８と背面基板２０との基板間に印加する熱の温度や、加熱時間は、管状体２７Ａを構成する材料や、溶媒（分散媒）の溶解度パラメーター等によって異なるが、表示媒体１２として構成したときに予め測定すればよい。
【０３４０】
このような熱の作用により変化する刺激応答材料としては、具体的には、ポリＮ−イソプロピルアクリルアミドなどのＮ−アルキル置換（メタ）アクリルアミドの架橋体やＮ−アルキル置換（メタ）アクリルアミドと（メタ）アクリル酸及びその塩、又は（メタ）アクリルアミド、又は（メタ）アクリル酸アルキルエステルなどの２成分以上の共重合体の架橋体、ポリビニルメチルエーテルの架橋物、メチルセルロース、エチルセルロース、ヒドロキシプロピルセルロースなどのアルキル置換セルロース誘導体の架橋体、ポリ（メタ）アクリルアミドの架橋体とポリ（メタ）アクリル酸の架橋体からなるＩＰＮ体、セミＩＰＮ体及びそれらの部分中和体（アクリル酸単位を部分的に塩化したもの）、ポリ（メタ）アクリルアミドを主成分とする共重合体の架橋体とポリ（メタ）アクリル酸の架橋体からなるＩＰＮ体、セミＩＰＮ体及びそれらの部分中和体などが挙げられる。より好ましくは、ポリＮ−アルキル置換アルキルアミドの架橋体、ポリ（メタ）アクリルアミドの架橋体とポリ（メタ）アクリル酸の架橋体とのＩＰＮ体、セミＩＰＮ体及びそれらの部分中和体などが挙げられる。等が挙げられる。
【０３４１】
これらの中でも、コスト、ハンドリングや刺激応答性の理由から、Ｎ−アルキル置換（メタ）アクリルアミドの架橋体が好適に用いられる。
【０３４２】
この刺激応答材料の溶媒としては、使用温度範囲内で刺激応答材料の溶解度変化を生起させるという機能を有していれば良く公知の溶媒が用いられるが、具体的には、水、有機溶媒（例えば、メチルアルコール、エチルアルコール、プロピルアルコール、ブチルアルコール、エチレングリコール、プロピレングリコールなどのアルコール類；アセトンやメチルエチルケトンなどのケトン類；エーテル類；エステル類；等の他、ジメチルホルムアミド、ジメチルアセトアミド、ジメチルスルホオキシド、アセトニトリル、エチレンカーボネート、プロピレンカーボネート、テトラヒドロフラン、ピロリドン誘導体、）、油類（例えば、脂肪族、は芳香族系有機溶媒、シリコンオイル）、イオン液体（例えば、１−エチル−３−メチルイミダゾリウムブロマイド、１−エチル−３−メチルイミダゾリウムクロライド、１−エチル−３−メチルイミダゾリウムラクテート、ヘキサフルオロリン酸−１−エチル−３−メチルイミダゾリウム、１−エチル−３−メチルイミダゾリウムブロマイドテトラフルオロボレート、１−エチル−３−メチルイミダゾリウムトリフルオロメタンスルホネート、１−ブチル−３−メチルイミダゾリウムブロマイド、１−ブチル−３−メチルイミダゾリウムクロライド、ヘキサフルオロリン酸−１−ブチル−３−メチルイミダゾリウムテトラフルオロボレート、−１−ブチル−３−メチルイミダゾリウムトリフルオロメタンスルホネート、−１−ブチル−３−メチルイミダゾリウムラクテート、１−ヘキシル−３−メチルイミダゾリウムブロマイド、１−ヘキシル−３−メチルイミダゾリウムクロライド、１−ヘキシル−３−メチルイミダゾリウムラクテート、ヘキサフルオロリン酸−１−ヘキシル−３−メチルイミダゾリウム、１−ヘキシル−３−メチルイミダゾリウムブロマイドテトラフルオロボレート、１−エチル−３−メチルイミダゾリウムトリフルオロメタンスルホネート、１−オクチル−３−メチルイミダゾリウムブロマイド、１−オクチル−３−メチルイミダゾリウムクロライド、１−オクチル−３−メチルイミダゾリウムラクテート、ヘキサフルオロリン酸−１−オクチル−３−メチルイミダゾリウム、１−オクチル−３−メチルイミダゾリウムブロマイドテトラフルオロボレート、１−オクチル−３−メチルイミダゾリウムトリフルオロメタンスルホネート、１−デシル−３−メチルイミダゾリウムブロマイド、１−デシル−３−メチルイミダゾリウムクロライド、１−デシル−３−メチルイミダゾリウムラクテート、ヘキサフルオロリン酸−１−デシル−３−メチルイミダゾリウム、１−デシル−３−メチルイミダゾリウムブロマイドテトラフルオロボレート、１−デシル−３−メチルイミダゾリウムトリフルオロメタンスルホネート、１−ドデシル−３−メチルイミダゾリウムブロマイド、１−ドデシル−３−メチルイミダゾリウムクロライド、１−ドデシル−３−メチルイミダゾリウムラクテート、ヘキサフルオロリン酸−１−ドデシル−３−メチルイミダゾリウム、１−ドデシル−３−メチルイミダゾリウムブロマイドテトラフルオロボレート、１−ドデシル−３−メチルイミダゾリウムトリフルオロメタンスルホネート、１−エチル−２，３−ジメチルイミダゾリウムブロマイド、１−エチル−２，３−ジメチルイミダゾリウムクロライド、１−エチル−２，３−ジメチルイミダゾリウムラクテート、ヘキサフルオロリン酸−１−エチル−２，３−ジメチルイミダゾリウム、１−エチル−２，３−ジメチルイミダゾリウムブロマイドテトラフルオロボレート、１−エチル−２，３−ジメチルイミダゾリウムトリフルオロメタンスルホネート、１−ブチル−２，３−ジメチルイミダゾリウムブロマイド、１−ブチル−２，３−ジメチルイミダゾリウムクロライド、ヘキサフルオロリン酸−１−ブチル−２，３−ジメチルイミダゾリウムテトラフルオロボレート、−１−ブチル−２，３−ジメチルイミダゾリウムトリフルオロメタンスルホネート、−１−ブチル−２，３−ジメチルイミダゾリウムラクテート、１−ヘキシル−２，３−ジメチルイミダゾリウムブロマイド、１−ヘキシル−２，３−ジメチルイミダゾリウムクロライド、１−ヘキシル−２，３−ジメチルイミダゾリウムラクテート、ヘキサフルオロリン酸−１−ヘキシル−２，３−ジメチルイミダゾリウム、１−ヘキシル−２，３−ジメチルイミダゾリウムブロマイドテトラフルオロボレート、１−エチル−２，３−ジメチルイミダゾリウムトリフルオロメタンスルホネート、１−オクチル−２，３−ジメチルイミダゾリウムブロマイド、１−オクチル−２，３−ジメチルイミダゾリウムクロライド、１−オクチル−２，３−ジメチルイミダゾリウムラクテート、ヘキサフルオロリン酸−１−オクチル−２，３−ジメチルイミダゾリウム、１−オクチル−２，３−ジメチルイミダゾリウムブロマイドテトラフルオロボレート、１−オクチル−２，３−ジメチルイミダゾリウムトリフルオロメタンスルホネート、１−デシル−２，３−ジメチルイミダゾリウムブロマイド、１−デシル−２，３−ジメチルイミダゾリウムクロライド、１−デシル−２，３−ジメチルイミダゾリウムラクテート、ヘキサフルオロリン酸−１−デシル−２，３−ジメチルイミダゾリウム、１−デシル−２，３−ジメチルイミダゾリウムブロマイドテトラフルオロボレート、１−デシル−２，３−ジメチルイミダゾリウムトリフルオロメタンスルホネート、１−ドデシル−２，３−ジメチルイミダゾリウムブロマイド、１−ドデシル−２，３−ジメチルイミダゾリウムクロライド、１−ドデシル−２，３−ジメチルイミダゾリウムラクテート、ヘキサフルオロリン酸−１−ドデシル−２，３−ジメチルイミダゾリウム、１−ドデシル−２，３−ジメチルイミダゾリウムブロマイドテトラフルオロボレート、１−ドデシル−２，３−ジメチルイミダゾリウムトリフルオロメタンスルホネート、１-エチルピリジニウムブロマイド、１-エチルピリジニウムクロライド、１-エチルピリジニウムラクテート、ヘキサフルオロリン酸-１-エチルピリジニウム、１-エチルピリジニウムテトラフルオロボレート、１-エチルピリジニウムトリフルオロメタンスルホネート、１-ブチルピリジニウムブロマイド、１-ブチルピリジニウムクロライド、１-ブチルピリジニウムラクテート、ヘキサフルオロリン酸-１-ブチルピリジニウム、１-ブチルピリジニウムテトラフルオロボレート、１-ブチルピリジニウムトリフルオロメタンスルホネート、１-ヘキシルピリジニウムブロマイド、１-ヘキシルピリジニ��ムクロライド、１-ヘキシルピリジニウムラクテート、ヘキサフルオロリン酸-１-ヘキシルピリジニウム、１-ヘキシルピリジニウムテトラフルオロボレート、１-ヘキシルピリジニウムトリフルオロメタンスルホネート）やそれらの任意の混合物が挙げられる。
【０３４３】
また、この刺激応答材料を上記溶媒に溶かした溶液には、必要に応じて、界面活性剤等を添加してもよい。界面活性剤を添加することで、溶解度変化を生起させる温度を調整することができるという効果が得られる。
【０３４４】
上記熱の作用により応答する刺激応答材料を、連結孔２６Ｂを構成する管状体２７Ａを構成する材料として用いる以外は、上記第１の実施の形態で説明した中空構造体２６と同様にして作製することで、コロイド粒子構造体２９（図５参照）と同じ形状の第１の空間２６Ａと、第１の刺激として熱の作用により孔径の変化する管状体２７Ａによって形成されている連結孔２６Ｂと、を有する、ネガ型の中空構造体９０Ａが作製される。
【０３４５】
なお、中空構造体９０Ａの作製方法は、上記方法に限られるものではなく、上記の連結孔２６Ｂ及び第１の空間２６Ａが設けられた構成の中空構造体で２６が製造できればどのような方法を用いてもよい。
【０３４６】
次に、本実施の形態の表示装置６０及び書込装置６４について説明する。
上述のように、表示装置６０は、上記表示媒体６２と、この表示媒体６２に画像を表示するための書込装置６４と、を含んで構成されている。
【０３４７】
書込装置６４は、で電圧印加部１４と、制御部６７と、画像情報取得部１７と、を含んで構成されている。
電圧印加部１４は、制御部６７に信号授受可能に接続されるとともに、表示電極２４及び背面電極３０に電圧印加可能に接続されている。加熱部材６８及び温度検知部６９各々は、制御部６７に信号授受可能に接続されている。
【０３４８】
画像情報取得部１７は、表示装置６０及び書込装置６４の外部から表示媒体６２に表示する画像を示す画像情報を取得する。
【０３４９】
制御部６７は、画像情報取得部１７が取得した画像情報に応じて電圧印加部１４から表示媒体６２に印加する電圧を制御する。制御部６７は、ＣＰＵ６７Ａ、ＲＯＭ６７Ｂ、ＲＡＭ６７Ｃ、及び図示を省略するハードディスク等を含むマイクロコンピュータで構成されている。このＣＰＵ６７Ａは、ＲＯＭ６７Ｂや図示を省略するハードディスク等に記憶されているプログラムに従って表示媒体６２への画像表示を行う。
【０３５０】
なお、表示媒体６２は、書込装置６４に対して着脱可能に設けられていてもよいし、書込装置６４に電気的に接続された状態で固定化されていてもよい。
表示媒体６２を書込装置６４に対して着脱可能に設けることによって、表示媒体６２の交換が可能となり、１台の書込装置６４を用いて複数の表示媒体６２への画像表示が可能となる。
【０３５１】
以下に、本実施の形態における表示媒体６２を備えた表示装置６０の制御部６７のＣＰＵ６７Ａで実行される処理を説明する。
【０３５２】
制御部６７のＣＰＵ６７Ａでは、図１６に示す処理ルーチンによって示されるプログラムを制御部６７内のＲＯＭ６７Ｂまたはハードディスク等から読み取ることによって、図１６に示す処理を実行する。
【０３５３】
なお、本実施の形態では、説明を簡略化するために、画像情報取得部１７は、画像情報として、表示媒体６２の特定の１つのセルに表示する画像の色を示す情報を取得するものとし、該画像情報に基づいた色を表示媒体６２の対応する１つのセルに表示する場合を説明する。
【０３５４】
なお、図１６に示す処理ルーチンでは、表示媒体１２に封入されている第１の粒子３６としては、基板間に形成された電界によって基板間を移動する特性を有する第１の粒子３６を用いた場合を説明する。
【０３５５】
また、本実施の形態では、電気泳動電圧情報と、閉鎖温度情報と、開口温度情報と、を予めＲＯＭ６７Ｂに記憶しているとして説明する。
【０３５６】
電気泳動電圧情報は、表示媒体６２に表示する色を示す色情報に対応して予め記憶されている。
この電気泳動電圧情報とは、表示媒体６２内の第１の粒子３６が表示基板１８と背面基板２０との何れか一方の基板側から他方の基板側へ移動するための電圧の電圧値、電圧印加時間（以下、電気泳動時間と称する）、及び極性等を示す情報であり、第１の粒子３６の構成や表示媒体６２の構成等によって定まる。
【０３５７】
また、閉鎖温度情報とは、中空構造体９０Ａの連結孔２６Ｂを開口状態から閉鎖状態へと変化させるために必要な、表示基板１８と背面基板２０との間に加える熱の温度、中空構造体９０Ａの連結孔２６Ｂの孔径が狭くなって開口状態から閉鎖状態となるまでに必要な該温度の継続保持時間（以下、閉鎖時間と称する）等を示す情報である。この閉鎖温度情報は、連結孔２６Ｂを構成する材料の溶解度パラメーターや、その他の特性、及び表示媒体１２の構成等によって定まる。
【０３５８】
また、開口温度情報とは、中空構造体９０Ａの連結孔２６Ｂを閉鎖状態から開口状態へと変化させるために必要な、表示基板１８と背面基板２０との間に加える熱の温度、中空構造体９０Ａの連結孔２６Ｂの孔径が拡がって閉鎖状態から開口状態となるまでに必要な該温度の継続保持時間（以下、開口時間と称する）等を示す情報である。この開口温度情報は、連結孔２６Ｂを構成する材料の溶解度パラメーターや、その他の特性、及び表示媒体１２の構成等によって定まる。
【０３５９】
なお、上記中空構造体９０Ａの連結孔２６Ｂを閉鎖状態から開口状態へと変化させるために必要な表示基板１８と背面基板２０との間に加える熱の温度と、中空構造体２６の連結孔２６Ｂを開口状態から閉鎖状態へと変化させるために必要な表示基板１８と背面基板２０との間に加える熱の温度と、は、互いに異なっており、好ましくは、１０度以上異なることが好ましく、５０度以上異なることが更に好ましい。
【０３６０】
これらの温度が５０度以上異なると、多くの生活環境下でメモリ性が得られると言う効果が得られる。
【０３６１】
本実施の形態では、上記中空構造体９０Ａの連結孔２６Ｂを閉鎖状態から開口状態へと変化させるためには、表示基板１８と背面基板２０との間に第１の温度を超える温度を印加する必要があり、中空構造体２６の連結孔２６Ｂを開口状態から閉鎖状態へと変化させるためには、表示基板１８と背面基板２０との間に該第１の温度より低い第２の温度未満の温度を印加する必要があるとして説明する。
そして、開口温度としては、該第１の温度を超える温度が予め定められており、閉鎖温度としては、該第２の温度未満の温度が予め定められているとする。
【０３６２】
さらに、この閉鎖温度は、使用環境の観点から、常温（１０℃〜４０℃）であることが好ましい。
【０３６３】
これらの温度を満たすように、連結孔２６Ｂを構成する刺激応答性材料を適宜選択すればよい。
【０３６４】
また、これらの電気泳動電圧情報、開口温度情報、及び凝集温度情報は、予め表示媒体６２毎に測定して、予めＲＯＭ６７Ｂに記憶すればよい。
【０３６５】
制御部６７のＣＰＵ６７Ａでは、所定時間毎に図１６に示す処理ルーチンが実行されてステップ３００へ進む。
ステップ３００では、画像情報取得部１７が画像情報を取得したか否かを判別し、否定されると本ルーチンを終了し、肯定されるとステップ３０２へ進む。
【０３６６】
ステップ３０２では、連結孔２６Ｂの開口温度情報をＲＯＭ６７Ｂから読み取る。
【０３６７】
次のステップ３０４では、ステップ３００で取得した画像情報に含まれる色情報を読み取る。
【０３６８】
次のステップ３０６では、上記ステップ３０４で読み取った色情報に対応する電気泳動電圧情報をＲＯＭ６７Ｂから読取り、次のステップ３０８では、上記ステップ３０２で読み取った開口温度情報を加熱部材６８へ出力する。開口温度情報を受け付けた加熱部材６８は、開口温度情報に応じた温度、及び開口時間に基づいて、該温度への発熱を開始する。
【０３６９】
次のステップ３１０では、表示媒体６２内の温度が、上記ステップ３０２で読み取った開口温度情報に含まれる温度情報と同じ温度となったか否かを判別し、肯定されるまで否定判断を繰り返す。
【０３７０】
このステップ３１０の判断は、温度検知部６９から入力された温度情報と、上記ステップ３０２で読み取った開口温度情報に含まれる温度情報とが同じであるか否かを判別することによって判断する。なお、「同じであるか否か」とは、この温度検知部６９から入力された温度情報が、上記ステップ３０２で読み取った開口温度情報に含まれる温度情報に対して数％の誤差の範囲内で一致していればよく、完全な一致でなくてもよい。なお、この数％の値は、中空構造体９０Ａの特性や表示媒体６２の配置条件等に応じて予め定めればよい。
【０３７１】
次のステップ３１１では、上記ステップ３１０で肯定されてから、該開口温度情報に含まれる開口時間を経過したか否かを判別し、肯定されるまで否定判断を繰り返し、肯定されるとステップ３１２へ進む。
【０３７２】
上記ステップ３０８〜ステップ３１１の処理が実行されることによる加熱部材６８の加熱によって、表示基板１８と背面基板２０との間の領域が上記ステップ３０２で読み取った開口温度情報に応じた温度へと加熱され、且つ、この中空構造体９０Ａに温度が加えられた環境下において、連結孔２６Ｂが閉鎖状態から開口状態となるまでこの加熱が継続される。
【０３７３】
このため、上記ステップ３０８〜ステップ３１１の処理によって、表示基板１８と背面基板２０との基板間に存在する中空構造体９０Ａの連結孔２６Ｂが、開口状態となる。
【０３７４】
次のステップ３１２では、上記ステップ３０６で読み取った電気泳動電圧情報を電圧印加部１４へ出力する。
電気泳動電圧情報を受け付けた電圧印加部１４は、受け付けた電気泳動電圧情報に含まれる電圧値の電圧を、該電気泳動電圧情報に含まれる極性で、該電気泳動電圧情報に含まれる泳動時間継続して表示電極２４と背面電極３０とへ印加する電圧印加を開始する。
【０３７５】
次のステップ３１４では、ステップ３１２の処理終了から該ステップ３１２で電圧印加部１４へ出力した電気泳動電圧情報に含まれる電圧泳動時間を経過したか否かを判別し、肯定されるまで否定判断を繰り返し、肯定されると、ステップ３１６へ進む。
【０３７６】
ステップ３１２〜ステップ３１４の処理によって、例えば、表示基板１８側へ移動させるための電圧が表示電極２４と背面電極３０とに印加されて、第１の粒子３６が表示基板１８側または背面基板２０側に到る。ここで、中空構造体９０Ａの連結孔２６Ｂは、上記ステップ３０８〜ステップ３１１の処理によって開口状態であることから、中空構造体９０Ａの設けられている表示基板１８側に到達した第１の粒子３６は、中空構造体９０Ａの連結孔２６Ｂを通過して第１の空間２６Ａ内に到る。
【０３７７】
ステップ３１６では、ＲＯＭ６７Ｂから閉鎖温度情報を読み取り、次のステップ３１８において、読み取った閉鎖温度情報を、加熱部材６８へ出力する。
【０３７８】
閉鎖温度情報を受け付けた加熱部材６８は、受け付けた閉鎖温度情報に含まれる温度情報の温度への加熱を凝集時間継続して行う処理を開始する。
【０３７９】
次のステップ３２０では、表示媒体６２の温度が上記ステップ３１６で読み取った閉鎖温度情報に含まれる温度情報の温度と一致するまで否定判断を繰り返し、肯定されるとステップ３２１へ進む。ステップ３２０の判断は、温度検知部６９から入力された温度情報が、上記ステップ３１８で読み取った閉鎖温度情報に含まれる温度情報の温度と一致するか否かを判別することによって判断可能である。なお、この一致するか否かの判断は、完全一致を必ずしも指すものではなく、例えば、中空構造体９０Ａの特性によって、閉鎖温度情報の温度の数％の範囲内等で一致していればよく、中空構造体９０Ａの特性毎に定めればよい。
【０３８０】
次のステップ３２１では、上記ステップ３１８で閉鎖温度情報を加熱部材６８へ出力してから、上記ステップ３１６で読み取った閉鎖温度情報に含まれる閉鎖時間を経過するまで否定判断を繰り返し、肯定されると、ステップ３２２へ進む。
【０３８１】
ステップ３１８〜ステップ３２１の処理によって、中空構造体９０Ａの連結孔２６Ｂが開口状態から閉鎖状態へと変化する。
【０３８２】
次のステップ３２１では、電圧印加停止を示す信号を電圧印加部１４へ出力した後に、本ルーチンを終了する。電圧印加停止を示す信号を受け付けた電圧印加部１４は、表示電極２４と背面電極３０とへの電圧印加を停止する。
【０３８３】
図１６に示す上記ステップ３００〜ステップ３２２の処理が実行されることによって、例えば、該処理ルーチンの実行される前には、第１の粒子３６が背面基板２０側に存在しており、且つ、上記ステップ３００の処理で取得した画像情報に、第１の粒子３６の色を示す色情報が含まれている場合には、上記ステップ３００〜ステップ３１１の処理が行われることによって、中空構造体９０Ａの連結孔２６Ｂは、孔の拡がりによって、第１の粒子３６の通過の困難な状態である閉鎖状態（図１７（Ａ）参照）から、第１の粒子３６の通過の可能な状態である開口状態（図１７（Ｂ）参照）へと変化する。
【０３８４】
さらに、上記ステップ３１２〜ステップ３１４の処理が実行されることによって、背面基板２０側に存在していた第１の粒子３６は分散媒４２中を電気泳動して（図１７（Ｃ）参照）、表示媒体６２の中空構造体９０Ａの開口状態にある連結孔２６Ｂを介して第１の空間２６Ａ内に到る（図１７（Ｄ）参照）。
【０３８５】
ここで、さらに、ステップ３１６〜ステップ３２１の処理が実行されることによって、中空構造体９０Ａの連結孔２６Ｂは、孔の狭まりによって、第１の粒子３６の通過の可能な状態である開口状態（図１７（Ｄ）参照）から、第１の粒子３６の通過の困難な状態である閉鎖状態（図１７（Ｅ）参照）へと変化する。
【０３８６】
ここで、図１７（Ｅ）に示すように、第１の空間２６Ａ内には第１の粒子３６が到達した状態にある。このため、連結孔２６Ｂが温度刺激により開口状態から閉鎖状態へと変化することによって、第１の粒子３６は連結孔２６Ｂを通過することが困難となり、第１の空間２６Ａ内に到達した第１の粒子３６は第１の空間２６Ａ内に保持された状態となる。この状態で加熱部材６８による加熱が停止されても、連結孔２６Ｂの閉鎖状態は保持されるため、第１の空間２６Ａ内に到達した第１の粒子３６は第１の空間２６Ａ内に保持される。
【０３８７】
このように、第１の粒子３６が連結孔２６Ｂを介して中空構造体９０Ａの第１の空間２６Ａ間を移動することや、中空構造体９０Ａの内部から外部へと移動することが抑制される。
従って、表示媒体６２の濃度変化が抑制される。
【０３８８】
なお、反対に、上記ステップ３００の処理で取得した画像情報に、表示媒体６２の中間層３８の色を示す色情報が含まれている場合には、上記ステップ３０２〜ステップ３１１の処理が行われることによって、例えば、表示基板１８側に設けられた中空構造体９０Ａの連結孔２６Ｂが図１７（Ｅ）に示す閉鎖状態から、図１７（Ｄ）に示す開口状態へと変化する。そして、この連結孔２６Ｂが開口状態へと変化した後に、中空構造体９０Ａの第１の空間２６Ａ内に保持されていた第１の粒子３６が、開口状態にある連結孔２６Ｂを介して中空構造体９０Ａの外部へと電気泳動しはじめ（図１７（Ｃ）参照）、さらに、中間層３８の孔を介して背面基板２０側へと到る（図１７（Ｂ）参照）。そして。さらに、中空構造体９０Ａの連結孔２６Ｂが開口状態（図１７（Ｂ）参照）から閉鎖状態（図１７（Ａ）参照）へと変化する。これによって、表示基板１８側から視認されたときには、中間層３８の色が視認され、多色表示が可能となる。
さらに、表示基板１８側に設けられている中空構造体９０Ａの連結孔２６Ｂは第１の粒子３６が背面基板２０側に移動した後に、閉鎖状態とされることから、背面基板２０側に移動した第１の粒子３６群の色による表示媒体６２の濃度変化が抑制される。
【０３８９】
（第４の実施の形態）
上記第３の実施の形態では、連結孔２６Ｂが第１の刺激として熱の作用により開口状態または閉鎖状態へと変化する中空構造体９０Ａを用いると共に、第１の粒子３６として、表示基板１８と背面基板２０との基板間に形成された電界によって基板間を移動するという特性を有する粒子を用いる場合を説明した。
本実施の形態では、中空構造体９０Ａについては第３の実施の形態と同様に、連結孔２６Ｂが第１の刺激として熱の作用により開口状態または閉鎖状態へと変化する中空構造体９０Ａを用いるが、第１の粒子３６として、表示基板１８と背面基板２０との間に形成された電界によって基板間を移動するという特性を有すると共に、第２の刺激として表示基板１８と背面基板２０との間に加えられた熱の作用により凝集または分散する特性を有する第1の粒子３６Ｂを用いる場合を説明する。
【０３９０】
本実施の形態に係る表示装置６０Ａは、図１８に示すように、表示媒体６２Ａと、書込装置６４と、を含んで構成されている。
【０３９１】
書込装置６４は、電圧印加部１４、画像情報取得部１７、及び制御部７１を含んで構成されている。電圧印加部１４、及び画像情報取得部１７は、制御部７１に信号授受可能に接続されている。
【０３９２】
なお、表示媒体６２Ａが本発明の表示媒体に相当し、表示装置６０Ａが本発明の表示装置に相当し、書込装置６４が、本発明の書込装置に相当する。また、電圧印加部１４が、本発明の表示装置及び書込装置の電圧印加手段に相当する。
【０３９３】
表示媒体６２Ａは、表示基板１８、背面基板２０、間隙部材３４、分散媒４２、中空構造体９０Ａ、中間層３８、及び第１の粒子３６Ｂを含んで構成されている。
【０３９４】
また、表示媒体６２Ａの背面基板２０の、表示基板１８に向かい合う面とは反対側の面には、加熱部材６８と、温度検知部６９と、が設けられている。
【０３９５】
なお、本実施の形態の表示媒体６２Ａ、書込装置６４、及び表示装置６０Ａは、上記第３の実施の形態と同様の構成のため、同一部分には同一符号を付与して詳細な説明を省略する。
【０３９６】
第１の粒子３６Ｂは、表示基板１８と背面基板２０との基板間に形成された電界によって基板間を移動するという特性と共に、第２の刺激としての熱の作用によって凝集または分散する特性を更に有する粒子である。この第1の粒子３６Ｂは、表示基板１８と背面基板２０との基板間に予め定められた泳動電圧範囲内及び泳動電圧範囲を超える電圧が印加されると分散媒４２中を移動すると共に、第２の刺激としての熱の作用により凝集または分散する。
【０３９７】
この第１の粒子３６Ｂの熱の作用による分散媒４２中の凝集及び分散は、第１の粒子３６Ｂの、少なくとも分散媒４２と接する面（表面）を構成する材料が熱の作用によって所定温度以下の低温で分散媒４２に溶解し、該所定温度以上の高温で第１の粒子３６Ｂの表面に析出することによって生じる。
【０３９８】
つまり、第１の粒子３６Ｂの少なくとも表面を構成する材料を、所定温度、すなわち相転移温度を境に分散媒４２中に溶解または析出する材料で構成することによって、所定温度以上の温度環境下では凝集し、所定温度未満の温度環境下では分散する第１の粒子３６Ｂを調整する。
【０３９９】
この第１の粒子３６Ｂの分散及び凝集を生じさせるために表示基板１８と背面基板２０との基板間に加える熱の温度及び継続加熱時間は、第１の粒子３６Ｂの表面を構成する材料の相転移温度や、分散媒４２の種類等に応じて予め定めればよい。
【０４００】
このような、電界により分散媒４２中を電気泳動する特性及び、第２の刺激としての熱刺激により凝集及び分散する特性を有する第１の粒子３６Ｂとしては、例えば、分散媒４２中において、所定温度域に相点移転を有する高分子鎖を、上記第１の実施の形態で説明した電界の作用により基板間を移動する粒子として調整した第１の粒子３６の表面上に修飾することで、上述のような熱刺激により分散状態または凝集状態となる第１の粒子３６Ｂとする。
【０４０１】
この特定の表面処理としては、例えばカップリング剤等による活性基の導入やプラズマ放電やコロナ放電やＸ線照射などによる表面活性化により第１の粒子３６に所望の特性を有する官能基や高分子鎖を導入したり、所望の特性を有する材料でカプセル化すればよい。
【０４０２】
例えば、プラズマ放電やコロナ放電やＸ線照射などによる表面活性化はほとんどの材料に適用することができ、感温性モノマー存在下で活性化表面を暴露することによって熱刺激により凝集及び分散する特性のこの第１の粒子３６Ｂを得ることができる。電界により分散媒４２中を電気泳動する特性を持たせるには感温性モノマーと電解質モノマーを共存させてもよく、段階的に修飾してもよく、あらかじめ粒子に帯電基を修飾しておいてもよい。
【０４０３】
次に、本実施の形態の表示装置６０Ａ及び書込装置６４Ａについて説明する。
上述のように、表示装置６０Ａは、上記表示媒体６２Ａと、この表示媒体６２Ａに画像を表示するための書込装置６４Ａと、を含んで構成されている。
【０４０４】
書込装置６４Ａは、電圧印加部１４と、制御部７１と、画像情報取得部１７と、を含んで構成されている。
電圧印加部１４は、制御部７１に信号授受可能に接続されるとともに、表示電極２４及び背面電極３０に電圧印加可能に接続されている。加熱部材６８及び温度検知部６９各々は、制御部７１に信号授受可能に接続されている。
【０４０５】
画像情報取得部１７は、表示装置６０Ａ及び書込装置６４Ａの外部から表示媒体６２Ａに表示する画像を示す画像情報を取得する。
【０４０６】
制御部７１は、画像情報取得部１７が取得した画像情報に応じて電圧印加部１４から表示媒体６２Ａに印加する電圧を制御する。制御部７１は、ＣＰＵ７１Ａ、ＲＯＭ７１Ｂ、ＲＡＭ７１Ｃ、及び図示を省略するハードディスク等を含むマイクロコンピュータで構成されている。このＣＰＵ７１Ａは、ＲＯＭ７１Ｂや図示を省略するハードディスク等に記憶されているプログラムに従って表示媒体６２Ａへの画像表示を行う。
【０４０７】
なお、表示媒体６２Ａは、書込装置６４に対して着脱可能に設けられていてもよいし、書込装置６４Ａに電気的に接続された状態で固定化されていてもよい。
表示媒体６２Ａを書込装置６４Ａに対して着脱可能に設けることによって、表示媒体６２Ａの交換が可能となり、１台の書込装置６４Ａを用いて複数の表示媒体６２Ａへの画像表示が可能となる。
【０４０８】
以下に、本実施の形態における表示媒体６２Ａを備えた表示装置６０Ａの制御部７１のＣＰＵ７１Ａで実行される処理を説明する。
【０４０９】
制御部７１のＣＰＵ７１Ａでは、図１９に示す処理ルーチンによって示されるプログラムを制御部７１内のＲＯＭ７１Ｂまたはハードディスク等から読み取ることによって、図１９に示す処理を実行する。
【０４１０】
なお、本実施の形態では、説明を簡略化するために、画像情報取得部１７は、画像情報として、表示媒体６２Ａの特定の１つのセルに表示する画像の色を示す情報を取得するものとし、該画像情報に基づいた色を表示媒体６２Ａの対応する１つのセルに表示する場合を説明する。
【０４１１】
また、本実施の形態では、電気泳動電圧情報と、閉鎖温度情報と、開口温度情報と、分散温度情報と、凝集温度情報と、を予めＲＯＭ６７Ｂに記憶しているとして説明する。
【０４１２】
電気泳動電圧情報は、表示媒体６２Ａに表示する色を示す色情報に対応して予め記憶されている。
この電気泳動電圧情報とは、表示媒体６２Ａ内の第１の粒子３６Ｂが表示基板１８と背面基板２０との何れか一方の基板側から他方の基板側へ移動するための電圧の電圧値、電圧印加時間（以下、電気泳動時間と称する）、及び極性等を示す情報であり、第１の粒子３６Ｂの構成や表示媒体６２Ａの構成等によって定まる。
【０４１３】
また、閉鎖温度情報及び開口温度情報については、上記実施の形態で説明したため、詳細な説明を省略する。
【０４１４】
分散温度情報とは、第１の粒子３６Ｂを分散媒４２中で分散状態とするために必要な温度、第１の粒子３６Ｂが分散状態から凝集状態へと移行して目的とする凝集状態となるまでに必要な該温度の継続保持時間（以下、分散時間と称する）等を示す情報であり、第１の粒子３６Ｂの表面を構成する材料の相転移温度や、分散媒４２の種類、第１の粒子３６Ｂのその他の特性、及び表示媒体６２Ａの構成等によって定まる。
【０４１５】
また、凝集温度情報とは、第１の粒子３６Ｂを分散媒４２中で凝集状態とするために必要な温度、第１の粒子３６Ｂが分散状態から凝集状態へと移行して目的とする凝集状態となるまでに必要な該温度の継続保持時間（以下、凝集時間と称する）等を示す情報であり、第１の粒子３６Ｂの表面を構成する材料の相転移温度や、分散媒４２の種類、第１の粒子３６Ｂのその他の特性、及び表示媒体６２Ａの構成等によって定まる。
【０４１６】
なお、上記中空構造体９０Ａの連結孔２６Ｂを閉鎖状態から開口状態へと変化させるために必要な表示基板１８と背面基板２０との間に加える熱の温度と、中空構造体２６の連結孔２６Ｂを開口状態から閉鎖状態へと変化させるために必要な表示基板１８と背面基板２０との間に加える熱の温度と、凝集温度情報に含まれる温度情報と、分散温度情報に含まれる温度情報と、互いに異なっており、好ましくは、１０度以上異なることが好ましく、５０度以上異なることが更に好ましい。
【０４１７】
これらの温度が５０度以上異なると、多くの生活環境下でメモリ性が得られると言う効果が得られる。
【０４１８】
なお、本実施の形態では、閉鎖温度、粒子凝集温度、開口温度、粒子分散温度、閉鎖温度の順に温度が高くなるように、連結孔２６Ｂを構成する刺激応答性材料、及び第１の粒子３６Ｂを構成する材料を適宜選択されているとして説明する。またさらに、閉鎖温度は、常温の範囲内（１０℃以上４０℃以下）であるとして説明する。
【０４１９】
なお、これらの電気泳動電圧情報、開口温度情報、閉鎖温度情報、凝集温度情報、及び分散温度情報は、予め表示媒体６２Ａ毎に測定して、予めＲＯＭ７１Ｂに記憶すればよい。
【０４２０】
制御部７１のＣＰＵ７１Ａでは、所定時間毎に図１９に示す処理ルーチンが実行されてステップ４００へ進む。
ステップ４００では、画像情報取得部１７が画像情報を取得したか否かを判別し、否定されると本ルーチンを終了し、肯定されるとステップ４０２へ進む。
【０４２１】
ステップ４０２では、連結孔２６Ｂの開口温度情報をＲＯＭ７１Ｂから読み取る。
【０４２２】
次のステップ４０４では、ステップ４００で取得した画像情報に含まれる色情報を読み取る。
【０４２３】
次のステップ４０６では、上記ステップ４０４で読み取った色情報に対応する電気泳動電圧情報をＲＯＭ７１Ｂから読取る。
【０４２４】
次のステップ４０８では、粒子分散温度情報をＲＯＭ７１Ｂから読み取る。
【０４２５】
次のステップ４１０では、上記ステップ４０２で読み取った開口温度情報を加熱部材６８へ出力する。開口温度情報を受け付けた加熱部材６８は、開口温度情報に応じた温度、及び開口時間に基づいて、該温度への発熱を開始する。
【０４２６】
次のステップ４１２では、表示媒体６２内の温度が、上記ステップ４０２で読み取った開口温度情報に含まれる温度情報と同じ温度となったか否かを判別し、肯定されるまで否定判断を繰り返す。
【０４２７】
このステップ４１２の判断は、温度検知部６９から入力された温度情報と、上記ステップ４０２で読み取った開口温度情報に含まれる温度情報とが同じであるか否かを判別することによって判断する。なお、「同じであるか否か」とは、この温度検知部６９から入力された温度情報が、上記ステップ４０２で読み取った開口温度情報に含まれる温度情報に対して数％の誤差の範囲内で一致していればよく、完全な一致でなくてもよい。なお、この数％の値は、中空構造体９０Ａの特性や表示媒体６２の配置条件等に応じて予め定めればよい。
【０４２８】
上記ステップ４１０〜ステップ４１２の処理が実行されることによる加熱部材６８の加熱によって、表示基板１８と背面基板２０との間の領域が上記ステップ４０２で読み取った開口温度情報に応じた温度へと加熱されて、連結孔２６Ｂが閉鎖状態から開口状態となる。
【０４２９】
このため、上記ステップ４１０〜ステップ４１２の処理によって、表示基板１８と背面基板２０との基板間に存在する中空構造体９０Ａの連結孔２６Ｂが、開口状態となる。
【０４３０】
次のステップ４１４では、上記ステップ４０８で読み取った粒子分散温度情報を加熱部材６８へ出力する。粒子分散温度情報を受け付けた加熱部材６８は、粒子分散温度情報に応じた温度、及び分散時間に基づいて、該温度への発熱を開始する。
【０４３１】
次のステップ４１４では、表示媒体６２Ａ内の温度が、上記ステップ４０８で読み取った粒子分散温度情報の温度と同じ温度となったか否かを判別し、肯定されるまで否定判断を繰り返す。
【０４３２】
このステップ４１４の判断は、温度検知部６９から入力された温度情報と、上記ステップ４０８で読み取った粒子分散温度情報とが同じであるか否かを判別することによって判断する。なお、「同じであるか否か」とは、この温度検知部６９から入力された温度情報が、上記ステップ４０８で読み取った粒子分散情報に含まれる温度情報に対して数％の誤差の範囲内で一致していればよく、完全な一致でなくてもよい。なお、この数％の値は、第１の粒子３６Ｂの特性や表示媒体６２Ａの配置条件等に応じて予め定めればよい。
【０４３３】
上記ステップ４１４〜ステップ４１６の処理によって、表示基板１８と背面基板２０との基板間に存在する第１の粒子３６Ｂが分散媒４２中で分散状態となる。
【０４３４】
次のステップ４１８では、上記ステップ４０６で読み取った電気泳動電圧情報を電圧印加部１４へ出力する。
電気泳動電圧情報を受け付けた電圧印加部１４は、受け付けた電気泳動電圧情報に含まれる電圧値の電圧を、該電気泳動電圧情報に含まれる極性で、該電気泳動電圧情報に含まれる泳動時間継続して表示電極２４と背面電極３０とへ印加する電圧印加を開始する。
【０４３５】
次のステップ４２０では、ステップ４１８の処理終了から該ステップ４１８で電圧印加部１４へ出力した電気泳動電圧情報に含まれる電圧泳動時間を経過したか否かを判別し、肯定されるまで否定判断を繰り返し、肯定されると、ステップ４２２へ進む。
【０４３６】
ステップ４１８〜ステップ４２０の処理によって、例えば、表示基板１８側へ移動させるための電圧が表示電極２４と背面電極３０とに印加されて、第１の粒子３６Ｂが表示基板１８側または背面基板２０側に到る。ここで、中空構造体９０Ａの連結孔２６Ｂは、上記ステップ４１０〜ステップ４１２の処理によって開口状態であることから、中空構造体９０Ａの設けられている表示基板１８側に到達した第１の粒子３６Ｂは、中空構造体９０Ａの連結孔２６Ｂを通過して第１の空間２６Ａ内に到る。
【０４３７】
ステップ４２２では、ＲＯＭ７１Ｂから粒子凝集温度情報を読み取り、次のステップ４２４において、読み取った粒子凝集温度情報を、加熱部材６８へ出力する。
【０４３８】
粒子凝集温度情報を受け付けた加熱部材６８は、受け付けた粒子凝集温度情報に含まれる温度情報の温度への加熱を凝集時間継続して行う処理を開始する。
【０４３９】
次のステップ４２６では、表示媒体６２Ａの温度が上記ステップ４２２で読み取った凝集温度情報の温度と一致するまで否定判断を繰り返し、肯定されるとステップ４２８へ進む。ステップ４２６の判断は、温度検知部６９から入力された温度情報が、上記ステップ４２２で読み取った凝集温度情報の温度と一致するか否かを判別することによって判断可能である。なお、この一致するか否かの判断は、完全一致を必ずしも指すものではなく、例えば、第１の粒子３６Ｂの特性によって、凝集温度情報の温度の数％の範囲内等で一致していればよく、第１の粒子３６Ｂの特性毎に定めればよい。
【０４４０】
ステップ４２４〜ステップ４２６の処理によって、第１の粒子３６Ｂが凝集状態となる。
【０４４１】
次のステップ４２８では、ＲＯＭ７１Ｂから閉鎖温度情報を読み取り、次のステップ４３０において、読み取った閉鎖温度情報を、加熱部材６８へ出力する。
【０４４２】
閉鎖温度情報を受け付けた加熱部材６８は、受け付けた閉鎖温度情報に含まれる温度情報の温度への加熱を閉鎖時間継続して行う処理を開始する。
【０４４３】
次のステップ４３２では、表示媒体６２の温度が上記ステップ４２８で読み取った閉鎖温度情報に含まれる温度情報の温度と一致するまで否定判断を繰り返し、肯定されるとステップ４３４へ進む。ステップ４３２の判断は、温度検知部６９から入力された温度情報が、上記ステップ４２８で読み取った閉鎖温度情報に含まれる温度情報の温度と一致するか否かを判別することによって判断可能である。なお、この一致するか否かの判断は、完全一致を必ずしも指すものではなく、例えば、中空構造体９０Ａの特性によって、閉鎖温度情報の温度の数％の範囲内等で一致していればよく、中空構造体９０Ａの特性毎に定めればよい。
【０４４４】
ステップ４２８〜ステップ４３２の処理によって、中空構造体９０Ａの連結孔２６Ｂが開口状態から閉鎖状態へと変化する。
【０４４５】
次のステップ４３４では、電圧印加停止を示す信号を電圧印加部１４へ出力した後に、本ルーチンを終了する。電圧印加停止を示す信号を受け付けた電圧印加部１４は、表示電極２４と背面電極３０とへの電圧印加を停止する。
【０４４６】
図１９に示す上記ステップ４００〜ステップ４３４の処理が実行されることによって、例えば、該処理ルーチンの実行される前には、第１の粒子３６Ｂが背面基板２０側に存在しており、且つ、上記ステップ４００の処理で取得した画像情報に、第１の粒子３６Ｂの色を示す色情報が含まれている場合には、上記ステップ４００〜ステップ４１２の処理が行われることによって、中空構造体９０Ａの連結孔２６Ｂは、孔の拡がりによって、第１の粒子３６Ｂの通過の困難な状態である閉鎖状態（図２０（Ａ）参照）から、第１の粒子３６Ｂの通過の可能な状態である開口状態（図２０（Ｂ）参照）へと変化する。
【０４４７】
さらに、上記ステップ４１４〜ステップ４１６の処理が実行されることによって、第１の粒子３６Ｂが分散状態となる。
【０４４８】
そして、上記ステップ４１８〜ステップ４２０の処理が実行されることによって、背面基板２０側に存在していた第１の粒子３６Ｂは分散媒４２中を電気泳動して、表示媒体６２Ａの中空構造体９０Ａの開口状態にある連結孔２６Ｂを介して第１の空間２６Ａ内に到る（図２０（Ｃ）参照）。
【０４４９】
ここで、さらに、ステップ４２２〜ステップ４２６の処理が実行されることによって、第１の粒子３６Ｂは凝集状態となる。ここで、御上記ステップ４１８〜ステップ４２０の処理によって、第１の粒子３６Ｂは第１の空間２６Ａ内に到達していることから、第１の粒子３６Ｂは、第１の空間２６Ａ内で凝集した状態となる（図２０（Ｄ）参照）。
【０４５０】
さらに、ステップ４２８〜ステップ４３２の処理が実行されることによって、中空構造体９０Ａの連結孔２６Ｂは、第１の粒子３６Ｂの通過の可能な状態である開口状態（図２０（Ｄ）参照）から、第１の粒子３６Ｂの通過の困難な状態である閉鎖状態（図２０（Ｅ）参照）へと変化する。
【０４５１】
図２０（Ｅ）に示すように、第１の空間２６Ａ内には第１の粒子３６Ｂが到達した状態にある。このため、連結孔２６Ｂが温度刺激により開口状態から閉鎖状態へと変化することによって、第１の粒子３６Ｂは連結孔２６Ｂを通過することが困難となり、第１の空間２６Ａ内に到達した第１の粒子３６Ｂは第１の空間２６Ａ内に保持された状態となる。この状態で加熱部材６８による加熱が停止されても、連結孔２６Ｂの閉鎖状態は保持される。
また、更に、第１の空間２６Ａ内に保持されている第１の粒子３６Ｂは、第１の空間２６Ａ内で凝集した状態となっていることから、凝集状態となっていない場合に比べて、更に連結孔２６Ｂを介して中空構造体９０Ａの外部へと移動することが抑制される。
【０４５２】
このように、第１の粒子３６Ｂが連結孔２６Ｂを介して中空構造体９０Ａの第１の空間２６Ａ間を移動することや、中空構造体９０Ａの内部から外部へと移動することが抑制される。従って、表示媒体６２Ａの濃度変化が抑制される。
【０４５３】
なお、反対に、上記ステップ４００の処理で取得した画像情報に、表示媒体６２Ａの中間層３８の色を示す色情報が含まれている場合には、上記ステップ４００〜ステップ４１２の処理が行われることによって、例えば、表示基板１８側に設けられた中空構造体９０Ａの連結孔２６Ｂが図２０（Ｅ）に示す閉鎖状態から、図２０（Ｄ）に示す開口状態へと変化する。そして、さらに、ステップ４１４〜ステップ４２０の処理が実行されることによって、第１の粒子３６Ｂは凝集状態を解除されて分散状態となるとともに、分散状態となった第１の粒子３６Ｂは、表示基板１８側から背面基板２０側へと移動し始める（図２０（Ｃ）参照）。
【０４５４】
そして、さらに、この第１の粒子３６Ｂは、中間層３８の孔を介して背面基板２０側へと到る（図２０（Ｂ）参照）。そして、さらに、ステップ４２２〜ステップ４２６の処理が実行されることによって、背面基板２０側へ到った第１の粒子３６Ｂは背面基板２０側において凝集状態となる。このため、この凝集状態となった第１の粒子３６Ｂは、中間層３８の孔を通り抜けることが困難となるため、表示媒体６２Ａの濃度変化が抑制される。
【０４５５】
さらに、ステップ４２８〜ステップ４３２の処理によって、中空構造体９０Ａの連結孔２６Ｂが開口状態（図２０（Ｂ）参照）から閉鎖状態（図２０（Ａ）参照）へと変化する。これによって、表示基板１８側から視認されたときには、中間層３８の色が視認され、多色表示が可能となる。
さらに、表示基板１８側に設けられている中空構造体９０Ａの連結孔２６Ｂは、第１の粒子３６Ｂが背面基板２０側に移動した後に閉鎖状態とされ、さらに第１の粒子３６Ｂは凝集状態とされることから、背面基板２０側に移動した第１の粒子３６Ｂの色が表示基板１８側から視認されることが抑制され、表示媒体６２Ａの濃度変化が抑制される。
【０４５６】
（第５の実施の形態）
上記第1の実施の形態及び上記第２の実施の形態では、中空構造体２６の連結孔２６Ｂは、第１の刺激として、電界の作用により開口状態または閉鎖状態へと変化する場合を説明した。本実施の形態では、中空構造体２６の連結孔２６Ｂは、第１の刺激として、光の作用により開口状態または閉鎖状態へと変化する場合を説明する。
【０４５７】
なお、本実施の形態は、上記実施の形態と同様の構成のため、同一部分には同一符号を付与して詳細な説明を省略する。
【０４５８】
本実施の形態に係る表示装置７０は、図２１に示すように、表示媒体７２と、書込装置７４と、を含んで構成されている。なお、表示装置７０は、上記説明した表示装置１０と同一構成部分には同一番号を付与して詳細な説明を省略する。
【０４５９】
書込装置７４は、電圧印加部１４、画像情報取得部１７、及び制御部７７を含んで構成されている。電圧印加部１４、及び画像情報取得部１７は、制御部７７に信号授受可能に接続されている。
【０４６０】
なお、表示媒体７２が本発明の表示媒体に相当し、表示装置７０が本発明の表示装置に相当し、書込装置７４が、本発明の書込装置に相当する。また、電圧印加部１４が、本発明の表示装置及び書込装置の電圧印加手段に相当する。
【０４６１】
表示媒体７２は、画像表示面とされる表示基板１８、表示基板１８に間隙をもって対向する背面基板２０、これらの基板間を所定間隔に保持すると共に、表示基板１８と背面基板２０との間を複数のセルに区画する間隙部材３４、各セル内に封入された、分散媒４２、中空構造体９０Ｂ、中間層３８、及び第１の粒子３６を含んで構成されている。
【０４６２】
また、表示媒体７２の背面基板２０の、表示基板１８に向かい合う面とは反対側の面には、光照射部７８が設けられている。
【０４６３】
光照射部７８は、表示基板１８と背面基板２０との間に光を照射するための装置であって、制御部７７に信号授受可能に接続されている。
光照射部７８は、制御部７７から入力された情報に基づいて、該情報に対応する特定の波長領域の光を選択的に表示基板１８と背面基板２０との間の領域に照射可能な装置であれば、どのような構成であってもよい。
【０４６４】
なお、図示は、省略するが、表示媒体７２には、光照射部７８から照射された光の強度を測定するための光強度測定装置を設けても良い。この場合には、この光強度測定装置を制御部７７に信号授受可能に接続すればよい。
【０４６５】
なお、本実施の形態では、光照射部７８は、表示媒体７２と一体的に設けられている場合を説明するが、光照射部７８は、書込装置７４に一体的に設けられた構成であってもよい。この場合には、表示媒体７２が書込装置７４に装着された状態において、光照射部７８が表示媒体７２の表示基板１８と背面基板２０との間に光を照射することが可能な位置に設けられていればよい。
【０４６６】
表示媒体７２の分散媒４２中には、複数の第１の粒子３６が封入されている。この第１の粒子３６は、第１の実施の形態で説明したため説明を省略する。
【０４６７】
中空構造体９０Ｂは、第１の実施の形態で説明した中空構造体２６と同様に、第１の空間２６Ａと連結孔２６Ｂとを有している。
この中空構造体９０Ｂにおいては、第１の刺激として、電界の作用に換えて、光の作用により連結孔２６Ｂの孔径が変化する以外は、第１の実施の形態で説明した中空構造体２６と同じ構成であるため、詳細な説明を省略する。
すなわち、本実施の形態の表示媒体６２に設けられている中空構造体９０Ｂの連結孔２６Ｂは、第１の刺激として、光の作用により開口状態または閉鎖状態へと変化する。
【０４６８】
このような中空構造体９０Ｂを構成する材料、構成、及び製造方法は、第１の実施の形態で説明した中空構造体２６と同一であるが、異なる点は、連結孔２６Ｂを構成する管状体２７Ａ（図４参照）の構成材料が異なる点である。
【０４６９】
具体的には、中空構造体９０Ｂの連結孔２６Ｂを形作っている管状体２７Ａを調整するために用いる刺激応答材料として、光刺激により応答する材料であって、この光の作用によって結果的に連結孔２６Ｂの孔径が変化する材料を用いればよい。
【０４７０】
ここで、この連結孔２６Ｂの孔径の光の作用による変化は、連結孔２６Ｂを構成する管状体２７Ａを構成する材料に特定の波長領域の光が作用することで、光学異性化反応が生じることにより極性が変化して溶媒の溶解度が変化することによって生じる。
【０４７１】
このような管状体２７Ａの光学異性化を生じさせて連結孔２６Ｂを開口状態または閉鎖状態へ変化させるために、表示基板１８と背面基板２０との基板間に照射する光の波長や、光の照射時間は、管状体２７Ａを構成する材料や、溶媒（分散媒）や温度等によって異なるが、表示媒体７２として構成したときに予め測定すればよい。
【０４７２】
このような光の作用により変化する刺激応答材料としては、具体的には、トリアリールメタン誘導体やスピロベンゾピラン誘導体などの光によってイオン解離する基を有する高分子化合物の架橋物が好ましく、その例として、ビニル置換トリアリールメタンロイコ誘導体の架橋物、あるいは他の共重合体の架橋物などが挙げられる。また、アゾ基（特にアゾベンゼン構造）を有する化合物などの光によってシス−トランス異性化を生じる基を有する高分子化合物の架橋物が好ましい。その例としては、（メタ）アクリロイル基含有アゾベンゼンと（メタ）架橋物、あるいは他の共重合体の架橋物などが挙げられる。等が挙げられる。
【０４７３】
これらの中でも、コストやハンドリング、安定性や液晶化合物への展開性の理由から、アゾベンゼンと（メタ）アクリルアミドとの共重合体の架橋物が好適に用いられる。
【０４７４】
この刺激応答材料の溶媒としては、刺激応答材料の光異性化反応において溶解度が変化するという機能を有していれば良く公知の溶媒が用いられるが、水や有機材料やそれらの混合物等が用いられる。具体的には、刺激応答材料の溶媒としては、水、有機溶媒（例えば、メチルアルコール、エチルアルコール、プロピルアルコール、ブチルアルコール、エチレングリコール、プロピレングリコールなどのアルコール類；アセトンやメチルエチルケトンなどのケトン類；エーテル類；エステル類；等の他、ジメチルホルムアミド、ジメチルアセトアミド、ジメチルスルホオキシド、アセトニトリル、エチレンカーボネート、プロピレンカーボネート、テトラヒドロフラン、ピロリドン誘導体、）、油類（例えば、脂肪族、は芳香族系有機溶媒、シリコンオイル）、イオン液体（例えば、１−エチル−３−メチルイミダゾリウムブロマイド、１−エチル−３−メチルイミダゾリウムクロライド、１−エチル−３−メチルイミダゾリウムラクテート、ヘキサフルオロリン酸−１−エチル−３−メチルイミダゾリウム、１−エチル−３−メチルイミダゾリウムブロマイドテトラフルオロボレート、１−エチル−３−メチルイミダゾリウムトリフルオロメタンスルホネート、１−ブチル−３−メチルイミダゾリウムブロマイド、１−ブチル−３−メチルイミダゾリウムクロライド、ヘキサフルオロリン酸−１−ブチル−３−メチルイミダゾリウムテトラフルオロボレート、−１−ブチル−３−メチルイミダゾリウムトリフルオロメタンスルホネート、−１−ブチル−３−メチルイミダゾリウムラクテート、１−ヘキシル−３−メチルイミダゾリウムブロマイド、１−ヘキシル−３−メチルイミダゾリウムクロライド、１−ヘキシル−３−メチルイミダゾリウムラクテート、ヘキサフルオロリン酸−１−ヘキシル−３−メチルイミダゾリウム、１−ヘキシル−３−メチルイミダゾリウムブロマイドテトラフルオロボレート、１−エチル−３−メチルイミダゾリウムトリフルオロメタンスルホネート、１−オクチル−３−メチルイミダゾリウムブロマイド、１−オクチル−３−メチルイミダゾリウムクロライド、１−オクチル−３−メチルイミダゾリウムラクテート、ヘキサフルオロリン酸−１−オクチル−３−メチルイミダゾリウム、１−オクチル−３−メチルイミダゾリウムブロマイドテトラフルオロボレート、１−オクチル−３−メチルイミダゾリウムトリフルオロメタンスルホネート、１−デシル−３−メチルイミダゾリウムブロマイド、１−デシル−３−メチルイミダゾリウムクロライド、１−デシル−３−メチルイミダゾリウムラクテート、ヘキサフルオロリン酸−１−デシル−３−メチルイミダゾリウム、１−デシル−３−メチルイミダゾリウムブロマイドテトラフルオロボレート、１−デシル−３−メチルイミダゾリウムトリフルオロメタンスルホネート、１−ドデシル−３−メチルイミダゾリウムブロマイド、１−ドデシル−３−メチルイミダゾリウムクロライド、１−ドデシル−３−メチルイミダゾリウムラクテート、ヘキサフルオロリン酸−１−ドデシル−３−メチルイミダゾリウム、１−ドデシル−３−メチルイミダゾリウムブロマイドテトラフルオロボレート、１−ドデシル−３−メチルイミダゾリウムトリフルオロメタンスルホネート、１−エチル−２，３−ジメチルイミダゾリウムブロマイド、１−エチル−２，３−ジメチルイミダゾリウムクロライド、１−エチル−２，３−ジメチルイミダゾリウムラクテート、ヘキサフルオロリン酸−１−エチル−２，３−ジメチルイミダゾリウム、１−エチル−２，３−ジメチルイミダゾリウムブロマイドテトラフルオロボレート、１−エチル−２，３−ジメチルイミダゾリウムトリフルオロメタンスルホネート、１−ブチル−２，３−ジメチルイミダゾリウムブロマイド、１−ブチル−２，３−ジメチルイミダゾリウムクロライド、ヘキサフルオロリン酸−１−ブチル−２，３−ジメチルイミダゾリウムテトラフルオロボレート、−１−ブチル−２，３−ジメチルイミダゾリウムトリフルオロメタンスルホネート、−１−ブチル−２，３−ジメチルイミダゾリウムラクテート、１−ヘキシル−２，３−ジメチルイミダゾリウムブロマイド、１−ヘキシル−２，３−ジメチルイミダゾリウムクロライド、１−ヘキシル−２，３−ジメチルイミダゾリウムラクテート、ヘキサフルオロリン酸−１−ヘキシル−２，３−ジメチルイミダゾリウム、１−ヘキシル−２，３−ジメチルイミダゾリウムブロマイドテトラフルオロボレート、１−エチル−２，３−ジメチルイミダゾリウムトリフルオロメタンスルホネート、１−オクチル−２，３−ジメチルイミダゾリウムブロマイド、１−オクチル−２，３−ジメチルイミダゾリウムクロライド、１−オクチル−２，３−ジメチルイミダゾリウムラクテート、ヘキサフルオロリン酸−１−オクチル−２，３−ジメチルイミダゾリウム、１−オクチル−２，３−ジメチルイミダゾリウムブロマイドテトラフルオロボレート、１−オクチル−２，３−ジメチルイミダゾリウムトリフルオロメタンスルホネート、１−デシル−２，３−ジメチルイミダゾリウムブロマイド、１−デシル−２，３−ジメチルイミダゾリウムクロライド、１−デシル−２，３−ジメチルイミダゾリウムラクテート、ヘキサフルオロリン酸−１−デシル−２，３−ジメチルイミダゾリウム、１−デシル−２，３−ジメチルイミダゾリウムブロマイドテトラフルオロボレート、１−デシル−２，３−ジメチルイミダゾリウムトリフルオロメタンスルホネート、１−ドデシル−２，３−ジメチルイミダゾリウムブロマイド、１−ドデシル−２，３−ジメチルイミダゾリウムクロライド、１−ドデシル−２，３−ジメチルイミダゾリウムラクテート、ヘキサフルオロリン酸−１−ドデシル−２，３−ジメチルイミダゾリウム、１−ドデシル−２，３−ジメチルイミダゾリウムブロマイドテトラフルオロボレート、１−ドデシル−２，３−ジメチルイミダゾリウムトリフルオロメタンスルホネート、１-エチルピリジニウムブロマイド、１-エチルピリジニウムクロライド、１-エチルピリジニウムラクテート、ヘキサフルオロリン酸-１-エチルピリジニウム、１-エチルピリジニウムテトラフルオロボレート、１-エチルピリジニウムトリフルオロメタンスルホネート、１-ブチルピリジニウムブロマイド、１-ブチルピリジニウムクロライド、１-ブチルピリジニウムラクテート、ヘキサフルオロリン酸-１-ブチルピリジニウム、１-ブチルピリジニウムテトラフルオロボレート、１-ブチルピリジニウムトリフルオロメタ���スルホネート、１-ヘキシルピリジニウムブロマイド、１-ヘキシルピリジニウムクロライド、１-ヘキシルピリジニウムラクテート、ヘキサフルオロリン酸-１-ヘキシルピリジニウム、１-ヘキシルピリジニウムテトラフルオロボレート、１-ヘキシルピリジニウムトリフルオロメタンスルホネート）やそれらの任意の混合物が挙げられる。
【０４７５】
上記光の作用により応答する刺激応答材料を、連結孔２６Ｂを構成する管状体２７Ａを構成する材料として用いる以外は、上記第１の実施の形態で説明した中空構造体２６と同様にして作製することで、コロイド粒子構造体２９（図５参照）と同じ形状の第１の空間２６Ａと、第１の刺激として光の作用により孔径の変化する管状体２７Ａによって形成されている連結孔２６Ｂと、を有する、ネガ型の中空構造体９０Ｂが作製される。
【０４７６】
なお、中空構造体９０Ｂの作製方法は、上記方法に限られるものではなく、上記の連結孔２６Ｂ及び第１の空間２６Ａが設けられた構成の中空構造体９０Ｂが製造できればどのような方法を用いてもよい。
【０４７７】
次に、本実施の形態の表示装置７０及び書込装置７４について説明する。
【０４７８】
上述のように、表示装置７０は、上記表示媒体７２と、この表示媒体７２に画像を表示するための書込装置７４と、を含んで構成されている。
【０４７９】
書込装置７４は、で電圧印加部１４と、制御部７７と、画像情報取得部１７と、を含んで構成されている。
電圧印加部１４は、制御部７７に信号授受可能に接続されるとともに、表示電極２４及び背面電極３０に電圧印加可能に接続されている。光照射部７８は、制御部７７に信号授受可能に接続されている。
【０４８０】
画像情報取得部１７は、表示装置７０及び書込装置７４の外部から表示媒体７２に表示する画像を示す画像情報を取得する。
【０４８１】
制御部７７は、画像情報取得部１７が取得した画像情報に応じて電圧印加部１４から表示媒体７２に印加する電圧を制御すると共に、光照射部７８から表示媒体７２内への光の照射を制御する。制御部７７は、ＣＰＵ７７Ａ、ＲＯＭ７７Ｂ、ＲＡＭ７７Ｃ、及び図示を省略するハードディスク等を含むマイクロコンピュータで構成されている。このＣＰＵ７７Ａは、ＲＯＭ７７Ｂや図示を省略するハードディスク等に記憶されているプログラムに従って表示媒体７２への画像表示を行う。
【０４８２】
なお、表示媒体７２は、書込装置７４に対して着脱可能に設けられていてもよいし、書込装置７４に電気的に接続された状態で固定化されていてもよい。
表示媒体７２を書込装置７４に対して着脱可能に設けることによって、表示媒体７２の交換が可能となり、１台の書込装置７４を用いて複数の表示媒体７２への画像表示が可能となる。
【０４８３】
以下に、本実施の形態における表示媒体７２を備えた表示装置７０の制御部７７のＣＰＵ７７Ａで実行される処理を説明する。
【０４８４】
制御部７７のＣＰＵ７７Ａでは、図２２に示す処理ルーチンによって示されるプログラムを制御部７７内のＲＯＭ７７Ｂまたはハードディスク等から読み取ることによって、図２２に示す処理を実行する。
【０４８５】
なお、本実施の形態では、説明を簡略化するために、画像情報取得部１７は、画像情報として、表示媒体７２の特定の１つのセルに表示する画像の色を示す情報を取得するものとし、該画像情報に基づいた色を表示媒体７２の対応する１つのセルに表示する場合を説明する。
【０４８６】
なお、本実施の形態では、電気泳動電圧情報を予めＲＯＭ７７Ｂに記憶しているとして説明する。
【０４８７】
電気泳動電圧情報は、表示媒体７２に表示する色を示す色情報に対応して予め記憶されている。
この電気泳動電圧情報とは、表示媒体７２内の第１の粒子３６が表示基板１８と背面基板２０との何れか一方の基板側から他方の基板側へ移動するための電圧の電圧値、電圧印加時間（以下、電気泳動時間と称する）、及び極性等を示す情報であり、第１の粒子３６の上記泳動電圧範囲と、表示媒体７２の構成と、によって定まる。
【０４８８】
なお、第１の粒子３６のこれらの電気泳動電圧情報は、予め表示媒体７２毎に測定して、予めＲＯＭ７７Ｂに記憶すればよい。
【０４８９】
また、本実施の形態では、開口光情報と、閉鎖光情報と、を予めＲＯＭ７７Ｂに記憶しているとして説明する。
【０４９０】
この開口光情報とは、中空構造体９０Ｂの連結孔２６Ｂの孔径を拡げて、該連結孔２６Ｂを閉鎖状態から開口状態へと変化させるために必要な光の波長領域（開口波長領域）を示す情報、及び該開口波長領域の光の照射時間等を示す情報である。
【０４９１】
また、この閉鎖光情報とは、中空構造体９０Ｂの連結孔２６Ｂの孔径を狭めて、該連結孔２６Ｂを開口状態から閉鎖状態へと変化させるために必要な光の波長領域（閉鎖波長領域）を示す情報、及び該閉鎖波長領域の光の照射時間等を示す情報である。
【０４９２】
なお、閉鎖波長領域と、開口波長領域は、互いに異なる波長領域であり、このような特性を有する材料を、上記刺激応答性材料として選択すればよい。具体的には、刺激応答性材料としてトリアリールメタン誘導体やスピロベンゾピラン誘導体などの光によってイオン解離する基を有する材料、その例として、ビニル置換トリアリールメタンロイコ誘導体の架橋物、あるいは他の共重合体の架橋物などが挙げられる。また、アゾ基（特にアゾベンゼン構造）を有する化合物などの光によってシス−トランス異性化を生じる基を有する材料、その例としては、（メタ）アクリロイル基含有アゾベンゼンと（メタ）架橋物、あるいは他の共重合体の架橋物などが挙げられる。
【０４９３】
これらの閉鎖光情報及び開口光情報は、連結孔２６Ｂを形成している管状体２７Ａを構成する材料の特性や、分散媒４２の種類、及び表示媒体７２の構成等によって定まる。
【０４９４】
なお、これらの開口光情報及び閉鎖光情報は、予め表示媒体７２毎に測定して、予めＲＯＭ７７Ｂに記憶すればよい。
【０４９５】
以下に、本実施の形態における表示媒体７２を備えた表示装置７０の制御部７７のＣＰＵ７７Ａで実行される処理を説明する。
【０４９６】
制御部７７のＣＰＵ７７Ａでは、所定時間毎に図２２に示す処理ルーチンが実行されてステップ５００へ進む。
ステップ５００では、画像情報取得部１７が画像情報を取得したか否かを判別し、否定されると本ルーチンを終了し、肯定されるとステップ５０２へ進む。
【０４９７】
ステップ５０２では、連結孔２６Ｂの開口光情報をＲＯＭ６７Ｂから読み取る。
【０４９８】
次のステップ５０４では、ステップ５００で取得した画像情報に含まれる色情報を読み取る。
【０４９９】
次のステップ５０６では、上記ステップ５０４で読み取った色情報に対応する電気泳動電圧情報をＲＯＭ７７Ｂから読取る。
【０５００】
次のステップ５０８では、上記ステップ５０２で読み取った開口光情報を含む光照射指示信号を光照射部７８へ出力する。光照射指示信号を受け付けた光照射部７８は、開口光情報に含まれる光の波長領域を示す分散波長領域情報に応じた波長領域、及び継続照射時間情報に基づいて、該波長領域の光の表示基板１８と背面基板２０との間への照射を開始。
【０５０１】
次のステップ５１０では、上記ステップ５０８で光照射指示信号を光照射部７８へ出力してから、該ステップ５０８で出力した光照射指示信号の開口光情報に含まれる開口光照射時間を経過するまで否定判断を繰り返し、肯定されると、ステップ５１２へ進む。
【０５０２】
ステップ５０８〜ステップ５１０の処理によって、中空構造体９０Ｂの連結孔２６Ｂが閉鎖状態から開口状態へと変化する。
【０５０３】
次のステップ５１２では、上記ステップ５０６で読み取った電気泳動電圧情報を電圧印加部１４へ出力し、次のステップ５１４において、ステップ５１２の処理終了から該ステップ５１２で電圧印加部１４へ出力した電気泳動電圧情報に含まれる電気泳動時間を経過したか否かを判別し、肯定されるまで否定判断を繰り返し、肯定されると、ステップ５１６へ進む。
【０５０４】
電気泳動電圧情報を受け付けた電圧印加部１４は、受け付けた電気泳動電圧情報に含まれる電気泳動電圧値の電圧の表示電極２４と背面電極３０との間への印加を開始する。
【０５０５】
ステップ５１２〜ステップ５１４の処理によって、例えば、表示基板１８側へ移動させるための電圧が表示電極２４と背面電極３０とに印加されると、分散媒４２中において分散状態とされた第１の粒子３６は、第１の粒子３６が表示基板１８側に到り、中空構造体９０Ｂの第１の空間２６Ａ内に到る。
【０５０６】
ステップ５１６では、ＲＯＭ７７Ｂから閉鎖光情報を読み取り、次のステップ５１８において、読み取った閉鎖光情報を光照射部７８へ出力する。
閉鎖光情報を受け付けた光照射部７８は、受け付けた閉鎖光情報の閉鎖波長領域の波長領域の光を表示基板１８と背面基板２０との間に照射し始める。
【０５０７】
次のステップ５２０では、上記ステップ５１８の処理において閉鎖光情報を光照射部７８へ出力してから、該ステップ５２０で光照射部７８へ出力した閉鎖光情報に示される光照射継続時間を経過するまで否定判断を繰り返し、肯定されると、ステップ５２２へ進む。
【０５０８】
ステップ５１８〜ステップ５２０の処理が実行されることによって、中空構造体９０Ｂの連結孔２６Ｂが開口状態から閉鎖状態へと変化する。
【０５０９】
次に、ステップ５２２の処理によって、電圧印加停止を示す信号を電圧印加部１４に出力した後に、ステップ５２４の処理によって光照射停止を示す信号を、光照射部７８へ出力した後に、本ルーチンを終了する。
【０５１０】
ステップ５２２の処理及びステップ５２４の処理が実行されることによって、電圧印加部１４による電圧の印加が停止されるとともに、光照射部７８による光照射が停止される。
【０５１１】
図２２に示す上記ステップ５００〜ステップ５２４の処理が実行されることによって、例えば、該処理ルーチンの実行される前には、第１の粒子３６が背面基板２０側に存在しており、且つ、上記ステップ５００の処理で取得した画像情報に、第１の粒子３６の色を示す色情報が含まれている場合には、上記ステップ５００〜ステップ５１０の処理が行われることによって、中空構造体９０Ｂの連結孔２６Ｂは、孔の拡がりによって、第１の粒子３６の通過の困難な状態である閉鎖状態（図２３（Ａ）参照）から、第１の粒子３６の通過の可能な状態である開口状態（図２３（Ｂ）参照）へと変化する。
【０５１２】
さらに、上記ステップ５１２〜ステップ５１４の処理が実行されることによって、背面基板２０側に存在していた第１の粒子３６は分散媒４２中を電気泳動して（図２３（Ｃ）参照）、表示媒体７２の中空構造体９０Ｂの開口状態にある連結孔２６Ｂを介して第１の空間２６Ａ内に到る（図２３（Ｄ）参照）。
【０５１３】
ここで、さらに、ステップ５１６〜ステップ５２０の処理が実行されることによって、中空構造体９０Ｂの連結孔２６Ｂは、孔の狭まりによって、第１の粒子３６の通過の可能な状態である開口状態（図２３（Ｄ）参照）から、第１の粒子３６の通過の困難な状態である閉鎖状態（図２３（Ｅ）参照）へと変化する。
【０５１４】
ここで、図２３（Ｅ）に示すように、第１の空間２６Ａ内には第１の粒子３６が到達した状態にある。このため、連結孔２６Ｂが光刺激により開口状態から閉鎖状態へと変化することによって、第１の粒子３６は連結孔２６Ｂを通過することが困難となり、第１の空間２６Ａ内に保持された状態となる。この状態で光照射部７８による光照射が停止されても、連結孔２６Ｂの閉鎖状態は保持されるため、第１の空間２６Ａ内に到達した第１の粒子３６は第１の空間２６Ａ内に保持される。
【０５１５】
このように、第１の粒子３６が連結孔２６Ｂを介して中空構造体９０Ｂの第１の空間２６Ａ間を移動することや、中空構造体９０Ｂの内部から外部へと移動することが抑制される。
従って、表示媒体７２の濃度変化が抑制される。
【０５１６】
なお、反対に、上記ステップ５００の処理で取得した画像情報に、表示媒体７２の中間層３８の色を示す色情報が含まれている場合には、上記ステップ５０２〜ステップ５１０の処理が行われることによって、例えば、表示基板１８側に設けられた中空構造体９０Ｂの連結孔２６Ｂが図２３（Ｅ）に示す閉鎖状態から、図２３（Ｄ）に示す開口状態へと変化する。そして、この連結孔２６Ｂが開口状態へと変化した後に、中空構造体９０Ｂの第１の空間２６Ａ内に保持されていた第１の粒子３６が、開口状態にある連結孔２６Ｂを介して中空構造体９０Ｂの外部へと電気泳動しはじめ（図２３（Ｃ）参照）、さらに、中間層３８の孔を介して背面基板２０側へと到る（図２３（Ｂ）参照）。そして。さらに、中空構造体９０Ｂの連結孔２６Ｂが開口状態（図２３（Ｂ）参照）から閉鎖状態（図２３（Ａ）参照）へと変化する。これによって、表示基板１８側から視認されたときには、中間層３８の色が視認され、多色表示が可能となる。
【０５１７】
さらに、表示基板１８側に設けられている中空構造体９０Ｂの連結孔２６Ｂは第１の粒子３６が背面基板２０側に移動した後に、閉鎖状態とされることから、背面基板２０側に移動した第１の粒子３６群の色による表示媒体７２の濃度変化が抑制される。
【０５１８】
（第６の実施の形態）
上記第５の実施の形態では、連結孔２６Ｂが第１の刺激として光の作用により開口状態または閉鎖状態へと変化する中空構造体９０Ｂを用いると共に、第１の粒子３６として、表示基板１８と背面基板２０との基板間に形成された電界によって基板間を移動する特性を有する粒子を用いる場合を説明した。
本実施の形態では、中空構造体９０Ｂについては第５の実施の形態と同様に、連結孔２６Ｂが第１の刺激として光の作用により開口状態または閉鎖状態へと変化する中空構造体９０Ｂを用いるが、第１の粒子３６として、表示基板１８と背面基板２０との間に形成された電界によって基板間を移動するという特性を有すると共に、第２の刺激として表示基板１８と背面基板２０との間に照射された光の作用により凝集または分散する特性を有する第1の粒子３６Ｃを用いる場合を説明する。
【０５１９】
本実施の形態に係る表示装置７０Ａは、図２４に示すように、表示媒体７２Ａと、書込装置７４Ａと、を含んで構成されている。
【０５２０】
書込装置７４Ａは、電圧印加部１４、画像情報取得部１７、及び制御部７９を含んで構成されている。電圧印加部１４、及び画像情報取得部１７は、制御部７９に信号授受可能に接続されている。
【０５２１】
なお、表示媒体７２Ａが本発明の表示媒体に相当し、表示装置７０Ａが本発明の表示装置に相当し、書込装置７４Ａが、本発明の書込装置に相当する。また、電圧印加部１４が、本発明の表示装置及び書込装置の電圧印加手段に相当する。
【０５２２】
表示媒体７２Ａは、表示基板１８、背面基板２０、間隙部材３４、分散媒４２、中空構造体９０Ｂ、中間層３８、及び第１の粒子３６Ｃを含んで構成されている。
【０５２３】
また、表示媒体７２Ａの背面基板２０の、表示基板１８に向かい合う面とは反対側の面には、光照射部７８が設けられている。
【０５２４】
なお、本実施の形態の表示媒体７２Ａ、書込装置７４Ａ、及び表示装置７０Ａは、上記第４の実施の形態と同様の構成のため、同一部分には同一符号を付与して詳細な説明を省略する。
【０５２５】
第１の粒子３６Ｃは、表示基板１８と背面基板２０との基板間に形成された電界によって基板間を移動するという特性と共に、第２の刺激としての光の作用によって凝集または分散する特性を更に有する粒子である。この第1の粒子３６Ｃは、表示基板１８と背面基板２０との基板間に予め定められた泳動電圧範囲内または泳動電圧範囲を超える電圧が印加されると分散媒４２中を移動すると共に、第２の刺激としての光の作用により凝集または分散する。
【０５２６】
詳細には、第１の粒子３６Ｃは、所定の波長領域（以下、凝集波長領域と称する）の光を照射されると凝集し、凝集波長領域の範囲外の波長領域（以下、分散波長領域と称する）の光を照射されると分散媒４２中に分散した状態となる特性を有している。
【０５２７】
この第１の粒子３６Ｃの光の作用による分散媒４２中の凝集及び分散は、第１の粒子３６Ｃの、少なくとも分散媒４２と接する面（表面）を構成する材料が特定の波長領域の光の作用によって分散媒４２に溶解し、該波長領域とは異なる波長領域の光の作用によって第１の粒子３６Ｃの表面に析出することによって生じる。
【０５２８】
つまり、第１の粒子３６Ｃの少なくとも表面を構成する材料を、照射する光の波長領域に応じて、分散媒４２中に溶解または析出する材料で構成することによって、照射する光の波長を調整することで凝集または分散する第１の粒子３６Ｃを調整する。
【０５２９】
この第１の粒子３６Ｃの分散及び凝集を生じさせるために表示基板１８と背面基板２０との基板間に加える光の波長領域及び該波長領域の光の照射時間は、第１の粒子３６Ｃの表面を構成する材料の特性や、分散媒４２の種類等に応じて予め定めればよい。
【０５３０】
この電界により分散媒４２中を電気泳動する特性及び、光刺激により凝集及び分散する特性を有する第１の粒子３６Ｃとしては、例えば、上記第１の実施の形態で説明した説明した電界の作用により基板間を移動する粒子として調整した粒子表面を更に、光の照射により溶解度が変化する材料を修飾させることで、上述のような光刺激により分散状態または凝集状態となる第１の粒子３６Ｃとすればよい。
【０５３１】
この特定の表面処理としては、第１の実施の形態で説明した第１の粒子３６を、例えばカップリング剤等による活性基の導入やプラズマ放電やコロナ放電やＸ線照射などによる表面活性化により第１の粒子に所望の特性を有する官能基や高分子鎖を導入したり、所望の特性を有する材料でカプセル化すればよい。
【０５３２】
具体的には、アゾベンゼン類、スピロピラン類、スピロオキサジン類、ジアリールエテン類、フルギド類、クロメン類などのフォトクロミック活性な材料を用いればよい。
【０５３３】
この第１の粒子３６Ｃを作製する方法としては乳化重合法、懸濁重合法、膜乳化重合法、フォープフリー重合法、シード重合法、コア／シェル重合法、プラズマスプレー法、転動造粒法、押出し造粒法、圧縮造粒法、溶融造粒法、噴霧乾燥造粒法、流動層造粒法、破砕造粒法、攪拌造粒法、コーティング造粒法、液相造粒法、真空凍結造粒法などによって作製する。
【０５３４】
なお、光の作用によって凝集または分散する第１の粒子３６Ｃを用いる場合には、分散媒４２は、第１の粒子３６Ｃを形成する材料に応じて選択し、光照射により第１の粒子３６Ｃがフォトクロミック転位の前後で溶解度が大きく変化する特性を有する液体が用いられ、上記第１の実施の形態で挙げた分散媒４２から系中の電位勾配を得るために非電解質液体であることが好ましい。
【０５３５】
次に、本実施の形態の表示装置７０Ａ及び書込装置７４Ａについて説明する。
【０５３６】
上述のように、表示装置７０Ａは、上記表示媒体７２Ａと、この表示媒体７２Ａに画像を表示するための書込装置７４Ａと、を含んで構成されている。
【０５３７】
書込装置７４Ａは、電圧印加部１４と、制御部７９と、画像情報取得部１７と、を含んで構成されている。
電圧印加部１４は、制御部７９に信号授受可能に接続されるとともに、表示電極２４及び背面電極３０に電圧印加可能に接続されている。光照射部７８は、制御部７９に信号授受可能に接続されている。
【０５３８】
画像情報取得部１７は、表示装置７０Ａ及び書込装置７４Ａの外部から表示媒体７２Ａに表示する画像を示す画像情報を取得する。
【０５３９】
制御部７９は、画像情報取得部１７が取得した画像情報に応じて電圧印加部１４から表示媒体７２Ａに印加する電圧を制御すると共に、光照射部７８から表示媒体７２Ａ内への光の照射を制御する。制御部７９は、ＣＰＵ７９Ａ、ＲＯＭ７９Ｂ、ＲＡＭ７９Ｃ、及び図示を省略するハードディスク等を含むマイクロコンピュータで構成されている。このＣＰＵ７９Ａは、ＲＯＭ７９Ｂや図示を省略するハードディスク等に記憶されているプログラムに従って表示媒体７２Ａへの画像表示を行う。
【０５４０】
なお、表示媒体７２Ａは、書込装置７４Ａに対して着脱可能に設けられていてもよいし、書込装置７４Ａに電気的に接続された状態で固定化されていてもよい。
表示媒体７２Ａを書込装置７４Ａに対して着脱可能に設けることによって、表示媒体７２Ａの交換が可能となり、１台の書込装置７４Ａを用いて複数の表示媒体７２Ａへの画像表示が可能となる。
【０５４１】
以下に、本実施の形態における表示媒体７２Ａを備えた表示装置７０Ａの制御部７９のＣＰＵ７９Ａで実行される処理を説明する。
【０５４２】
制御部７９のＣＰＵ７９Ａでは、図２５に示す処理ルーチンによって示されるプログラムを制御部７９内のＲＯＭ７９Ｂまたはハードディスク等から読み取ることによって、図２５に示す処理を実行する。
【０５４３】
なお、本実施の形態では、説明を簡略化するために、画像情報取得部１７は、画像情報として、表示媒体７２Ａの特定の１つのセルに表示する画像の色を示す情報を取得するものとし、該画像情報に基づいた色を表示媒体７２Ａの対応する１つのセルに表示する場合を説明する。
【０５４４】
なお、本実施の形態では、電気泳動電圧情報を予めＲＯＭ７９Ｂに記憶しているとして説明する。
【０５４５】
電気泳動電圧情報は、表示媒体７２Ａに表示する色を示す色情報に対応して予め記憶されている。
この電気泳動電圧情報とは、表示媒体７２Ａ内の第１の粒子３６Ｃが表示基板１８と背面基板２０との何れか一方の基板側から他方の基板側へ移動するための電圧の電圧値、電圧印加時間（以下、電気泳動時間と称する）、及び極性等を示す情報であり、第１の粒子３６Ｃの上記泳動電圧範囲と、表示媒体７２Ａの構成と、によって定まる。
【０５４６】
なお、第１の粒子３６Ｃのこれらの電気泳動電圧情報は、予め表示媒体７２Ａ毎に測定して、予めＲＯＭ７９Ｂに記憶すればよい。
【０５４７】
また、本実施の形態では、更に、開口光情報と、閉鎖光情報と、分散光情報と、凝集光情報と、を予めＲＯＭ７９Ｂに記憶しているとして説明する。
【０５４８】
開口光情報及び閉鎖光情報については、上記実施の形態で説明したため詳細な説明を省略する。
【０５４９】
分散光情報とは、表示媒体７２Ａ内の第１の粒子３６Ｃを分散媒４２中で分散させるために必要な光の波長領域（分散波長領域）を示す情報、及び該分散波長領域の光の照射時間等を示す情報である。
【０５５０】
また、この凝集光情報とは、表示媒体７２Ａ内の第１の粒子３６Ｃを分散媒４２中で凝集させるために必要な光の波長領域（凝集波長領域）を示す情報、及び該凝集波長領域の光の照射時間等を示す情報である。
【０５５１】
これらの分散光情報及び凝集光情報は、第１の粒子３６Ｃの表面を構成する材料の特性や、分散媒４２の種類、及び表示媒体７２Ａの構成等によって定まる。
【０５５２】
なお、これらの開口光情報、閉鎖光情報、凝集光情報、及び分散光情報は、予め表示媒体７２Ａ毎に測定して、予めＲＯＭ７９Ｂに記憶すればよい。
【０５５３】
また、この開口光情報、閉鎖光情報、凝集光情報、及び分散光情報各々に含まれる波長領域を示す情報は、互いに異なるものとする。このため、表示媒体７２Ａは、開口波長領域、閉鎖波長領域、凝集波長領域、及び分散波長領域が互いに異なるように、中空構造体９０Ｂの連結孔２６Ｂを形つくっている管状体２７Ａを構成する刺激応答材料や、第１の粒子３６Ｃを構成する材料を選択すればよい。
【０５５４】
以下に、本実施の形態における表示媒体７２Ａを備えた表示装置７０Ａの制御部７９のＣＰＵ７９Ａで実行される処理を説明する。
【０５５５】
制御部７９のＣＰＵ７９Ａでは、所定時間毎に図２５に示す処理ルーチンが実行されてステップ６００へ進む。
ステップ６００では、画像情報取得部１７が画像情報を取得したか否かを判別し、否定されると本ルーチンを終了し、肯定されるとステップ６０２へ進む。
【０５５６】
ステップ６０２では、連結孔２６Ｂの開口光情報をＲＯＭ７９Ｂから読み取る。
【０５５７】
次のステップ６０４では、ステップ６００で取得した画像情報に含まれる色情報を読み取る。
【０５５８】
次のステップ６０６では、上記ステップ６０４で読み取った色情報に対応する電気泳動電圧情報をＲＯＭ７９Ｂから読取る。
【０５５９】
次のステップ６０８では、分散光情報をＲＯＭ７９Ｂから読み取る。
【０５６０】
次のステップ６１０では、上記ステップ６０２で読み取った開口光情報を含む光照射指示信号を光照射部７８へ出力する。光照射指示信号を受け付けた光照射部７８は、開口光情報に含まれる光の波長領域を示す分散波長領域情報に応じた波長領域、及び継続照射時間情報に基づいて、該波長領域の光の表示基板１８と背面基板２０との間への照射を開始。
【０５６１】
次のステップ６１２では、上記ステップ６１０で光照射指示信号を光照射部７８へ出力してから、該ステップ６１０で出力した光照射指示信号の開口光情報に含まれる開口光照射時間を経過するまで否定判断を繰り返し、肯定されると、ステップ６１２へ進む。
【０５６２】
ステップ６１０〜ステップ６１２の処理によって、中空構造体９０Ｂの連結孔２６Ｂが閉鎖状態から開口状態へと変化する。
【０５６３】
次のステップ６１４では、上記ステップ６０８で読み取った分散光情報を含む光照射指示信号を光照射部７８へ出力する。光照射指示信号を受け付けた光照射部７８は、分散光情報に含まれる光の波長領域を示す分散波長領域情報に応じた波長領域、及び継続照射時間情報に基づいて、該波長領域の光の表示基板１８と背面基板２０との間への照射を開始。
【０５６４】
次のステップ６１６では、上記ステップ６１４で光照射指示信号を光照射部７８へ出力してから、該ステップ６１４で出力した光照射指示信号の分散光情報に含まれる光照射時間を経過するまで否定判断を繰り返し、肯定されると、ステップ６１８へ進む。
【０５６５】
ステップ６１４〜ステップ６１６の処理によって、表示媒体７２Ａ内の第１の粒子３６Ｃが分散媒４２中で分散状態となる。
【０５６６】
次のステップ６１８では、上記ステップ６０６で読み取った電気泳動電圧情報を電圧印加部１４へ出力し、次のステップ６２０において、ステップ６１８の処理終了から該ステップ６１８で電圧印加部１４へ出力した電気泳動電圧情報に含まれる電気泳動時間を経過したか否かを判別し、肯定されるまで否定判断を繰り返し、肯定されると、ステップ６２２へ進む。
【０５６７】
電気泳動電圧情報を受け付けた電圧印加部１４は、受け付けた電気泳動電圧情報に含まれる電気泳動電圧値の電圧の表示電極２４と背面電極３０との間への印加を開始する。
【０５６８】
ステップ６１８〜ステップ６２０の処理によって、例えば、表示基板１８側へ移動させるための電圧が表示電極２４と背面電極３０とに印加されると、分散媒４２中において分散状態とされた第１の粒子３６Ｃは、第１の粒子３６Ｃが表示基板１８側に到り、中空構造体９０Ｂの第１の空間２６Ａ内に到る。
【０５６９】
次のステップ６２２では、ＲＯＭ７９Ｂから凝集光情報を読み取り、次のステップ６２４において、読み取った凝集光情報を光照射部７８へ出力する。
凝集光情報を受け付けた光照射部７８は、受け付けた凝集光情報の凝集波長領域の波長領域の光を表示基板１８と背面基板２０との間に照射し始める。
【０５７０】
次のステップ６２６では、上記ステップ６２４の処理において凝集光情報を光照射部７８へ出力してから、該ステップ６２４で光照射部７８へ出力した凝集光情報に示される光照射継続時間を経過するまで否定判断を繰り返し、肯定されると、ステップ６２８へ進む。
【０５７１】
ステップ６２８では、ＲＯＭ７９Ｂから閉鎖光情報を読み取り、次のステップ６３０において、読み取った閉鎖光情報を光照射部７８へ出力する。
閉鎖光情報を受け付けた光照射部７８は、受け付けた閉鎖光情報の閉鎖波長領域の波長領域の光を表示基板１８と背面基板２０との間に照射し始める。
【０５７２】
次のステップ６３２では、上記ステップ６３０の処理において閉鎖光情報を光照射部７８へ出力してから、該ステップ６３０で光照射部７８へ出力した閉鎖光情報に示される光照射継続時間を経過するまで否定判断を繰り返し、肯定されると、ステップ６３４へ進む。
【０５７３】
ステップ６２８〜ステップ６３２の処理が実行されることによって、中空構造体９０Ｂの連結孔２６Ｂが開口状態から閉鎖状態へと変化する。
【０５７４】
次に、ステップ６３４の処理によって、電圧印加停止を示す信号を電圧印加部１４に出力した後に、ステップ６３６の処理によって光照射停止を示す信号を、光照射部７８へ出力した後に、本ルーチンを終了する。
【０５７５】
ステップ６３４の処理及びステップ６３６の処理が実行されることによって、電圧印加部１４による電圧の印加が停止されるとともに、光照射部７８による光照射が停止される。
【０５７６】
図２５に示す上記ステップ６００〜ステップ６３６の処理が実行されることによって、例えば、該処理ルーチンの実行される前には、第１の粒子３６Ｃが背面基板２０側に存在しており、且つ、上記ステップ６００の処理で取得した画像情報に、第１の粒子３６Ｃの色を示す色情報が含まれている場合には、上記ステップ６００〜ステップ６１２の処理が行われることによって、中空構造体９０Ｂの連結孔２６Ｂは、孔の拡がりによって、第１の粒子３６Ｃの通過の困難な状態である閉鎖状態（図２６（Ａ）参照）から、第１の粒子３６Ｃの通過の可能な状態である開口状態（図２６（Ｂ）参照）へと変化する。
【０５７７】
さらに、上記ステップ６１４〜ステップ６１６の処理が実行されることによって、背面基板２０側に存在していた第１の粒子３６Ｃは分散媒４２中を電気泳動して、表示媒体７２Ａの中空構造体９０Ｂの開口状態にある連結孔２６Ｂを介して第１の空間２６Ａ内に到る（図２６（Ｃ）参照）。
【０５７８】
ここで、さらに、ステップ６２２〜ステップ６２６の処理が実行されることによって、第１の粒子３６Ｃは分散状態から凝集状態となる。上記ステップ６１４〜ステップ６１６の処理によって、第１の粒子３６Ｃは、第１の空間２６Ａ内に到達していることから、この第１の空間２６Ａ内で凝集した状態となる（図２６（Ｄ）参照）。
【０５７９】
さらに、ステップ６２８〜ステップ６３２の処理が実行されることによって、中空構造体９０Ｂの連結孔２６Ｂは、孔の狭まりによって、第１の粒子３６Ｃの通過の可能な状態である開口状態（図２６（Ｄ）参照）から、第１の粒子３６Ｃの通過の困難な状態である閉鎖状態（図２６（Ｅ）参照）へと変化する。
【０５８０】
ここで、図２６（Ｅ）に示すように、第１の空間２６Ａ内には第１の粒子３６Ｃが到達した状態にある。このため、連結孔２６Ｂが光刺激により開口状態から閉鎖状態へと変化することによって、第１の粒子３６Ｃは連結孔２６Ｂを通過することが困難となり、第１の空間２６Ａ内に保持された状態となる。この状態で光照射部７８による光照射が停止されても、連結孔２６Ｂの閉鎖状態は保持されるため、第１の空間２６Ａ内に到達した第１の粒子３６Ｃは第１の空間２６Ａ内に保持される。
さらに、第１の空間２６Ａ内の第１の粒子３６Ｃは、凝集した状態で第１の空間２６Ａ内に保持されているＪことから、第１の粒子３６Ｃは、更に、安定した状態で第１の区間２Ａ内に保持される。
【０５８１】
従って、表示媒体７２Ａの濃度変化が抑制される。
【０５８２】
なお、反対に、上記ステップ６００の処理で取得した画像情報に、表示媒体７２Ａの中間層３８の色を示す色情報が含まれている場合には、上記ステップ６００〜ステップ６１２の処理が行われることによって、例えば、表示基板１８側に設けられた中空構造体９０Ｂの連結孔２６Ｂが図２６（Ｅ）に示す閉鎖状態から、図２６（Ｄ）に示す開口状態へと変化する。そして、この連結孔２６Ｂが開口状態へと変化した後に、中空構造体９０Ｂの第１の空間２６Ａ内に凝集状態で保持されていた第１の粒子３６Ｃが分散状態とされた後に、開口状態にある連結孔２６Ｂを介して中空構造体９０Ｂの外部へと電気泳動しはじめる（図２６（Ｃ）参照）。さらに、この第１の粒子３６Ｃは、中間層３８の孔を介して背面基板２０側へと到る（図２６（Ｂ）参照）。そして。さらに、背面基板２０側へと到った第１の粒子３６Ｃが光照射によって凝集状態とされに、中空構造体９０Ｂの連結孔２６Ｂが開口状態（図２６（Ｂ）参照）から閉鎖状態（図２６（Ａ）参照）へと変化する。これによって、表示基板１８側から視認されたときには、中間層３８の色が視認され、多色表示が可能となる。
【０５８３】
さらに、表示基板１８側に設けられている中空構造体９０Ｂの連結孔２６Ｂは第１の粒子３６Ｃが背面基板２０側に移動した後に、閉鎖状態とされることから、背面基板２０側に移動した第１の粒子３６Ｃの色による表示媒体７２Ａの濃度変化が抑制される。
【０５８４】
なお、上記第２の実施の形態、上記第４の実施の形態、及び上記第６の実施の形態では、第２の刺激によって分散または凝集する第１の粒子を用いる場合には、この第２の刺激の種類と、中空構造体の連結孔２６Ｂを開口状態または閉鎖状態とするための第１の刺激の種類と、は同じである場合を説明したが、このような形態に限られない。
【０５８５】
すなわち、上記第２の実施の形態、上記第４の実施の形態、及び上記第６の実施の形態では、各々、第１の刺激と第２の刺激とが電界による刺激である場合、熱による刺激である場合、及び光による刺激である場合の各々である場合を説明したが、例えば、電界の刺激により開口状態または閉鎖状態となる中空構造体と、光の刺激により凝集状態または分散状態となる第１の粒子３６とを組み合わせた形態の表示媒体としてもよい。この場合には、各第１の刺激及び第２の刺激各々を付与するための機構を、書込装置に設ければよい。
【実施例】
【０５８６】
以下、本発明を、実施例を挙げてさらに具体的に説明する。ただし、これら各実施例は、本発明を制限するものではない。なお、本実施例は、図１、図１５、図２４各々に示す表示媒体と同様な構成のものを作製し、評価した。
【０５８７】
（実施例１）
まず、図１５に示す表示媒体６２を作製し、評価した。すなわち、実施例１では、中空構造体として、熱刺激により連結孔２６Ｂが開口状態または閉鎖状態へと変化する中空構造体９０Ａが表示媒体６２内に設けられている場合を説明する。
【０５８８】
まず、表示基板１８側に設けられた中空構造体２６を以下の手法で作製した。
【０５８９】
表示基板１８及び背面基板２０として、ＩＴＯガラス基板（５ｃｍ×１０ｃｍ、厚み２ｍｍ）を１枚ずつ用意した。
次に、この表示基板１８を、体積平均一次粒径３．０μｍの単分散ポリスチレン粒子（商品名：５３００Ａ、Ｄｕｋｅ  Ｓｃｉｅｎｔｉｆｉｃ社製）のエタノール懸濁液に浸透させて、ディップコート法を用いて基板上（表示基板１８のＩＴＯ面）に約１５μｍのポリスチレン粒子からなる最密充填型コロイド結晶層を作製した。
【０５９０】
刺激応答性材料として、Ｎ−イソプロピルアクリルアミド６重量部、架橋剤Ｎ，Ｎ’−メチレンビスアクリルアミド（ＢＩＳ）（和光純薬工業（株）製）０．０１重量部、開始剤アセトアミノフェノン（和光純薬工業（株）製）０．１ｇを、溶媒としてのジオキサン１００重量部に溶解し、十分に窒素置換し、溶液Ｆを得た。
【０５９１】
上記最密充填型コロイド結晶層の形成された表示基板１８を、秤量天秤に設置して、上記調整した溶液Ｆを滴下することで、当該最密充填型コロイド結晶層の粒子間隙に該溶液Ｆを充填し、さらに室温、常圧下で溶媒を揮散することによって、溶液Ｆの添加重量分が１／６になるまで溶媒を蒸散させた。さらに、この最密充填型コロイド結晶層へＵＶ光を照射し、モノマーを重合させた。これによって、連結孔２６Ｂを形成する管状体２７Ａを調整した。
【０５９２】
さらにアクリル酸モノマー（和光純薬（株）製）、ＢＩＳおよびアセトアミノフェノンの混合物をこの最密充填型コロイド結晶層へ滴下することによって、当該最密充填型コロイド結晶層の粒子間隙に該混合物を充填した後に、ＵＶ光照射により硬化処理をおこなった。得られた基板を十分な量のトルエンに浸漬し、ポリスチレン粒子をエッチングすることによって、厚さ１５μｍの中空構造体が表示基板１８上に形成された。
【０５９３】
得られた中空構造体（中空構造体９０Ａ）を、温度２５℃の環境下で、走査電子顕微鏡（ＳＥＭ）により観察したところ、ポリスチレン粒子とほぼ同形状の空隙構造（第１の空間２６Ａに相当）が形成された多孔質体で、全ての孔が連結孔２６Ｂを介して繋がっている事が観察された。この空隙構造を構成する孔、すなわち第１の空間２６Ａの長径は、３μｍ、空隙構造を構成する第１の空間２６Ａ間あるいは外部との間の連結孔２６Ｂの孔径は１μｍであった。
【０５９４】
さらに、温度を１℃／秒の速度で上昇させていくと、温度２０℃において最も連結孔２６Ｂが大きい開口状態となり、温度４０℃において最も連結孔２６Ｂが小さい閉鎖状態となることが観察された。
【０５９５】
この閉鎖状態における連結孔２６Ｂの孔径は、０．３μｍであり、開口状態における連結孔２６Ｂの孔径は、１．２μｍであった。
【０５９６】
また、この連結孔２６Ｂは、このシリカ多孔質体（中空構造体９０Ａ）の表面から内部まで連続した空間を形成していた。このシリカ多孔質体（中空構造体９０Ａ）の膜厚から、この第１の空間２６Ａは約８層（周期）で構成されていると考えられる。
【０５９７】
本実施例１の、表示基板１８と背面基板２０との基板間に形成された電界に応じて分散媒４２中を移動する第１の粒子３６としては、下記粒子を用いた。
詳細には、ビニルフェロセン３ｇに、色材として体積平均一次粒径０．１μｍの青色顔料（大日本インキ化学社製：マイクロカプセル化顔料、ＭＣ  Ｃｙａｎ）８．０ｇを添加し、これらを攪拌混合したアセトニトリル／水混合溶液を調整し、プラズマ重合により表面にポリビニルフェロセンが修飾された顔料を第１の粒子３６として用いた。
【０５９８】
この第１の粒子３６は負帯電状態で体積平均一次粒径は、１００ｎｍであった。この第１の粒子３６を、分散媒４２としてのシリコーンオイル中に分散させた分散液を用意した。なお、この分散液中の第１の粒子３６の濃度は４体積％であった。
【０５９９】
また、本実施例１では、中空構造体９０Ａの開口状態の連結孔２６Ｂの孔径および中空構造体９０Ａの第１の空間２６Ａは、第１の粒子３６の体積平均一次粒径（１００ｎｍ）に対してそれぞれ５倍、３０倍であった。
【０６００】
次に、中間層３８として、酸化チタン粒子（体積平均一次粒径０．２μm）を６０重量％で内部に分散した体積平均一次粒径１０μmのポリメタクリル酸メチル粒子を利用し、背面基板２０上に、このポリメタクリル酸メチル粒子をエタノールに５重量％で分散した分散液を塗布して、白色の粒子（第３の粒子４１）からなる層を中間層３８として形成した。この中間層３８の厚みは、５０μｍであった。
【０６０１】
次に、背面基板２０に１００μｍの樹脂スペーサーを設けた後に、この樹脂スペーサーを介して、上記中空構造体９０Ａの形成された表示基板１８を、中空構造体９０Ａと背面基板２０のＩＴＯ側の面とが向かい合うように重ねて、一部の開口部を残してサイドシールを行った。さらに開口部から減圧法によって、上記分散媒４２に第１の粒子３６を分散させた分散液を充填した後に、開口部をシールして評価用の表示媒体６２を作製した。
【０６０２】
本実施例１で作製した表示媒体６２を、２０℃の環境下で、表示電極２４と背面電極３０に、表示電極２４がマイナス極となるようにして５Ｖの直流電圧を５秒印加したところ、中間層３８による白色が表示された。この白色表示時の反射濃度を、Ｘ−ｒｉｔｅ社製Ｘ−ｒｉｔｅ４０４により測定したところ、約０．３であった。
【０６０３】
次に、この白色表示の状態から、さらに、２０℃の環境下で、表示電極２４がプラス極となるようにして５Ｖの直流電圧を５秒印加したところ、表示媒体６２は青色を呈した。このときの濃度をＸ−ｒｉｔｅ社製Ｘ−ｒｉｔｅ４０４により測定したところ、約１．４であった。さらに２０℃の環境を保持したところ、この青色は、約１分ほどで消色した。
【０６０４】
次に、上記と同様にして、２０℃の環境下で、表示電極２４がプラス極となるようにして５Ｖの直流電圧を５秒印加したところ、表示媒体６２は青色を呈した。ここで、さらに、温度を４０℃に上昇させてこの４０℃の温度環境下に表示媒体６２を置いた後に電圧印加を解除したところ、表示媒体６２は青色を呈したままであり、且つ、３ヶ月以上該環境下に放置しても、消色は見られなかった。
また、４０℃の環境下に表示媒体６２をおいた直後の濃度と、３ヶ月放置後の濃度と、の各々をＸ−ｒｉｔｅ社製Ｘ−ｒｉｔｅ４０４により測定したところ、
双方とも約１．４であり、濃度低下の抑制が図られていた。
【０６０５】
以上のことから、濃度低下を抑制することができるとともに、多色表示の可能な表示媒体６２が得られた事が確認できた。
【０６０６】
（実施例２）
上記実施例１では、熱刺激により連結孔２６Ｂが開口状態または閉鎖状態へと変化する中空構造体９０Ａが表示媒体６２内に設けられている場合を説明したが、本実施例２では、光刺激により連結孔２６Ｂが開口状態または閉鎖状態へと変化する中空構造体９０Ｂ（図２１参照）が表示媒体６２内に設けられている場合を説明する。
【０６０７】
本実施例２では、表示基板１８側に設けられた中空構造体２６を以下の手法で作製した。
【０６０８】
表示基板１８及び背面基板２０として、ＩＴＯガラス基板（５ｃｍ×１０ｃｍ、厚み２ｍｍ）を１枚ずつ用意した。
次に、この表示基板１８を、体積平均一次粒径３．０μｍの単分散ポリスチレン粒子（商品名：５３００Ａ、Ｄｕｋｅ  Ｓｃｉｅｎｔｉｆｉｃ社製）のエタノール懸濁液に浸透させて、ディップコート法を用いて基板上（表示基板１８のＩＴＯ面）に約１５μｍのポリスチレン粒子からなる最密充填型コロイド結晶層を作製した。
【０６０９】
刺激応答性材料として、アクリルアミド６重量部、４−アクロイルアミノアゾベンゼン１重量部、架橋剤Ｎ，Ｎ’−メチレンビスアクリルアミド（ＢＩＳ）（和光純薬工業（株）製）０．０１重量部、開始剤アセトアミノフェノン（和光純薬工業（株）製）０．１ｇを、溶媒としてのジオキサン１００重量部に溶解し、十分に窒素置換し、溶液Ｂを得た。
【０６１０】
上記最密充填型コロイド結晶層の形成された表示基板１８を、秤量天秤に設置して、上記調整した溶液Ｂを滴下することで、当該最密充填型コロイド結晶層の粒子間隙に該溶液Ｂを充填し、さらに室温、常圧下で溶媒を揮散することによって、溶液Ｂの添加重量分が１／６になるまで溶媒を蒸散させた。さらに、この最密充填型コロイド結晶層へＵＶ光を照射し、モノマーを重合させた。これによって、連結孔２６Ｂを形成する管状体２７Ａを調整した。
【０６１１】
さらにアクリル酸モノマー（和光純薬（株）製）、ＢＩＳおよびアセトアミノフェノンの混合物をこの最密充填型コロイド結晶層へ滴下することによって、当該最密充填型コロイド結晶層の粒子間隙に該混合物を充填した後に、ＵＶ光照射により硬化処理をおこなった。得られた基板を十分な量のトルエンに浸漬し、ポリスチレン粒子をエッチングすることによって、厚さ１５μｍの中空構造体が表示基板１８上に形成された。
【０６１２】
得られた中空構造体（中空構造体９０Ｂ）を、走査電子顕微鏡（ＳＥＭ）により観察したところ、ポリスチレン粒子とほぼ同形状の空隙構造（第１の空間２６Ａに相当）が形成された多孔質体で、全ての孔が連結孔２６Ｂを介して繋がっている事が観察された。この空隙構造を構成する孔、すなわち第１の空間２６Ａの長径は、３μｍ、空隙構造を構成する第１の空間２６Ａ間あるいは外部との間の連結孔２６Ｂの孔径は０．７μｍであった。
【０６１３】
この中空構造体へ、光を照射し、この照射する光の波長を変化させていくと、可視光領域の光を照射したときに最も連結孔２６Ｂが大きい開口状態となり、３６６ｎｍの波長領域の光を照射したときに最も連結孔２６Ｂが小さい閉鎖状態となることが観察された。
【０６１４】
この閉鎖状態における連結孔２６Ｂの孔径は、０．４μｍであり、開口状態における連結孔２６Ｂの孔径は、１．１μｍであった。
【０６１５】
また、この連結孔２６Ｂは、このシリカ多孔質体（中空構造体９０Ｂ）の表面から内部まで連続した空間を形成していた。このシリカ多孔質体（中空構造体９０Ｂ）の膜厚から、この第１の空間２６Ａは約８層（周期）で構成されていると考えられる。
【０６１６】
本実施例２の、表示基板１８と背面基板２０との基板間に形成された電界に応じて分散媒４２中を移動する第１の粒子３６としては、実施例１と同じ第１の粒子３６を用いた。
【０６１７】
なお、本実施例２では、中空構造体９０Ｂの開口状態の連結孔２６Ｂの孔径および中空構造体９０Ｂの第１の空間２６Ａは、第１の粒子３６の体積平均一次粒径（１００ｎｍ）に対してそれぞれ５倍、３０倍であった。
【０６１８】
次に、中間層３８として、酸化チタン粒子（体積平均一次粒径０．２μm）を６０重量％で内部に分散した体積平均一次粒径１０μmのポリメタクリル酸メチル粒子を利用し、背面基板２０上に、このポリメタクリル酸メチル粒子をエタノールに５重量％で分散した分散液を塗布して、白色の粒子（第３の粒子４１）からなる層を中間層３８として形成した。この中間層３８の厚みは、５０μｍであった。
【０６１９】
次に、背面基板２０に１００μｍの樹脂スペーサーを設けた後に、この樹脂スペーサーを介して、上記中空構造体９０Ａの形成された表示基板１８を、中空構造体９０Ｂと背面基板２０のＩＴＯ側の面とが向かい合うように重ねて、一部の開口部を残してサイドシールを行った。さらに開口部から減圧法によって、上記分散媒４２に第１の粒子３６を分散させた分散液を充填した後に、開口部をシールして評価用の表示媒体７２（図２１参照）を作製した。
【０６２０】
本実施例２で作製した表示媒体７２に、高圧水銀ランプとカラーフィルターを用いて３６６ｎｍの光を３分間表示媒体６２に照射した後に、該３６６ｎｍの光を照射した状態で、表示電極２４と背面電極３０に、表示電極２４がマイナス極となるようにして５Ｖの直流電圧を５秒印加したところ、中間層３８による白色が表示された。この白色表示時の反射濃度を、Ｘ−ｒｉｔｅ社製Ｘ−ｒｉｔｅ４０４により測定したところ、約０．３であった。
【０６２１】
次に、この白色表示の状態から、さらに、高圧水銀ランプとカラーフィルターを用いて３６６ｎｍの光を１分間表示媒体６２に照射した後に、該３６６ｎｍの光を照射した状態で表示電極２４がプラス極となるようにして５Ｖの直流電圧を５秒印加したところ、表示媒体６２は青色を呈した。このときの濃度をＸ−ｒｉｔｅ社製Ｘ−ｒｉｔｅ４０４により測定したところ、約１．４であった。さらに３６６ｎｍの光の照射を保持したところ、この青色は、約１分ほどで消色した。
【０６２２】
次に、上記と同様にして、高圧水銀ランプとカラーフィルターを用いて３６６ｎｍの光を１分間表示媒体６２に照射した後に、該３６６ｎｍの光を照射した状態で表示電極２４がプラス極となるようにして５Ｖの直流電圧を５秒印加したところ、表示媒体６２は青色を呈した。ここで、さらに、可視光ランプを用いて可視光領域の光を表示媒体６２に照射すると共に、該光の照射から３分後に電圧印加を解除したところ、表示媒体６２は青色を呈したままであり、且つ、３ヶ月以上該環境下に放置しても、消色は見られなかった。
また、可視光領域の光を表示媒体６２に照射した状態で該光の照射から１分後に電圧印加を解除した直後の濃度と、該可視光領域の光を照射した状態で３ヶ月放置した後の濃度と、の各々をＸ−ｒｉｔｅ社製Ｘ−ｒｉｔｅ４０４により測定したところ、双方とも約１．３であり、濃度低下の抑制が図られていた。
【０６２３】
以上のことから、濃度低下を抑制することができるとともに、多色表示の可能な表示媒体６２が得られた事が確認できた。
【０６２４】
（実施例３）
上記実施例１では、熱刺激により連結孔２６Ｂが開口状態または閉鎖状態へと変化する中空構造体９０Ａが表示媒体６２内に設けられている場合を説明したが、本実施例３では、電気刺激により連結孔２６Ｂが開口状態または閉鎖状態へと変化する中空構造体２６（図１参照）が表示媒体１２内に設けられている場合を説明する。
【０６２５】
本実施例３では、表示基板１８側に設けられた中空構造体２６を以下の手法で作製した。
【０６２６】
表示基板１８及び背面基板２０として、ＩＴＯガラス基板（５ｃｍ×１０ｃｍ、厚み２ｍｍ）を１枚ずつ用意した。
次に、この表示基板１８を、体積平均一次粒径３．０μｍの単分散ポリスチレン粒子（商品名：５３００Ａ、Ｄｕｋｅ  Ｓｃｉｅｎｔｉｆｉｃ社製）のエタノール懸濁液に浸透させて、ディップコート法を用いて基板上（表示基板１８のＩＴＯ面）に約１５μｍのポリスチレン粒子からなる最密充填型コロイド結晶層を作製した。
【０６２７】
刺激応答性材料として、Ｎ，Ｎ−ジメチルアミノエチルアクリレートメチルクロライドと、ＢＩＳと、を、溶媒としての水１００重量部に溶解し、十分に窒素置換し、溶液Ｈを得た。
【０６２８】
上記最密充填型コロイド結晶層の形成された表示基板１８を、秤量天秤に設置して、上記調整した溶液Ｂを滴下することで、当該最密充填型コロイド結晶層の粒子間隙に該溶液Ｈを充填し、さらに室温、常圧下で溶媒を揮散することによって、溶液Ｈの添加重量分が１／６になるまで溶媒を蒸散させた。さらに、この最密充填型コロイド結晶層へＵＶ光を照射し、モノマーを重合させた。これによって、連結孔２６Ｂを形成する管状体２７Ａを調整した。
【０６２９】
さらにアクリル酸モノマー（和光純薬（株）製）、ＢＩＳおよびアセトアミノフェノンの混合物をこの最密充填型コロイド結晶層へ滴下することによって、当該最密充填型コロイド結晶層の粒子間隙に該混合物を充填した後に、ＵＶ光照射により硬化処理をおこなった。得られた基板を十分な量のトルエンに浸漬し、ポリスチレン粒子をエッチングすることによって、厚さ１５μｍの中空構造体が表示基板１８上に形成された。
【０６３０】
得られた中空構造体（中空構造体２６）を、走査電子顕微鏡（ＳＥＭ）により観察したところ、ポリスチレン粒子とほぼ同形状の空隙構造（第１の空間２６Ａに相当）が形成された多孔質体で、全ての孔が連結孔２６Ｂを介して繋がっている事が観察された。この空隙構造を構成する孔、すなわち第１の空間２６Ａの長径は、３μｍ、空隙構造を構成する第１の空間２６Ａ間あるいは外部との間の連結孔２６Ｂの孔径は１μｍであった。
【０６３１】
この連結孔２６Ｂは、このシリカ多孔質体（中空構造体２６）の表面から内部まで連続した空間を形成していた。このシリカ多孔質体（中空構造体２６）の膜厚から、この第１の空間２６Ａは約８層（周期）で構成されていると考えられる。
【０６３２】
本実施例３の、表示基板１８と背面基板２０との基板間に形成された電界に応じて分散媒４２中を移動する第１の粒子３６としては、実施例１と同じ第１の粒子３６を用いた。
【０６３３】
次に、中間層３８として、酸化チタン粒子（体積平均一次粒径０．２μm）を６０重量％で内部に分散した体積平均一次粒径１０μmのポリメタクリル酸メチル粒子を利用し、背面基板２０上に、このポリメタクリル酸メチル粒子をエタノールに５重量％で分散した分散液を塗布して、白色の粒子（第３の粒子４１）からなる層を中間層３８として形成した。この中間層３８の厚みは、５０μｍであった。
【０６３４】
次に、背面基板２０に１００μｍの樹脂スペーサーを設けた後に、この樹脂スペーサーを介して、上記中空構造体９０Ａの形成された表示基板１８を、中空構造体２６と背面基板２０のＩＴＯ側の面とが向かい合うように重ねて、一部の開口部を残してサイドシールを行った。さらに開口部から減圧法によって、上記分散媒４２に第１の粒子３６を分散させた分散液を充填した後に、開口部をシールして評価用の表示媒体１２（図１参照）を作製した。
【０６３５】
本実施例３で作製した表示媒体１２の表示基板１８と背面基板２０との間に、表示電極２４と背面電極３０に、表示電極２４に電圧を印加し、さらに印加する電圧の電圧値を変化させていくと、＋３Ｖの電圧を印加したときに最も連結孔２６Ｂが大きい開口状態となり、−３Ｖの電圧を印加したときに最も連結孔２６Ｂが小さい閉鎖状態となることが観察された。
【０６３６】
この閉鎖状態における連結孔２６Ｂの孔径は、０．３μｍであり、開口状態における連結孔２６Ｂの孔径は、１．１μｍであった。
【０６３７】
次に、本実施例３で作製した表示媒体１２に表示電極２４と背面電極３０に、表示電極２４がマイナス極となるようにして３Ｖの電圧を１０秒間印加した後に、表示電極２４と背面電極３０に表示電極２４がマイナス極となるようにして５Ｖの直流電圧を５秒印加したところ、中間層３８による白色が表示された。この白色表示時の反射濃度を、Ｘ−ｒｉｔｅ社製Ｘ−ｒｉｔｅ４０４により測定したところ、約０．３であった。
【０６３８】
次に、この白色表示の状態から、表示電極２４がプラス極となるようにして３Ｖの直流電圧を３秒間印加した後に、さらに５Ｖの直流電圧を５秒印加したところ、表示媒体６２は青色を呈した。このときの濃度をＸ−ｒｉｔｅ社製Ｘ−ｒｉｔｅ４０４により測定したところ、約１．４であった。この青色は、約１分ほどで消色した。
【０６３９】
次に、上記と同様にして、白色表示の状態から、表示電極２４がプラス極となるようにして３Ｖの直流電圧を３秒間印加して連結孔２６Ｂを開口状態とした後に、さらに５Ｖの直流電圧を５秒印加したところ、表示媒体６２は青色を呈した。ここで、さらに、表示電極２４がマイナス極となるようにして３Ｖの直流電圧を５秒間印加して連結孔２６Ｂを閉鎖状態とした後に、電圧印加を解除したところ、表示媒体６２は青色を呈したままであり、且つ、３ヶ月以上該環境下に放置しても、消色は見られなかった。
【０６４０】
また、該電圧印加を解除した直後の濃度と、３ヶ月放置した後の濃度と、の各々をＸ−ｒｉｔｅ社製Ｘ−ｒｉｔｅ４０４により測定したところ、双方とも約１．３であり、濃度低下の抑制が図られていた。
【０６４１】
以上のことから、濃度低下を抑制することができるとともに、多色表示の可能な表示媒体１２が得られた事が確認できた。
【０６４２】
（実施例４）
上記実施例１では、熱刺激により連結孔２６Ｂが開口状態または閉鎖状態へと変化する中空構造体９０Ａが表示媒体６２内に設けられている場合を説明したが、本実施例４では、分散媒４２のｐＨの変化により連結孔２６Ｂが開口状態または閉鎖状態へと変化する中空構造体２６（図１参照）が表示媒体１２内に設けられている場合を説明する。
【０６４３】
本実施例４では、表示基板１８側に設けられた中空構造体２６を以下の手法で作製した。
【０６４４】
表示基板１８及び背面基板２０として、ＩＴＯガラス基板（５ｃｍ×１０ｃｍ、厚み２ｍｍ）を１枚ずつ用意した。
次に、この表示基板１８を、体積平均一次粒径３．０μｍの単分散ポリスチレン粒子（商品名：５３００Ａ、Ｄｕｋｅ  Ｓｃｉｅｎｔｉｆｉｃ社製）のエタノール懸濁液に浸透させて、ディップコート法を用いて基板上（表示基板１８のＩＴＯ面）に約１５μｍのポリスチレン粒子からなる最密充填型コロイド結晶層を作製した。
【０６４５】
刺激応答性材料として、アクリル酸６重量部、架橋剤Ｎ，Ｎ’−メチレンビスアクリルアミド（ＢＩＳ）（和光純薬工業（株）製）０．０１重量部、開始剤アセトアミノフェノン（和光純薬工業（株）製）０．１ｇを、溶媒としてのジオキサン１００重量部に溶解し、十分に窒素置換し、溶液Ｉを得た。
【０６４６】
上記最密充填型コロイド結晶層の形成された表示基板１８を、秤量天秤に設置して、上記調整した溶液Ｉを滴下することで、当該最密充填型コロイド結晶層の粒子間隙に該溶液Ｉを充填し、さらに室温、常圧下で溶媒を揮散することによって、溶液Ｉの添加重量分が１／６になるまで溶媒を蒸散させた。さらに、この最密充填型コロイド結晶層へＵＶ光を照射し、モノマーを重合させた。これによって、連結孔２６Ｂを形成する管状体２７Ａを調整した。
【０６４７】
さらにアクリル酸モノマー（和光純薬（株）製）、ＢＩＳおよびアセトアミノフェノンの混合物をこの最密充填型コロイド結晶層へ滴下することによって、当該最密充填型コロイド結晶層の粒子間隙に該混合物を充填した後に、ＵＶ光照射により硬化処理をおこなった。得られた基板を十分な量のトルエンに浸漬し、ポリスチレン粒子をエッチングすることによって、厚さ１５μｍの中空構造体が表示基板１８上に形成された。
【０６４８】
得られた中空構造体（中空構造体２６）を、走査電子顕微鏡（ＳＥＭ）により観察したところ、ポリスチレン粒子とほぼ同形状の空隙構造（第１の空間２６Ａに相当）が形成された多孔質体で、全ての孔が連結孔２６Ｂを介して繋がっている事が観察された。この空隙構造を構成する孔、すなわち第１の空間２６Ａの長径は、３μｍ、空隙構造を構成する第１の空間２６Ａ間あるいは外部との間の連結孔２６Ｂの孔径は１μｍであった。
【０６４９】
この連結孔２６Ｂは、このシリカ多孔質体（中空構造体２６）の表面から内部まで連続した空間を形成していた。このシリカ多孔質体（中空構造体２６）の膜厚から、この第１の空間２６Ａは約８層（周期）で構成されていると考えられる。
【０６５０】
本実施例４の、表示基板１８と背面基板２０との基板間に形成された電界に応じて分散媒４２中を移動する第１の粒子３６としては、実施例１と同じ第１の粒子３６を用いた。
なお、第１の粒子３６を分散する分散媒４２としては、本実施例４では、水を用いた。
【０６５１】
次に、中間層３８として、酸化チタン粒子（体積平均一次粒径０．２μm）を６０重量％で内部に分散した体積平均一次粒径１０μmのポリメタクリル酸メチル粒子を利用し、背面基板２０上に、このポリメタクリル酸メチル粒子をエタノールに５重量％で分散した分散液を塗布して、白色の粒子（第３の粒子４１）からなる層を中間層３８として形成した。この中間層３８の厚みは、５０μｍであった。
【０６５２】
次に、背面基板２０に１００μｍの樹脂スペーサーを設けた後に、この樹脂スペーサーを介して、上記中空構造体２６の形成された表示基板１８を、中空構造体２６と背面基板２０のＩＴＯ側の面とが向かい合うように重ねて、一部の開口部を残してサイドシールを行った。さらに開口部から減圧法によって、上記分散媒４２に第１の粒子３６を分散させた分散液を充填した後に、開口部をシールして評価用の表示媒体１２（図１参照）を作製した。
【０６５３】
本実施例４で作製した表示媒体１２の表示基板１８と背面基板２０との間に、表示電極２４と背面電極３０に、表示電極２４がマイナス極となるようにして電圧を印加し、さらに印加する電圧の電圧値を変化させていくと、電圧を印加しない状態において最も連結孔２６Ｂが大きい開口状態となり、表示電極２４がプラス極となるように３Ｖの電圧を印加してから３０秒経過したときに最も連結孔２６Ｂが小さい閉鎖状態となることが観察された。
これは、３Ｖの電圧の印加されたときに、分散媒４２としての水の電気分解によるｐＨの低下が生じ、この分散媒４２のｐＨの低下により連結孔２６Ｂの収縮が生じて開口状態から閉鎖状態へと変化したためと考えられる。
【０６５４】
この閉鎖状態における連結孔２６Ｂの孔径は、０．３μｍであり、開口状態における連結孔２６Ｂの孔径は、１μｍであった。
【０６５５】
次に、本実施例４で作製した表示媒体１２に表示電極２４と背面電極３０に、表示電極２４と背面電極３０に表示電極２４がマイナス極となるようにして５Ｖの直流電圧を５秒印加したところ、中間層３８による白色が表示された。この白色表示時の反射濃度を、Ｘ−ｒｉｔｅ社製Ｘ−ｒｉｔｅ４０４により測定したところ、約０．３であった。
【０６５６】
次に、この白色表示の状態から、表示電極２４がプラス極となるようにして５Ｖの直流電圧を５秒印加したところ、表示媒体６２は青色を呈した。このときの濃度をＸ−ｒｉｔｅ社製Ｘ−ｒｉｔｅ４０４により測定したところ、約１．４であった。さらに、電圧印加を停止した後に放置したところ、この青色は、約１分ほどで消色した。
【０６５７】
次に、上記と同様にして、白色表示の状態から、５Ｖの直流電圧を５秒印加したところ、表示媒体６２は青色を呈した。ここで、さらに、表示電極２４がプラス極となるようにして３Ｖの直流電圧を３０秒間印加して連結孔２６Ｂを閉鎖状態とした後に、電圧印加を解除したところ、表示媒体６２は青色を呈したままであり、且つ、３ヶ月以上該環境下に放置しても、消色は見られなかった。
【０６５８】
また、該電圧印加を解除した直後の濃度と、３ヶ月放置した後の濃度と、の各々をＸ−ｒｉｔｅ社製Ｘ−ｒｉｔｅ４０４により測定したところ、双方とも約１．３であり、濃度低下の抑制が図られていた。
【０６５９】
以上のことから、濃度低下を抑制することができるとともに、多色表示の可能な表示媒体１２が得られた事が確認できた。
【０６６０】
（比較例１）
中空構造体として、下記中空構造体を用いた以外は、実施例１と同様にして表示媒体を作製し、評価を行った。
【０６６１】
本比較例１では、表示基板１８側に設けられた中空構造体を以下の手法で作製した。
【０６６２】
表示基板１８及び背面基板２０として、ＩＴＯガラス基板（５ｃｍ×１０ｃｍ、厚み２ｍｍ）を１枚ずつ用意した。
次に、この表示基板１８を、体積平均一次粒径３．０μｍの単分散ポリスチレン粒子（商品名：５３００Ａ、Ｄｕｋｅ  Ｓｃｉｅｎｔｉｆｉｃ社製）のエタノール懸濁液に浸透させて、ディップコート法を用いて基板上（表示基板１８のＩＴＯ面）に約１５μｍのポリスチレン粒子からなる最密充填型コロイド結晶層を作製した。
【０６６３】
この最密充填型コロイド結晶層を鋳型として、ＳｉＯ２粒子懸濁水溶液（ＳｉＯ２粒子の体積平均一次粒径６ｎｍ、濃度１０重量％、商品名：カタロイド。触媒化成工業（株））をディップコート法により、当該構造体の粒子間隙に充填し、さらに５００℃で１時間加熱することでポリスチレン粒子を分解させてコロイド結晶構造を消失させると共に、厚さ約１５μｍのシリカ多孔質体（ネガ型構造体）を得た。
【０６６４】
得られたシリカ多孔質体（中空構造体）を走査電子顕微鏡（ＳＥＭ）により観察したところ、ポリスチレン粒子とほぼ同形状の空隙構造（第１の空間２６Ａに相当）が形成された多孔質体で、全ての孔が連結孔２６Ｂを介して繋がっている事が観察された。この空隙構造を構成する孔、すなわち第１の空間２６Ａの長径は、３μｍ、空隙構造を構成する第１の空間２６Ａ間あるいは外部との間の連結孔２６Ｂの長径は５００ｎｍであった。
また、この連結孔２６Ｂは、このシリカ多孔質体（中空構造体）の表面から内部まで連続した空間を形成していた。このシリカ多孔質体（中空構造体）の膜厚から、この第１の空間２６Ａは約８層（周期）で構成されていると考えられる。
【０６６５】
本比較例１で作製した表示媒体を、２０℃の環境下で、表示電極２４と背面電極３０に、表示電極２４がマイナス極となるようにして５Ｖの直流電圧を５秒印加したところ、中間層３８による白色が表示された。この白色表示時の反射濃度を、Ｘ−ｒｉｔｅ社製Ｘ−ｒｉｔｅ４０４により測定したところ、約０．３であった。
【０６６６】
次に、この白色表示の状態から、さらに、２０℃の環境下で、表示電極２４がプラス極となるようにして５Ｖの直流電圧を５秒印加したところ、表示媒体６２は青色を呈した。このときの濃度をＸ−ｒｉｔｅ社製Ｘ−ｒｉｔｅ４０４により測定したところ、約１．４であった。さらに２０℃の環境を保持したところ、この青色は、約１分ほどで消色した。このため、比較例１の構成では、上記実施例１〜４に比べて、濃度低下を抑制することは困難であるといえる。
【図面の簡単な説明】
【０６６７】
【図１】第１の実施の形態に係る表示装置を示す概略構成図である。
【図２】（Ａ）（Ｂ）第１の実施の形態に係る表示媒体の表示基板周辺の拡大模式図である。
【図３】第１の実施の形態に係る表示媒体の表示基板周辺の拡大模式図である。
【図４】（Ａ）〜（Ｃ）第１の実施の形態における中空構造体の作製方法の一例を示す模式図である。
【図５】（Ｄ）〜（Ｅ）第１の実施の形態における中空構造体の作製方法の一例を示す模式図である。
【図６】（Ａ）（Ｂ）第１の実施の形態における中空構造体の作製時における、コロイド粒子構造体を構成する各粒子間の接触領域へと局在化した状態のモノマー溶液３７Ａを示す概念図である。
【図７】第１の実施の形態における表示装置のＣＰＵで実行される処理を示すフローチャートである。
【図８】（Ａ）〜（Ｅ）第１の実施の形態において表示媒体の第１の粒子が中空構造体に対して出入りする様子を示す模式図である。
【図９】第１の実施の形態における図１に示す表示媒体とは異なる形態を示す模式図である。
【図１０】第１の実施の形態における図１に示す表示媒体とは異なる形態を示す模式図である。
【図１１】（Ａ）〜（Ｅ）第１の実施の形態における、図８に示す形態とは異なる形態を示す模式図である。
【図１２】第２の実施の形態における表示装置を示す概略構成図である。
【図１３】第２の実施の形態における表示装置のＣＰＵで実行される処理を示すフローチャートである。
【図１４】（Ａ）〜（Ｅ）第２の実施の形態において表示媒体の第１の粒子が中空構造体に対して出入りする様子を示す模式図である。
【図１５】第３の実施の形態における表示装置を示す概略構成図である。
【図１６】第３の実施の形態における表示装置のＣＰＵで実行される処理を示すフローチャートである。
【図１７】（Ａ）〜（Ｅ）第３の実施の形態において表示媒体の第１の粒子が中空構造体に対して出入りする様子を示す模式図である。
【図１８】第４の実施の形態における表示装置を示す概略構成図である。
【図１９】第４の実施の形態における表示装置のＣＰＵで実行される処理を示すフローチャートである。
【図２０】（Ａ）〜（Ｅ）第４の実施の形態において表示媒体の第１の粒子が中空構造体に対して出入りする様子を示す模式図である。
【図２１】第５の実施の形態における表示装置を示す概略構成図である。
【図２２】第５の実施の形態における表示装置のＣＰＵで実行される処理を示すフローチャートである。
【図２３】（Ａ）〜（Ｅ）第５の実施の形態において表示媒体の第１の粒子が中空構造体に対して出入りする様子を示す模式図である。
【図２４】第６の実施の形態における表示装置を示す概略構成図である。
【図２５】第６の実施の形態における表示装置のＣＰＵで実行される処理を示すフローチャートである。
【図２６】（Ａ）〜（Ｅ）第６の実施の形態において表示媒体の第１の粒子が中空構造体に対して出入りする様子を示す模式図である。
【符号の説明】
【０６６８】
１０、１０Ａ、１０Ｂ、１０Ｃ、６０、６０Ａ、７０、７０Ａ  表示装置
１２、１２Ａ、１２Ｂ、１２Ｃ、６２、６２Ａ、７２、７２Ａ  表示媒体
１３、１３Ｃ、６４、６４Ａ、７４、７４Ａ  書込装置
１４  電圧印加部
１６、５０、６７、７１、７７、７９  制御部
１７  画像情報取得部
１８  表示基板
２０  背面基板
２６Ａ  第１の空間
２６、９０Ａ、９０Ｂ  中空構造体
２６Ｂ  連結孔
３１  拘束層
３６、３６Ａ、３６Ｂ、３６Ｃ  第１の粒子
３８  中間層
４２  分散媒
６８  加熱部材
６９  温度検知部
７８  光照射部
【図１】
2009145419.tif 000003
【図２】
2009145419.tif 000004
【図３】
2009145419.tif 000005
【図４】
2009145419.tif 000006
【図５】
2009145419.tif 000007
【図６】
2009145419.tif 000008
【図７】
2009145419.tif 000009
【図８】
2009145419.tif 000010
【図９】
2009145419.tif 000011
【図１０】
2009145419.tif 000012
【図１１】
2009145419.tif 000013
【図１２】
2009145419.tif 000014
【図１３】
2009145419.tif 000015
【図１４】
2009145419.tif 000016
【図１５】
2009145419.tif 000017
【図１６】
2009145419.tif 000018
【図１７】
2009145419.tif 000019
【図１８】
2009145419.tif 000020
【図１９】
2009145419.tif 000021
【図２０】
2009145419.tif 000022
【図２１】
2009145419.tif 000023
【図２２】
2009145419.tif 000024
【図２３】
2009145419.tif 000025
【図２４】
2009145419.tif 000026
【図２５】
2009145419.tif 000027
【図２６】
2009145419.tif 000028